(57)【特許請求の範囲】
【請求項１】
データ送信方法であって、
ネットワークデバイスが、ユーザ機器（ＵＥ）により送信された第１の指示情報およびリソース要求メッセージを受信する段階であって、前記第１の指示情報は、前記ＵＥが複数の時間−周波数リソースを用いることによって１つのリソーススケジューリング期間においてデータを少なくとも１つの宛先アドレスへ送信できることを、前記ネットワークデバイスに通知するために用いられ、前記リソース要求メッセージは、前記ＵＥの複数の第１の送信されるべきデータにそれぞれ対応する第１の宛先アドレス及び第２の宛先アドレスと、それぞれの第１の送信されるべきデータのデータ量とを前記ネットワークデバイスに示すために用いられ、前記第１の送信されるべきデータは、少なくとも１つの第２の送信されるべきデータを含み、前記第１の宛先アドレスは前記第２の宛先アドレスと異なる、段階と、
前記ネットワークデバイスが、前記第１の指示情報と前記リソース要求メッセージとに従って、前記ＵＥにより前記リソーススケジューリング期間において少なくとも２つの第２の送信されるべきデータを送信するために用いられる時間−周波数リソースを前記ＵＥに割り当てる段階であって、前記少なくとも２つの第２の送信されるべきデータは、前記第１の宛先アドレス及び前記第２の宛先アドレスにそれぞれ対応する、段階と
を備える方法。
【請求項２】
前記第１の指示情報は、能力指示情報であり、前記能力指示情報は、前記ＵＥが複数の時間−周波数リソースを用いることによって１つのリソーススケジューリング期間においてデータを前記少なくとも１つの宛先アドレスへ送信する能力を有することを前記ネットワークデバイスに通知するために、かつ、前記ネットワークデバイスに、前記能力指示情報に従って、前記ＵＥにより前記リソーススケジューリング期間において用いられ得る時間−周波数リソースの予め設定された第１の最大数量を取得するよう命令するために用いられる、請求項１に記載の方法。
【請求項３】
前記第１の指示情報は、能力指示情報およびリソース情報を含み、前記能力指示情報は、前記ＵＥが複数の時間−周波数リソースを用いることによって１つのリソーススケジューリング期間においてデータを前記少なくとも１つの宛先アドレスへ送信する能力を有することを、前記ネットワークデバイスに通知するために用いられ、前記リソース情報は、前記ＵＥにより前記リソーススケジューリング期間において実際に用いられ得る時間−周波数リソースの第２の最大数量を前記ネットワークデバイスに示すために用いられる、請求項１に記載の方法。
【請求項４】
前記リソース情報は、前記複数の時間−周波数リソースの数量についての情報、または前記ＵＥがＤ２Ｄデータ送信を実行するプロセスの数量についての情報である、請求項３に記載の方法。
【請求項５】
データ送信方法であって、
ユーザ機器（ＵＥ）により、第１の指示情報およびリソース要求メッセージをネットワークデバイスへ送信する段階であって、前記第１の指示情報は、前記ＵＥが複数の時間−周波数リソースを用いることによって１つのリソーススケジューリング期間においてデータを少なくとも１つの宛先アドレスへ送信できることを、前記ネットワークデバイスに通知するために用いられ、前記リソース要求メッセージは、前記ＵＥの複数の第１の送信されるべきデータにそれぞれ対応する第１の宛先アドレス及び第２の宛先アドレスと、それぞれの第１の送信されるべきデータのデータ量とを前記ネットワークデバイスに示すために、かつ、前記ネットワークデバイスに、前記第１の指示情報と前記リソース要求メッセージとに従って、前記ＵＥにより前記リソーススケジューリング期間において少なくとも２つの第２の送信されるべきデータを送信するために用いられる時間−周波数リソースを前記ＵＥに割り当てるよう命令するために用いられ、前記第１の送信されるべきデータは、少なくとも１つの第２の送信されるべきデータを含み、前記第１の宛先アドレスは前記第２の宛先アドレスと異なる、段階と、
前記ＵＥが、前記ネットワークデバイスにより割り当てられた前記時間−周波数リソースを受信し、かつ、前記時間−周波数リソースと、前記複数の第１の送信されるべきデータにそれぞれ対応する前記第１の宛先アドレス及び前記第２の宛先アドレスとに従って、前記リソーススケジューリング期間において前記少なくとも２つの第２の送信されるべきデータを送信する段階であって、前記少なくとも２つの第２の送信されるべきデータは、前記第１の宛先アドレス及び前記第２の宛先アドレスにそれぞれ対応する、段階と
を備える方法。
【請求項６】
前記第１の指示情報は、能力指示情報であり、前記能力指示情報は、前記ＵＥが複数の時間−周波数リソースを用いることによって１つのリソーススケジューリング期間においてデータを前記少なくとも１つの宛先アドレスへ送信する能力を有することを前記ネットワークデバイスに通知するために、かつ、前記ネットワークデバイスに、前記能力指示情報に従って、前記ＵＥにより前記リソーススケジューリング期間において用いられ得る時間−周波数リソースの予め設定された第１の最大数量を取得するよう命令するために用いられる、請求項５に記載の方法。
【請求項７】
前記第１の指示情報は、能力指示情報およびリソース情報を含み、前記能力指示情報は、前記ＵＥが複数の時間−周波数リソースを用いることによって１つのリソーススケジューリング期間においてデータを前記少なくとも１つの宛先アドレスへ送信する能力を有することを、前記ネットワークデバイスに通知するために用いられ、前記リソース情報は、前記ＵＥにより前記リソーススケジューリング期間において実際に用いられ得る時間−周波数リソースの第２の最大数量を前記ネットワークデバイスに示すために用いられる、請求項５に記載の方法。
【請求項８】
前記リソース情報は、前記複数の時間−周波数リソースの数量についての情報、または前記ＵＥがＤ２Ｄデータ送信を実行するプロセスの数量についての情報である、請求項７に記載の方法。
【請求項９】
ネットワークデバイスであって、
ユーザ機器（ＵＥ）により送信された第１の指示情報およびリソース要求メッセージを受信する受信モジュールであって、前記第１の指示情報は、前記ＵＥが複数の時間−周波数リソースを用いることによって１つのリソーススケジューリング期間においてデータを少なくとも１つの宛先アドレスへ送信できることを前記ネットワークデバイスに通知するために用いられ、前記リソース要求メッセージは、前記ＵＥの複数の第１の送信されるべきデータにそれぞれ対応する第１の宛先アドレス及び第２の宛先アドレスと、それぞれの第１の送信されるべきデータのデータ量とを前記ネットワークデバイスに示すために用いられ、前記第１の送信されるべきデータは、少なくとも１つの第２の送信されるべきデータを含み、前記第１の宛先アドレスは前記第２の宛先アドレスと異なる、受信モジュールと、
前記受信モジュールにより受信された前記第１の指示情報および前記リソース要求メッセージに従って、前記ＵＥにより前記リソーススケジューリング期間において少なくとも２つの第２の送信されるべきデータを送信するために用いられる時間−周波数リソースを前記ＵＥに割り当てる処理モジュールであって、前記少なくとも２つの第２の送信されるべきデータは、前記第１の宛先アドレス及び前記第２の宛先アドレスにそれぞれ対応する、処理モジュールと
を備えるネットワークデバイス。
【請求項１０】
前記第１の指示情報は、能力指示情報であり、前記能力指示情報は、前記ＵＥが複数の時間−周波数リソースを用いることによって１つのリソーススケジューリング期間においてデータを前記少なくとも１つの宛先アドレスへ送信する能力を有することを前記ネットワークデバイスに通知するために、かつ、前記ネットワークデバイスに、前記能力指示情報に従って、前記ＵＥにより前記リソーススケジューリング期間において用いられ得る時間−周波数リソースの予め設定された第１の最大数量を取得するよう命令するために用いられる、請求項９に記載のネットワークデバイス。
【請求項１１】
前記第１の指示情報は、能力指示情報およびリソース情報を含み、前記能力指示情報は、前記ＵＥが複数の時間−周波数リソースを用いることによって１つのリソーススケジューリング期間においてデータを前記少なくとも１つの宛先アドレスへ送信する能力を有することを前記ネットワークデバイスに通知するために用いられ、前記リソース情報は、前記ＵＥにより前記リソーススケジューリング期間において実際に用いられ得る時間−周波数リソースの第２の最大数量を前記ネットワークデバイスに示すために用いられる、請求項９に記載のネットワークデバイス。
【請求項１２】
前記リソース情報は、前記複数の時間−周波数リソースの数量についての情報、または前記ＵＥがＤ２Ｄデータ送信を実行するプロセスの数量についての情報である、請求項１１に記載のネットワークデバイス。
【請求項１３】
ユーザ機器であって、
第１の指示情報およびリソース要求メッセージをネットワークデバイスへ送信する送信モジュールであって、前記第１の指示情報は、前記ユーザ機器（ＵＥ）が複数の時間−周波数リソースを用いることによって１つのリソーススケジューリング期間においてデータを少なくとも１つの宛先アドレスへ送信できることを、前記ネットワークデバイスに通知するために用いられ、前記リソース要求メッセージは、前記ＵＥの複数の第１の送信されるべきデータにそれぞれ対応する第１の宛先アドレス及び第２の宛先アドレスと、それぞれの第１の送信されるべきデータのデータ量とを前記ネットワークデバイスに示すために、かつ、前記ネットワークデバイスに、前記第１の指示情報と前記リソース要求メッセージとに従って、前記ＵＥにより前記リソーススケジューリング期間において少なくとも２つの第２の送信されるべきデータを送信するために用いられる時間−周波数リソースを前記ＵＥに割り当てるよう命令するために用いられ、前記第１の送信されるべきデータは、少なくとも１つの第２の送信されるべきデータを含み、前記第１の宛先アドレスは前記第２の宛先アドレスと異なる、送信モジュールと、
前記ネットワークデバイスにより割り当てられた前記時間−周波数リソースを受信する受信モジュールと、
前記受信モジュールにより受信された前記時間−周波数リソースと、前記複数の第１の送信されるべきデータにそれぞれ対応する前記第１の宛先アドレス及び前記第２の宛先アドレスとに従って、前記送信モジュールに、前記リソーススケジューリング期間において前記少なくとも２つの第２の送信されるべきデータを送信するよう命令する処理モジュールであって、前記少なくとも２つの第２の送信されるべきデータは、前記第１の宛先アドレス及び前記第２の宛先アドレスにそれぞれ対応する、処理モジュールと
を備えるユーザ機器。
【請求項１４】
前記第１の指示情報は、能力指示情報であり、前記能力指示情報は、前記ＵＥが複数の時間−周波数リソースを用いることによって１つのリソーススケジューリング期間においてデータを前記少なくとも１つの宛先アドレスへ送信する能力を有することを、前記ネットワークデバイスに通知するために、かつ、前記ネットワークデバイスに、前記能力指示情報に従って、前記ＵＥにより前記リソーススケジューリング期間において用いられ得る時間−周波数リソースの予め設定された第１の最大数量を取得するよう命令するために用いられる、請求項１３に記載のユーザ機器。
【請求項１５】
前記第１の指示情報は、能力指示情報およびリソース情報を含み、前記能力指示情報は、前記ＵＥが複数の時間−周波数リソースを用いることによって１つのリソーススケジューリング期間においてデータを前記少なくとも１つの宛先アドレスへ送信する能力を有することを前記ネットワークデバイスに通知するために用いられ、前記リソース情報は、前記ＵＥにより前記リソーススケジューリング期間において実際に用いられ得る時間−周波数リソースの第２の最大数量を前記ネットワークデバイスに示すために用いられる、請求項１３に記載のユーザ機器。
【請求項１６】
請求項１から８のいずれか一項に記載の方法をコンピュータに実行させるためのプログラム。
【発明の詳細な説明】
【技術分野】
【０００１】
本願発明の実施形態は、通信技術に関し、特に、データ送信方法、ユーザ機器、およびネットワークデバイスに関する。
【背景技術】
【０００２】
デバイスツーデバイス（Ｄｅｖｉｃｅ  ｔｏ  Ｄｅｖｉｃｅ、略してＤ２Ｄ）通信技術とは、ユーザ機器が互いに直接通信できる技術である。Ｄ２Ｄ通信技術は、セルラ通信技術と異なり、ユーザ機器がＤ２Ｄ通信技術を用いて互いに通信する場合、ユーザ機器間のデータは、基地局により伝送される必要がないが、ユーザ機器間のエアインタフェースを用いて直接伝送され、これにより、ネットワーク転送遅延を低減し、ネットワークカバレッジの制限を突破する。
【０００３】
Ｄ２Ｄ通信技術を用いて通信を実行するユーザ機器（Ｕｓｅｒ  Ｅｑｕｉｐｍｅｎｔ、略してＵＥ）は、Ｄ２Ｄ  ＵＥと称される。Ｄ２Ｄ  ＵＥは、セルラネットワークにおいて基地局と通信できるのみならず、Ｄ２Ｄ通信を実行することもできる。Ｄ２Ｄ  ＵＥによりＤ２Ｄ通信を実行するために用いられる時間−周波数リソースは、セルラネットワークにおける基地局によりスケジューリングされ得る。
【０００４】
従来技術において、基地局がＤ２Ｄ  ＵＥの時間−周波数リソースをスケジューリングする場合、基地局は、各リソーススケジューリング期間において、Ｄ２Ｄ  ＵＥに対して１つの時間−周波数リソースのみをスケジューリングする。１つの時間−周波数リソースはデータを１つの宛先アドレスのみに送信するためにしか用いられ得ないので、Ｄ２Ｄ  ＵＥは、各リソーススケジューリング期間において、データを１つの宛先アドレスのみにしか送信できない。Ｄ２Ｄ  ＵＥがＤ２Ｄデータを新たな宛先アドレスへ送信する必要がある場合、Ｄ２Ｄ  ＵＥは、次のリソーススケジューリング期間までＤ２Ｄデータを送信できない。
【０００５】
従って、従来技術において、Ｄ２Ｄ  ＵＥが複数のＤ２Ｄデータを送信する場合、遅延が比較的大きく、Ｄ２Ｄ  ＵＥのデータ送信効率が比較的低い。
【発明の概要】
【０００６】
本願発明の実施形態は、データ送信方法、ユーザ機器、およびネットワークデバイスを提供し、Ｄ２Ｄ  ＵＥが複数のＤ２Ｄデータを送信する場合のＤ２Ｄ  ＵＥの比較的大きい遅延および比較的低いデータ送信効率という従来技術の技術的課題を解決する。
【０００７】
第１の態様によれば、本願発明の実施形態は、データ送信方法を提供し、該方法は、ネットワークデバイスが、ユーザ機器ＵＥにより送信された第１の指示情報およびリソース要求メッセージを受信する段階であって、第１の指示情報は、ＵＥが複数の時間−周波数リソースを用いることによって１つのリソーススケジューリング期間においてデータを少なくとも１つの宛先アドレスへ送信できることを、ネットワークデバイスに通知するために用いられ、リソース要求メッセージは、ＵＥの複数の第１の送信されるべきデータにそれぞれ対応する宛先アドレスと、それぞれの第１の送信されるべきデータのデータ量とをネットワークデバイスに示すために用いられ、第１の送信されるべきデータは、少なくとも１つの第２の送信されるべきデータを含む、段階と、ネットワークデバイスが、第１の指示情報とリソース要求メッセージとに従って、ＵＥによりリソーススケジューリング期間において少なくとも２つの第２の送信されるべきデータを送信するために用いられる時間−周波数リソースをＵＥに割り当てる段階とを備える。
【０００８】
第１の態様に関連して、第１の態様の第１の可能な実装方式において、第１の指示情報は、能力指示情報であり、能力指示情報は、ＵＥが複数の時間−周波数リソースを用いることによって１つのリソーススケジューリング期間においてデータを少なくとも１つの宛先アドレスへ送信する能力を有することをネットワークデバイスに通知するために、かつ、ネットワークデバイスに、能力指示情報に従って、ＵＥによりリソーススケジューリング期間において用いられ得る時間−周波数リソースの予め設定された第１の最大数量を取得するよう命令するために用いられる。
【０００９】
第１の態様または第１の態様の第１の可能な実装方式に関連して、第１の態様の第２の可能な実装方式において、ネットワークデバイスが、第１の指示情報とリソース要求メッセージとに従って、ＵＥによりリソーススケジューリング期間において少なくとも２つの第２の送信されるべきデータを送信するために用いられる時間−周波数リソースをＵＥに割り当てる段階は具体的に、ネットワークデバイスが、能力指示情報に従って、ＵＥによりリソーススケジューリング期間において用いられ得る時間−周波数リソースの予め設定された第１の最大数量を取得する段階と、ネットワークデバイスが、第１の最大数量、および複数の第１の送信されるべきデータにそれぞれ対応する宛先アドレスの数量のうちの最小値と、それぞれの第１の送信されるべきデータのデータ量とに従って、ＵＥによりリソーススケジューリング期間において少なくとも２つの第２の送信されるべきデータを送信するために用いられる時間−周波数リソースをＵＥに割り当てる段階とを含む。
【００１０】
第１の態様に関連して、第１の態様の第３の可能な実装方式において、第１の指示情報は、リソース情報であり、リソース情報は、ＵＥによりリソーススケジューリング期間において実際に用いられ得る時間−周波数リソースの第２の最大数量をネットワークデバイスに示すために用いられ、第２の最大数量は１より大きい。
【００１１】
第１の態様に関連して、第１の態様の第４の可能な実装方式において、第１の指示情報は、能力指示情報およびリソース情報を含み、能力指示情報は、ＵＥが複数の時間−周波数リソースを用いることによって１つのリソーススケジューリング期間においてデータを少なくとも１つの宛先アドレスへ送信する能力を有することを、ネットワークデバイスに通知するために用いられ、リソース情報は、ＵＥによりリソーススケジューリング期間において実際に用いられ得る時間−周波数リソースの第２の最大数量をネットワークデバイスに示すために用いられる。
【００１２】
第１の態様から第１の態様の第４の可能な実装方式のうちのいずれか１つに関連して、第１の態様の第５の可能な実装方式において、リソース情報は、複数の時間−周波数リソースの数量についての情報、またはＵＥがＤ２Ｄデータ送信を実行するプロセスの数量についての情報である。
【００１３】
第１の態様から第１の態様の第５の可能な実装方式のうちのいずれか１つに関連して、第１の態様の第６の可能な実装方式において、ネットワークデバイスが、第１の指示情報とリソース要求メッセージとに従って、ＵＥによりリソーススケジューリング期間において少なくとも２つの第２の送信されるべきデータを送信するために用いられる時間−周波数リソースをＵＥに割り当てる段階は具体的に、ネットワークデバイスが、第２の最大数量、および複数の第１の送信されるべきデータにそれぞれ対応する宛先アドレスの数量のうちの最小値と、それぞれの第１の送信されるべきデータのデータ量とに従って、ＵＥによりリソーススケジューリング期間において少なくとも２つの第２の送信されるべきデータを送信するために用いられる時間−周波数リソースをＵＥに割り当てる段階を含む。
【００１４】
第１の態様から第１の態様の第６の可能な実装方式のうちのいずれか１つに関連して、第１の態様の第７の可能な実装方式において、リソース要求メッセージは、第１の指示情報を保持する。
【００１５】
第１の態様に関連して、第１の態様の第８の可能な実装方式において、ネットワークデバイスが、第１の指示情報とリソース要求メッセージとに従って、ＵＥによりリソーススケジューリング期間において少なくとも２つの第２の送信されるべきデータを送信するために用いられる時間−周波数リソースをＵＥに割り当てる段階は具体的に、ネットワークデバイスが、第１の指示情報とリソース要求メッセージとに従って、第２の指示情報をＵＥへ送信し、かつ、ＵＥによりリソーススケジューリング期間において少なくとも２つの第２の送信されるべきデータを送信するために用いられる時間−周波数リソースをＵＥに割り当てる段階を含み、ここで、第２の指示情報は、ネットワークデバイスによりＵＥに割り当てられた時間−周波数リソースと、第１の宛先アドレスとの間のマッピング関係をＵＥに示すために用いられる。
【００１６】
第２の態様によれば、本願発明の実施形態は、データ送信方法を提供し、該方法は、ユーザ機器ＵＥが、第１の指示情報およびリソース要求メッセージをネットワークデバイスへ送信する段階であって、第１の指示情報は、ＵＥが複数の時間−周波数リソースを用いることによって１つのリソーススケジューリング期間においてデータを少なくとも１つの宛先アドレスへ送信できることを、ネットワークデバイスに通知するために用いられ、リソース要求メッセージは、ＵＥの複数の第１の送信されるべきデータにそれぞれ対応する宛先アドレスと、それぞれの第１の送信されるべきデータのデータ量とをネットワークデバイスに示すために、かつ、ネットワークデバイスに、第１の指示情報とリソース要求メッセージとに従って、ＵＥによりリソーススケジューリング期間において少なくとも２つの第２の送信されるべきデータを送信するために用いられる時間−周波数リソースをＵＥに割り当てるよう命令するために用いられ、第１の送信されるべきデータは、少なくとも１つの第２の送信されるべきデータを含む、段階と、ＵＥが、ネットワークデバイスにより割り当てられた時間−周波数リソースを受信し、かつ、時間−周波数リソースと、複数の第１の送信されるべきデータにそれぞれ対応する宛先アドレスとに従って、リソーススケジューリング期間において少なくとも２つの第２の送信されるべきデータを送信する段階とを備える。
【００１７】
第２の態様に関連して、第２の態様の第１の可能な実装方式において、第１の指示情報は、能力指示情報であり、能力指示情報は、ＵＥが複数の時間−周波数リソースを用いることによって１つのリソーススケジューリング期間においてデータを少なくとも１つの宛先アドレスへ送信する能力を有することを、ネットワークデバイスに通知するために、かつ、ネットワークデバイスに、能力指示情報に従って、ＵＥによりリソーススケジューリング期間において用いられ得る時間−周波数リソースの予め設定された第１の最大数量を取得するよう命令するために用いられる。
【００１８】
第２の態様に関連して、第２の態様の第２の可能な実装方式において、第１の指示情報は、リソース情報であり、リソース情報は、ＵＥによりリソーススケジューリング期間において実際に用いられ得る時間−周波数リソースの第２の最大数量をネットワークデバイスに示すために用いられ、第２の最大数量は、１より大きい。
【００１９】
第２の態様に関連して、第２の態様の第３の可能な実装方式において、第１の指示情報は、能力指示情報およびリソース情報を含み、ここで、能力指示情報は、ＵＥが複数の時間−周波数リソースを用いることによって１つのリソーススケジューリング期間においてデータを少なくとも１つの宛先アドレスへ送信する能力を有することを、ネットワークデバイスに通知するために用いられ、リソース情報は、ＵＥによりリソーススケジューリング期間において実際に用いられ得る時間−周波数リソースの第２の最大数量をネットワークデバイスに示すために用いられる。
【００２０】
第２の態様から第２の態様の第３の可能な実装方式のうちのいずれか１つに関連して、第２の態様の第４の可能な実装方式において、リソース情報は、複数の時間−周波数リソースの数量についての情報、またはＵＥがＤ２Ｄデータ送信を実行するプロセスの数量についての情報である。
【００２１】
第２の態様から第２の態様の第４の可能な実装方式のうちのいずれか１つに関連して、第２の態様の第５の可能な実装方式において、それぞれの第２の送信されるべきデータは、異なる宛先アドレスに対応する。
【００２２】
第２の態様または第２の態様の第１の可能な実装方式に関連して、第２の態様の第６の可能な実装方式において、時間−周波数リソースの数量が、ＵＥによりリソーススケジューリング期間において実際に用いられ得る時間−周波数リソースの第２の最大数量より大きい場合、ＵＥがネットワークデバイスにより割り当てられた時間−周波数リソースを受信し、かつ、時間−周波数リソースと複数の第１の送信されるべきデータにそれぞれ対応する宛先アドレスとに従って、リソーススケジューリング期間において少なくとも２つの第２の送信されるべきデータを送信する段階は具体的に、ＵＥが、ネットワークデバイスにより割り当てられた時間−周波数リソースを受信し、かつ、ネットワークデバイスが時間−周波数リソースを割り当てるシーケンスと、第２の最大数量とに従って、時間−周波数リソースから第１の時間−周波数リソースを選択する段階と、ＵＥが、複数の第１の送信されるべきデータにそれぞれ対応する宛先アドレスに従って、第１の時間−周波数リソース上で少なくとも２つの第２の送信されるべきデータを送信する段階とを含む。
【００２３】
第２の態様から第２の態様の第６の可能な実装方式のうちのいずれか１つに関連して、第２の態様の第７の可能な実装方式において、リソース要求メッセージは、第１の指示情報を保持する。
【００２４】
第２の態様に関連して、第２の態様の第８の可能な実装方式において、ＵＥが、ネットワークデバイスにより割り当てられた時間−周波数リソースを受信し、かつ、時間−周波数リソースと、複数の第１の送信されるべきデータにそれぞれ対応する宛先アドレスとに従って、リソーススケジューリング期間において少なくとも２つの第２の送信されるべきデータを送信する段階は具体的に、ＵＥが、ネットワークデバイスにより割り当てられた時間−周波数リソースと第２の指示情報とを受信し、かつ、時間−周波数リソースと、複数の第１の送信されるべきデータにそれぞれ対応する宛先アドレスと、第２の指示情報とに従って、リソーススケジューリング期間において少なくとも２つの第２の送信されるべきデータを送信する段階を含み、ここで、第２の指示情報は、ネットワークデバイスによりＵＥに割り当てられた時間−周波数リソースと、第１の宛先アドレスとの間のマッピング関係をＵＥに示すために用いられる。
【００２５】
第３の態様によれば、本願発明の実施形態は、データ送信方法を提供し、該方法は、ネットワークデバイスが、ユーザ機器ＵＥにより送信されたリソース要求メッセージを受信する段階であって、リソース要求メッセージは、ＵＥの第１の宛先アドレスと、第１の宛先アドレスに対応する送信されるべきデータのデータ量とをネットワークデバイスに示すために用いられる、段階と、ネットワークデバイスが、予め設定された条件に従って、第１の宛先アドレスに対応するスケジューリング時間および／または周波数リソースを判定する段階と、ネットワークデバイスが、第１の宛先アドレスに対応する判定されたスケジューリング時間においておよび／または第１の宛先アドレスに対応する判定された周波数リソース上で、スケジューリング情報をＵＥへ送信する段階であって、スケジューリング情報は、ＵＥの第１の宛先アドレスに対応する送信されるべきデータの時間−周波数リソースをＵＥに示すために用いられる、段階とを備える。
【００２６】
第３の態様に関連して、第３の態様の第１の可能な実装方式において、予め設定された条件は、第１の宛先アドレスと、スケジューリング時間および／または周波数リソースとの間のマッピング関係を含む。
【００２７】
第３の態様または第３の態様の第１の可能な実装方式に関連して、第３の態様の第２の可能な実装方式において、ネットワークデバイスが、第１の宛先アドレスに対応する判定されたスケジューリング時間においておよび／または第１の宛先アドレスに対応する判定された周波数リソース上で、スケジューリング情報を送信する段階の前に、方法はさらに、ネットワークデバイスが、第２の指示情報をＵＥへ送信する段階を備え、ここで、第２の指示情報は、第１の宛先アドレスと、スケジューリング時間および／または周波数リソースとの間のマッピング関係をＵＥに示すために用いられる。
【００２８】
第４の態様によれば、本願発明の実施形態は、データ送信方法を提供し、該方法は、ユーザ機器ＵＥが、リソース要求メッセージをネットワークデバイスへ送信する段階であって、リソース要求メッセージは、ＵＥの第１の宛先アドレスと、第１の宛先アドレスに対応する送信されるべきデータのデータ量とをネットワークデバイスに示すために用いられる、段階と、ＵＥが、ネットワークデバイスにより送信されたスケジューリング情報を受信し、かつ、スケジューリング情報と予め設定された条件とに従って、リソーススケジューリング期間において第１の宛先アドレスに対応する送信されるべきデータを送信する段階であって、スケジューリング情報は、ＵＥの第１の宛先アドレスに対応する送信されるべきデータの時間−周波数リソースをＵＥに示すために用いられる、段階とを備える。
【００２９】
第４の態様に関連して、第４の態様の第１の可能な実装方式において、予め設定された条件は、第１の宛先アドレスと、スケジューリング時間および／または周波数リソースとの間のマッピング関係を含む。
【００３０】
第４の態様または第４の態様の第１の可能な実装方式に関連して、第４の態様の第２の可能な実装方式において、ＵＥがネットワークデバイスにより送信されたスケジューリング情報を受信する段階の前に、方法はさらに、ＵＥが、ネットワークデバイスにより送信された第２の指示情報を受信する段階を備え、ここで、第２の指示情報は、第１の宛先アドレスと、スケジューリング時間および／または周波数リソースとの間のマッピング関係をＵＥに示すために用いられる。
【００３１】
第５の態様によれば、本願発明の実施形態は、ネットワークデバイスを提供し、該ネットワークデバイスは、ユーザ機器ＵＥにより送信された第１の指示情報およびリソース要求メッセージを受信するよう構成される受信モジュールであって、第１の指示情報は、ＵＥが複数の時間−周波数リソースを用いることによって１つのリソーススケジューリング期間においてデータを少なくとも１つの宛先アドレスへ送信できることを、ネットワークデバイスに通知するために用いられ、リソース要求メッセージは、ＵＥの複数の第１の送信されるべきデータにそれぞれ対応する宛先アドレスと、それぞれの第１の送信されるべきデータのデータ量とをネットワークデバイスに示すために用いられ、第１の送信されるべきデータは、少なくとも１つの第２の送信されるべきデータを含む、受信モジュールと、受信モジュールにより受信された第１の指示情報およびリソース要求メッセージに従って、ＵＥによりリソーススケジューリング期間において少なくとも２つの第２の送信されるべきデータを送信するために用いられる時間−周波数リソースをＵＥに割り当てるよう構成される処理モジュールとを備える。
【００３２】
第５の態様に関連して、第５の態様の第１の可能な実装方式において、第１の指示情報は、能力指示情報であり、能力指示情報は、ＵＥが複数の時間−周波数リソースを用いることによって１つのリソーススケジューリング期間においてデータを少なくとも１つの宛先アドレスへ送信する能力を有することを、ネットワークデバイスに通知するために、かつ、ネットワークデバイスに、能力指示情報に従って、ＵＥによりリソーススケジューリング期間において用いられ得る時間−周波数リソースの予め設定された第１の最大数量を取得するよう命令するために用いられる。
【００３３】
第５の態様または第５の態様の第１の可能な実装方式に関連して、第５の態様の第２の可能な実装方式において、処理モジュールは具体的に、能力指示情報に従って、ＵＥによりリソーススケジューリング期間において用いられ得る時間−周波数リソースの予め設定された第１の最大数量を取得し、第１の最大数量、および複数の第１の送信されるべきデータにそれぞれ対応する宛先アドレスの数量のうちの最小値と、それぞれの第１の送信されるべきデータのデータ量とに従って、ＵＥによりリソーススケジューリング期間において少なくとも２つの第２の送信されるべきデータを送信するために用いられる時間−周波数リソースをＵＥに割り当てるよう構成される。
【００３４】
第５の態様に関連して、第５の態様の第３の可能な実装方式において、第１の指示情報は、リソース情報であり、リソース情報は、ＵＥによりリソーススケジューリング期間において実際に用いられ得る時間−周波数リソースの第２の最大数量をネットワークデバイスに示すために用いられ、第２の最大数量は、１より大きい。
【００３５】
第５の態様に関連して、第５の態様の第４の可能な実装方式において、第１の指示情報は、能力指示情報およびリソース情報を含み、ここで、能力指示情報は、ＵＥが複数の時間−周波数リソースを用いることによって１つのリソーススケジューリング期間においてデータを少なくとも１つの宛先アドレスへ送信する能力を有することを、ネットワークデバイスに通知するために用いられ、リソース情報は、ＵＥによりリソーススケジューリング期間において実際に用いられ得る時間−周波数リソースの第２の最大数量をネットワークデバイスに示すために用いられる。
【００３６】
第５の態様から第５の態様の第４の可能な実装方式のうちのいずれか１つに関連して、第５の態様の第５の可能な実装方式において、リソース情報は、複数の時間−周波数リソースの数量についての情報、またはＵＥがＤ２Ｄデータ送信を実行するプロセスの数量についての情報である。
【００３７】
第５の態様から第５の態様の第５の可能な実装方式のうちのいずれか１つに関連して、第５の態様の第６の可能な実装方式において、処理モジュールは具体的に、第２の最大数量、および複数の第１の送信されるべきデータにそれぞれ対応する宛先アドレスの数量のうちの最小値と、それぞれの第１の送信されるべきデータのデータ量とに従って、ＵＥによりリソーススケジューリング期間において少なくとも２つの第２の送信されるべきデータを送信するために用いられる時間−周波数リソースをＵＥに割り当てるよう構成される。
【００３８】
第５の態様から第５の態様の第６の可能な実装方式のうちのいずれか１つに関連して、第５の態様の第７の可能な実装方式において、リソース要求メッセージは、第１の指示情報を保持する。
【００３９】
第５の態様に関連して、第５の態様の第８の可能な実装方式において、ネットワークデバイスはさらに、送信モジュールを備え、処理モジュールは具体的に、第１の指示情報とリソース要求メッセージとに従って、送信モジュールに、第２の指示情報をＵＥへ送信するよう命令し、かつ、ＵＥによりリソーススケジューリング期間において少なくとも２つの第２の送信されるべきデータを送信するために用いられる時間−周波数リソースをＵＥに割り当てるよう構成され、ここで、第２の指示情報は、ネットワークデバイスによりＵＥに割り当てられた時間−周波数リソースと、第１の宛先アドレスとの間のマッピング関係をＵＥに示すために用いられる。
【００４０】
第６の態様によれば、本願発明の実施形態は、ユーザ機器を提供し、該ユーザ機器は、リソース要求メッセージおよび第１の指示情報をネットワークデバイスへ送信するよう構成される送信モジュールであって、第１の指示情報は、ユーザ機器ＵＥが、複数の時間−周波数リソースを用いることによって１つのリソーススケジューリング期間においてデータを少なくとも１つの宛先アドレスへ送信できることをネットワークデバイスに通知するために用いられ、リソース要求メッセージは、ＵＥの複数の第１の送信されるべきデータにそれぞれ対応する宛先アドレスと、それぞれの第１の送信されるべきデータのデータ量とをネットワークデバイスに示すために、かつ、ネットワークデバイスに、第１の指示情報とリソース要求メッセージとに従って、ＵＥによりリソーススケジューリング期間において少なくとも２つの第２の送信されるべきデータを送信するために用いられる時間−周波数リソースをＵＥに割り当てるよう命令するために用いられ、第１の送信されるべきデータは、少なくとも１つの第２の送信されるべきデータを含む、送信モジュールと、ネットワークデバイスにより割り当てられた時間−周波数リソースを受信するよう構成される受信モジュールと、受信モジュールにより受信された時間−周波数リソースと、複数の第１の送信されるべきデータにそれぞれ対応する宛先アドレスとに従って、送信モジュールに、リソーススケジューリング期間において少なくとも２つの第２の送信されるべきデータを送信するよう命令するよう構成される処理モジュールとを備える。
【００４１】
第６の態様に関連して、第６の態様の第１の可能な実装方式において、第１の指示情報は、能力指示情報であり、能力指示情報は、ＵＥが、複数の時間−周波数リソースを用いることによって１つのリソーススケジューリング期間においてデータを少なくとも１つの宛先アドレスへ送信する能力を有することをネットワークデバイスに通知するために、かつ、ネットワークデバイスに、能力指示情報に従って、ＵＥによりリソーススケジューリング期間において用いられ得る時間−周波数リソースの予め設定された第１の最大数量を取得するよう命令するために用いられる。
【００４２】
第６の態様に関連して、第６の態様の第２の可能な実装方式において、第１の指示情報は、リソース情報であり、リソース情報は、リソーススケジューリング期間においてＵＥに実際に用いられ得る時間−周波数リソースの第２の最大数量をネットワークデバイスに示すために用いられ、第２の最大数量は、１より大きい。
【００４３】
第６の態様に関連して、第６の態様の第３の可能な実装方式において、第１の指示情報は、能力指示情報およびリソース情報を含み、ここで、能力指示情報は、ＵＥが、複数の時間−周波数リソースを用いることによって１つのリソーススケジューリング期間においてデータを少なくとも１つの宛先アドレスへ送信する能力を有することをネットワークデバイスに通知するために用いられ、リソース情報は、ＵＥによりリソーススケジューリング期間において実際に用いられ得る時間−周波数リソースの第２の最大数量をネットワークデバイスに示すために用いられる。
【００４４】
第６の態様から第６の態様の第３の可能な実装方式のうちのいずれか１つに関連して、第６の態様の第４の可能な実装方式において、リソース情報は、複数の時間−周波数リソースの数量についての情報、またはＵＥがＤ２Ｄデータ送信を実行するプロセスの数量についての情報である。
【００４５】
第６の態様から第６の態様の第４の可能な実装方式のうちのいずれか１つに関連して、第６の態様の第５の可能な実装方式において、それぞれの第２の送信されるべきデータは、異なる宛先アドレスに対応する。
【００４６】
第６の態様または第６の態様の第１の可能な実装方式に関連して、第６の態様の第６の可能な実装方式において、時間−周波数リソースの数量が、リソーススケジューリング期間においてＵＥに実際に用いられ得る時間−周波数リソースの第２の最大数量より大きい場合、処理モジュールは具体的に、ネットワークデバイスが時間−周波数リソースを割り当てるシーケンスと、第２の最大数量とに従って、時間−周波数リソースから第１の時間−周波数リソースを選択し、かつ、複数の第１の送信されるべきデータにそれぞれ対応する宛先アドレスに従って、送信モジュールに、第１の時間−周波数リソース上で少なくとも２つの第２の送信されるべきデータを送信するよう命令するよう構成される。
【００４７】
第６の態様から第６の態様の第６の可能な実装方式のいずれか１つに関連して、第６の態様の第７の可能な実装方式において、リソース要求メッセージは、第１の指示情報を保持する。
【００４８】
第６の態様に関連して、第６の態様の第８の可能な実装方式において、受信モジュールはさらに、第２の指示情報を受信するよう構成され、処理モジュールは具体的に、時間−周波数リソースと、第２の指示情報と、複数の第１の送信されるべきデータにそれぞれ対応する宛先アドレスとに従って、送信モジュールに、リソーススケジューリング期間において少なくとも２つの第２の送信されるべきデータを送信するよう命令するよう構成され、ここで、第２の指示情報は、ネットワークデバイスによりＵＥに割り当てられた時間−周波数リソースと、第１の宛先アドレスとの間のマッピング関係をＵＥに示すために用いられる。
【００４９】
第７の態様によれば、本願発明の実施形態は、ネットワークデバイスを提供し、ここで、ネットワークデバイスは、ユーザ機器ＵＥにより送信されたリソース要求メッセージを受信するよう構成される受信モジュールであって、リソース要求メッセージは、ＵＥの第１の宛先アドレスと、第１の宛先アドレスに対応する送信されるべきデータのデータ量とをネットワークデバイスに示すために用いられる、受信モジュールと、予め設定された条件に従って、受信モジュールにより受信された第１の宛先アドレスに対応するスケジューリング時間および／または周波数リソースを判定し、かつ、送信モジュールに、第１の宛先アドレスに対応する判定されたスケジューリング時間においておよび／または第１の宛先アドレスに対応する判定された周波数リソース上で、スケジューリング情報をＵＥへ送信するよう命令するよう構成される処理モジュールであって、スケジューリング情報は、ＵＥの第１の宛先アドレスに対応する送信されるべきデータの時間−周波数リソースをＵＥに示すために用いられる、処理モジュールと、第１の宛先アドレスに対応し、かつ、処理モジュールにより判定されたスケジューリング時間および／または周波数リソースに従って、第１の宛先アドレスに対応する判定されたスケジューリング時間においておよび／または第１の宛先アドレスに対応する判定された周波数リソース上で、スケジューリング情報をＵＥへ送信するよう構成される送信モジュールとを備える。
【００５０】
第７の態様に関連して、第７の態様の第１の可能な実装方式において、予め設定された条件は、第１の宛先アドレスと、スケジューリング時間および／または周波数リソースとの間のマッピング関係を含む。
【００５１】
第７の態様または第７の態様の第１の可能な実装方式に関連して、第７の態様の第２の可能な実装方式において、送信モジュールはさらに、第１の宛先アドレスに対応する判定されたスケジューリング時間においておよび／または第１の宛先アドレスに対応する判定された周波数リソース上で、スケジューリング情報を送信する前に、第２の指示情報をＵＥへ送信するよう構成され、ここで、第２の指示情報は、第１の宛先アドレスと、スケジューリング時間および／または周波数リソースとの間のマッピング関係をＵＥに示すために用いられる。
【００５２】
第８の態様によれば、本願発明の実施形態は、ユーザ機器を提供し、該ユーザ機器は、リソース要求メッセージをネットワークデバイスへ送信するよう構成される送信モジュールであって、リソース要求メッセージは、ユーザ機器ＵＥの第１の宛先アドレスと、第１の宛先アドレスに対応する送信されるべきデータのデータ量とをネットワークデバイスに示すために用いられる、送信モジュールと、ネットワークデバイスにより送信されたスケジューリング情報を受信するよう構成される受信モジュールであって、スケジューリング情報は、ＵＥの第１の宛先アドレスに対応する送信されるべきデータの時間−周波数リソースをＵＥに示すために用いられる、受信モジュールとを備え、ここで、送信モジュールはさらに、受信モジュールにより受信されたスケジューリング情報と予め設定された条件とに従って、リソーススケジューリング期間において第１の宛先アドレスに対応送信されるべきデータを送信するよう構成される。
【００５３】
第８の態様に関連して、第８の態様の第１の可能な実装方式において、予め設定された条件は、第１の宛先アドレスと、スケジューリング時間および／または周波数リソースとの間のマッピング関係を含む。
【００５４】
第８の態様または第８の態様の第１の可能な実装方式に関連して、第８の態様の第２の可能な実装方式において、受信モジュールはさらに、ネットワークデバイスにより送信されたスケジューリング情報を受信する前に、ネットワークデバイスにより送信された第２の指示情報を受信するよう構成され、ここで、第２の指示情報は、第１の宛先アドレスと、スケジューリング時間および／または周波数リソースとの間のマッピング関係をＵＥに示すために用いられる。
【００５５】
第９の態様によれば、本願発明の実施形態は、ネットワークデバイスを提供し、該ネットワークデバイスは、ユーザ機器ＵＥにより送信された第１の指示情報およびリソース要求メッセージを受信するよう構成される受信機であって、第１の指示情報は、ＵＥが複数の時間−周波数リソースを用いることによって１つのリソーススケジューリング期間においてデータを少なくとも１つの宛先アドレスへ送信できることをネットワークデバイスに通知するために用いられ、リソース要求メッセージは、ＵＥの複数の第１の送信されるべきデータにそれぞれ対応する宛先アドレスと、それぞれの第１の送信されるべきデータのデータ量とをネットワークデバイスに示すために用いられ、第１の送信されるべきデータは、少なくとも１つの第２の送信されるべきデータを含む、受信機と、受信機により受信された第１の指示情報およびリソース要求メッセージに従って、ＵＥによりリソーススケジューリング期間において少なくとも２つの第２の送信されるべきデータを送信するために用いられる時間−周波数リソースをＵＥに割り当てるよう構成されるプロセッサとを備える。
【００５６】
第９の態様に関連して、第９の態様の第１の可能な実装方式において、第１の指示情報は、能力指示情報であり、能力指示情報は、ＵＥが複数の時間−周波数リソースを用いることによって１つのリソーススケジューリング期間においてデータを少なくとも１つの宛先アドレスへ送信する能力を有することを、ネットワークデバイスに通知するために、かつ、ネットワークデバイスに、能力指示情報に従って、ＵＥによりリソーススケジューリング期間において用いられ得る時間−周波数リソースの予め設定された第１の最大数量を取得するよう命令するために用いられる。
【００５７】
第９の態様または第９の態様の第１の可能な実装方式に関連して、第９の態様の第２の可能な実装方式において、プロセッサは具体的に、能力指示情報に従って、ＵＥによりリソーススケジューリング期間において用いられ得る時間−周波数リソースの予め設定された第１の最大数量を取得し、かつ、第１の最大数量、および複数の第１の送信されるべきデータにそれぞれ対応する宛先アドレスの数量のうちの最小値と、それぞれの第１の送信されるべきデータのデータ量とに従って、ＵＥによりリソーススケジューリング期間において少なくとも２つの第２の送信されるべきデータを送信するために用いられる時間−周波数リソースをＵＥに割り当てるよう構成される。
【００５８】
第９の態様に関連して、第９の態様の第３の可能な実装方式において、第１の指示情報は、リソース情報であり、リソース情報は、ＵＥによりリソーススケジューリング期間において実際に用いられ得る時間−周波数リソースの第２の最大数量をネットワークデバイスに示すために用いられ、第２の最大数量は、１より大きい。
【００５９】
第９の態様に関連して、第９の態様の第４の可能な実装方式において、第１の指示情報は、能力指示情報およびリソース情報を含み、能力指示情報は、ＵＥが複数の時間−周波数リソースを用いることによって１つのリソーススケジューリング期間においてデータを少なくとも１つの宛先アドレスへ送信する能力を有することを、ネットワークデバイスに通知するために用いられ、リソース情報は、ＵＥによりリソーススケジューリング期間において実際に用いられ得る時間−周波数リソースの第２の最大数量をネットワークデバイスに示すために用いられる。
【００６０】
第９の態様から第９の態様の第４の可能な実装方式のうちのいずれか１つに関連して、第９の態様の第５の可能な実装方式において、リソース情報は、複数の時間−周波数リソースの数量についての情報、またはＵＥがＤ２Ｄデータ送信を実行するプロセスの数量についての情報である。
【００６１】
第９の態様から第９の態様の第５の可能な実装方式のうちのいずれか１つに関連して、第９の態様の第６の可能な実装方式において、プロセッサは具体的に、第２の最大数量、および複数の第１の送信されるべきデータにそれぞれ対応する宛先アドレスの数量のうちの最小値と、それぞれの第１の送信されるべきデータのデータ量とに従って、ＵＥによりリソーススケジューリング期間において少なくとも２つの第２の送信されるべきデータを送信するために用いられる時間−周波数リソースをＵＥに割り当てるよう構成される。
【００６２】
第９の態様から第９の態様の第６の可能な実装方式のうちのいずれか１つに関連して、第９の態様の第７の可能な実装方式において、リソース要求メッセージは、第１の指示情報を保持する。
【００６３】
第９の態様に関連して、第９の態様の第８の可能な実装方式において、ネットワークデバイスはさらに、トランスミッタを備え、プロセッサは具体的に、第１の指示情報とリソース要求メッセージとに従って、トランスミッタに、第２の指示情報をＵＥへ送信するよう命令し、かつ、ＵＥによりリソーススケジューリング期間において少なくとも２つの第２の送信されるべきデータを送信するために用いられる時間−周波数リソースをＵＥに割り当てるよう構成され、ここで、第２の指示情報は、ネットワークデバイスによりＵＥに割り当てられた時間−周波数リソースと、第１の宛先アドレスとの間のマッピング関係をＵＥに示すために用いられる。
【００６４】
第１０の態様によれば、本願発明の実施形態は、ユーザ機器を提供し、該ユーザ機器は、第１の指示情報およびリソース要求メッセージをネットワークデバイスへ送信するよう構成されるトランスミッタであって、第１の指示情報は、ユーザ機器ＵＥが複数の時間−周波数リソースを用いることによって１つのリソーススケジューリング期間においてデータを少なくとも１つの宛先アドレスへ送信できることを、ネットワークデバイスに通知するために用いられ、リソース要求メッセージは、ＵＥの複数の第１の送信されるべきデータにそれぞれ対応する宛先アドレスと、それぞれの第１の送信されるべきデータのデータ量とをネットワークデバイスに示すために、かつ、ネットワークデバイスに、第１の指示情報とリソース要求メッセージとに従って、ＵＥによりリソーススケジューリング期間において少なくとも２つの第２の送信されるべきデータを送信するために用いられる時間−周波数リソースをＵＥに割り当てるよう命令するために用いられ、第１の送信されるべきデータは、少なくとも１つの第２の送信されるべきデータを含む、トランスミッタと、ネットワークデバイスにより割り当てられた時間−周波数リソースを受信するよう構成される受信機と、受信機により受信された時間−周波数リソースと、複数の第１の送信されるべきデータにそれぞれ対応する宛先アドレスとに従って、トランスミッタに、リソーススケジューリング期間において少なくとも２つの第２の送信されるべきデータを送信するよう命令するよう構成されるプロセッサとを備える。
【００６５】
第１０の態様に関連して、第１０の態様の第１の可能な実装方式において、第１の指示情報は能力指示情報であり、能力指示情報は、ＵＥが複数の時間−周波数リソースを用いることによって１つのリソーススケジューリング期間においてデータを少なくとも１つの宛先アドレスへ送信する能力を有することを、ネットワークデバイスに通知するために、かつ、ネットワークデバイスに、能力指示情報に従って、ＵＥによりリソーススケジューリング期間において用いられ得る時間−周波数リソースの予め設定された第１の最大数量を取得するよう命令するために用いられる。
【００６６】
第１０の態様に関連して、第１０の態様の第２の可能な実装方式において、第１の指示情報は、リソース情報であり、リソース情報は、ＵＥによりリソーススケジューリング期間において実際に用いられ得る時間−周波数リソースの第２の最大数量をネットワークデバイスに示すために用いられ、第２の最大数量は、１より大きい。
【００６７】
第１０の態様に関連して、第１０の態様の第３の可能な実装方式において、第１の指示情報は、能力指示情報およびリソース情報を含み、ここで、能力指示情報は、ＵＥが複数の時間−周波数リソースを用いることによって１つのリソーススケジューリング期間においてデータを少なくとも１つの宛先アドレスへ送信する能力を有することを、ネットワークデバイスに通知するために用いられ、リソース情報は、ＵＥによりリソーススケジューリング期間において実際に用いられ得る時間−周波数リソースの第２の最大数量をネットワークデバイスに示すために用いられる。
【００６８】
第１０の態様から第１０の態様の第３の可能な実装方式のうちのいずれか１つに関連して、第１０の態様の第４の可能な実装方式において、リソース情報は、複数の時間−周波数リソースの数量についての情報、またはＵＥがＤ２Ｄデータ送信を実行するプロセスの数量についての情報である。
【００６９】
第１０の態様から第１０の態様の第４の可能な実装方式のうちのいずれか１つに関連して、第１０の態様の第５の可能な実装方式において、それぞれの第２の送信されるべきデータは、異なる宛先アドレスに対応する。
【００７０】
第１０の態様または第１０の態様の第１の可能な実装方式に関連して、第１０の態様の第６の可能な実装方式において、時間−周波数リソースの数量が、ＵＥによりリソーススケジューリング期間において実際に用いられ得る時間−周波数リソースの第２の最大数量より大きい場合、プロセッサは具体的に、ネットワークデバイスが時間−周波数リソースを割り当てるシーケンスと第２の最大数量とに従って、時間−周波数リソースから第１の時間−周波数リソースを選択し、かつ、複数の第１の送信されるべきデータにそれぞれ対応する宛先アドレスに従って、トランスミッタに、第１の時間−周波数リソース上で少なくとも２つの第２の送信されるべきデータを送信するよう命令するよう構成される。
【００７１】
第１０の態様から第１０の態様の第６の可能な実装方式のいずれか１つに関連して、第１０の態様の第７の可能な実装方式において、リソース要求メッセージは、第１の指示情報を保持する。
【００７２】
第１０の態様に関連して、第１０の態様の第８の可能な実装方式において、受信機はさらに、第２の指示情報を受信するよう構成され、プロセッサは具体的に、時間−周波数リソースと、第２の指示情報と、複数の第１の送信されるべきデータにそれぞれ対応する宛先アドレスとに従って、トランスミッタに、リソーススケジューリング期間において少なくとも２つの第２の送信されるべきデータを送信するよう命令するよう構成され、ここで、第２の指示情報は、ネットワークデバイスによりＵＥに割り当てられた時間−周波数リソースと、第１の宛先アドレスとの間のマッピング関係をＵＥに示すために用いられる。
【００７３】
第１１の態様によれば、本願発明の実施形態は、ネットワークデバイスを提供し、該ネットワークデバイスは、ユーザ機器ＵＥにより送信されたリソース要求メッセージを受信するよう構成される受信機であって、リソース要求メッセージは、ＵＥの第１の宛先アドレスと、第１の宛先アドレスに対応する送信されるべきデータのデータ量とをネットワークデバイスに示すために用いられる、受信機と、予め設定された条件に従って、受信機により受信された第１の宛先アドレスに対応するスケジューリング時間および／または周波数リソースを判定し、かつ、トランスミッタに、第１の宛先アドレスに対応する判定されたスケジューリング時間においておよび／または第１の宛先アドレスに対応する判定された周波数リソース上で、スケジューリング情報をＵＥへ送信するよう命令するよう構成されるプロセッサであって、スケジューリング情報は、ＵＥの第１の宛先アドレスに対応する送信されるべきデータの時間−周波数リソースをＵＥに示すために用いられる、プロセッサと、第１の宛先アドレスに対応し、かつ、プロセッサにより判定されたスケジューリング時間および／または周波数リソースに従って、第１の宛先アドレスに対応する判定されたスケジューリング時間においておよび／または第１の宛先アドレスに対応する判定された周波数リソース上で、スケジューリング情報をＵＥへ送信するよう構成されるトランスミッタとを備える。
【００７４】
第１１の態様に関連して、第１１の態様の第１の可能な実装方式において、予め設定された条件は、第１の宛先アドレスと、スケジューリング時間および／または周波数リソースとの間のマッピング関係を含む。
【００７５】
第１１の態様または第１１の態様の第１の可能な実装方式に関連して、第１１の態様の第２の可能な実装方式において、トランスミッタはさらに、第１の宛先アドレスに対応する判定されたスケジューリング時間においておよび／または第１の宛先アドレスに対応する判定された周波数リソース上で、スケジューリング情報を送信する前に、第２の指示情報をＵＥへ送信するよう構成され、ここで、第２の指示情報は、第１の宛先アドレスと、スケジューリング時間および／または周波数リソースとの間のマッピング関係をＵＥに示すために用いられる。
【００７６】
第１２の態様によれば、本願発明の実施形態はユーザ機器を提供し、該ユーザ機器は、リソース要求メッセージをネットワークデバイスへ送信するよう構成されるトランスミッタであって、リソース要求メッセージは、ユーザ機器ＵＥの第１の宛先アドレスと、第１の宛先アドレスに対応する送信されるべきデータのデータ量とをネットワークデバイスに示すために用いられる、トランスミッタと、ネットワークデバイスにより送信されたスケジューリング情報を受信するよう構成される受信機であって、スケジューリング情報は、ＵＥの第１の宛先アドレスに対応する送信されるべきデータの時間−周波数リソースをＵＥに示すために用いられる、受信機とを備え、ここで、トランスミッタはさらに、受信機により受信されたスケジューリング情報と、予め設定された条件とに従って、リソーススケジューリング期間において第１の宛先アドレスに対応する送信されるべきデータを送信するよう構成される。
【００７７】
第１２の態様に関連して、第１２の態様の第１の可能な実装方式において、予め設定された条件は、第１の宛先アドレスと、スケジューリング時間および／または周波数リソースとの間のマッピング関係を含む。
【００７８】
第１２の態様または第１２の態様の第１の可能な実装方式に関連して、第１２の態様の第２の可能な実装方式において、受信機はさらに、ネットワークデバイスにより送信されたスケジューリング情報を受信する前に、ネットワークデバイスにより送信された第２の指示情報を受信するよう構成され、ここで、第２の指示情報は、第１の宛先アドレスと、スケジューリング時間および／または周波数リソースとの間のマッピング関係をＵＥに示すために用いられる。
【００７９】
本願発明の実施形態において提供されているデータ送信方法、ユーザ機器、ネットワークデバイスによれば、ＵＥにより送信された第１の指示情報を受信することによって、ネットワークデバイスは、ＵＥが複数の時間−周波数リソースを用いることによって１つのリソーススケジューリング期間においてデータを少なくとも１つの宛先アドレスへ送信できることを知り得る。従って、ＵＥが、リソース要求メッセージを用いることによって、ＵＥが複数の送信されるべきデータを有することをネットワークデバイスに通知する場合、ネットワークデバイスは、１つのリソーススケジューリング期間において用いられる複数の時間−周波数リソースをＵＥに割り当ててよく、これにより、ＵＥは、複数の時間−周波数リソースを用いることによって１つのリソーススケジューリング期間においてデータを送信することができ、それにより、ＵＥのデータ送信遅延が低減され、ＵＥのデータ送信効率が向上する。
【図面の簡単な説明】
【００８０】
本願発明の実施形態または従来技術における技術的解決手段をより明確に説明するために、以下では、実施形態または従来技術を説明するために必要とされる添付図面を簡潔に説明する。明らかに、以下の説明の添付図面は、いくつかの本願発明の実施形態を示しており、当業者は、創造的努力なく、これらの添付図面から、さらに他の図面を導き出し得る。
【００８１】
【図１】本発明の実施形態に係るデータ送信方法の実施形態１の概略フローチャートである。
【００８２】
【図２】本発明の実施形態に係るデータ送信方法の実施形態３の概略フローチャートである。
【００８３】
【図３】本発明の実施形態に係るデータ送信方法の実施形態４の概略フローチャートである。
【００８４】
【図４】本発明の実施形態に係るデータ送信方法の実施形態５の概略フローチャートである。
【００８５】
【図５】本発明の実施形態に係るデータ送信方法の実施形態８の概略フローチャートである。
【００８６】
【図６】本発明の実施形態に係るデータ送信方法の実施形態９の概略フローチャートである。
【００８７】
【図７】本発明の実施形態に係るデータ送信方法の実施形態１０の概略フローチャートである。
【００８８】
【図８】本願発明の実施形態に係るネットワークデバイスの実施形態１の概略構造図である。
【００８９】
【図９】本願発明の実施形態に係るネットワークデバイスの実施形態２の概略構造図である。
【００９０】
【図１０】本発明の実施形態に係るユーザ機器の実施形態１の概略構造図である。
【００９１】
【図１１】本願発明の実施形態に係るネットワークデバイスの実施形態３の概略構造図である。
【００９２】
【図１２】本発明の実施形態に係るユーザ機器の実施形態２の概略構造図である。
【００９３】
【図１３】本願発明の実施形態に係るネットワークデバイスの実施形態４の概略構造図である。
【００９４】
【図１４】本願発明の実施形態に係るネットワークデバイスの実施形態５の概略構造図である。
【００９５】
【図１５】本発明の実施形態に係るユーザ機器の実施形態３の概略構造図である。
【００９６】
【図１６】本願発明の実施形態に係るネットワークデバイスの実施形態６の概略構造図である。
【００９７】
【図１７】本発明の実施形態に係るユーザ機器の実施形態４の概略構造図である。
【発明を実施するための形態】
【００９８】
本願発明の実施形態の目的、技術的解決手段、および利点をより明確にするために、以下では、本願発明の実施形態の添付図面を参照して、本願発明の実施形態における技術的解決手段を明確に、かつ完全に説明する。明らかに、説明される実施形態は、本願発明の実施形態の一部であり、全てではない。当業者により、創造的努力なく、本願発明の実施形態に基づき、取得された他の全ての実施形態は、本願発明の保護範囲内に含まれるものとする。
【００９９】
本願発明の実施形態におけるユーザ機器、すなわち、端末は、無線端末であってよく、または、有線端末であってよい。無線端末は、ユーザに音声および／またはデータ接続を提供するデバイス、無線接続機能を有するハンドヘルドデバイス、または無線モデムに接続される別の処理デバイスを指してよい。無線端末は、無線アクセスネットワーク（ＲＡＮ、Ｒａｄｉｏ  Ａｃｃｅｓｓ  Ｎｅｔｗｏｒｋなど）を用いることによって、１つ又は複数のコアネットワークと通信してよい。無線端末は、（「セルラ」電話とも称される）移動電話などの移動端末、および移動端末を有するコンピュータであってよい。例えば、無線端末は、ポータブル型、ポケットサイズ、ハンドヘルド型、コンピュータ内蔵型、または車載型の移動装置であってよく、無線アクセスネットワークと音声および／またはデータを交換する。例えば、無線端末は、パーソナル通信サービス（ＰＣＳ）電話、コードレス電話セット、セッション開始プロトコル（ＳＩＰ）電話、無線ローカルループ（ＷＬＬ）局、またはパーソナルデジタルアシスタント（ＰＤＡ）などのデバイスであってよい。代わりに、無線端末は、システム、加入者ユニット（Ｓｕｂｓｃｒｉｂｅｒ  Ｕｎｉｔ）、加入者局（Ｓｕｂｓｃｒｉｂｅｒ  Ｓｔａｔｉｏｎ）、移動局（Ｍｏｂｉｌｅ  Ｓｔａｔｉｏｎ）、移動端末（Ｍｏｂｉｌｅ  Ｔｅｒｍｉｎａｌ）、リモート局（Ｒｅｍｏｔｅ  Ｓｔａｔｉｏｎ）、アクセスポイント（Ａｃｃｅｓｓ  Ｐｏｉｎｔ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザデバイス（Ｕｓｅｒ  Ｄｅｖｉｃｅ）、またはユーザ機器（Ｕｓｅｒ  Ｅｑｕｉｐｍｅｎｔ）と称されてよい。
【０１００】
本願発明の実施形態におけるネットワークデバイスは、例えば、基地局（例えば、アクセスポイント）などの、セルラ通信ネットワークにおける任意のデバイスであってよい。基地局は、アクセスネットワークにおける、１つ又は複数のセクタを用いることによってエアインタフェース上で無線端末と通信するデバイスであってよい。基地局は、受信された無線のフレームと、ＩＰパケットとの間の変換を実行し、無線端末とアクセスネットワークの残りの部分との間のルータとして機能するよう構成されてよい。アクセスネットワークの残りの部分は、インターネットプロトコル（ＩＰ）ネットワークを含んでよい。基地局はさらに、エアインタフェースの属性管理を調整してよい。例えば、基地局は、ＧＳＭ（登録商標）またはＣＤＭＡにおける基地トランシーバ局（ＢＴＳ）であってよく、ＷＣＤＭＡ（登録商標）におけるノードＢ（ＮｏｄｅＢ）であってよく、またはＬＴＥにおける進化型ノードＢ（Ｅｖｏｌｏｖｅｄ  ＮｏｄｅＢ、ｅＮＢ、またはｅ‐ＮｏｄｅＢ、ｅｖｏｌｕｔｉｏｎａｌ  ＮｏｄｅＢ）であってよい。このことは本願発明の実施形態において限定されない。
【０１０１】
本願発明の実施形態における方法は、デバイスツーデバイス（Ｄ２Ｄ）通信（略してＤ２Ｄ通信システム）用の通信システムに適用されてよく、ＵＥが複数のＤ２Ｄデータを送信する場合のＵＥの比較的大きい遅延および比較的低いデータ送信効率という従来技術の技術的課題を解決する。当然ながら、本願発明の実施形態における方法は、マシンツーマシン（Ｍ２Ｍ）通信用の通信システム、車々間通信のための通信システム、および同様のものにも適用されてよい。
【０１０２】
以下では、具体的な実施形態を用いて、本願発明の技術的解決手段を詳述する。以下のいくつかの具体的な実施形態は、互いに組み合わせされてよく、同じまたは同様の概念またはプロセスは、いくつかの実施形態において繰り返して説明されない場合がある。
【０１０３】
図１は、本発明の実施形態に係るデータ送信方法の実施形態１の概略フローチャートである。実施形態１は、ネットワークデバイスが、ＵＥにより送信された第１の指示情報に従って、ＵＥにより１つのリソーススケジューリング期間において用いられる時間−周波数リソースをＵＥに割り当て、これにより、ＵＥは、１つのリソーススケジューリング期間において少なくとも２つの第２の送信されるべきデータを送信できるという具体的なプロセスに関する。図１に示されているように、方法は、以下の段階を備える。
【０１０４】
Ｓ１０１：ネットワークデバイスが、ＵＥにより送信された第１の指示情報およびリソース要求メッセージを受信する段階である。ここで、第１の指示情報は、ＵＥが複数の時間−周波数リソースを用いることによって１つのリソーススケジューリング期間においてデータを少なくとも１つの宛先アドレスへ送信できることを、ネットワークデバイスに通知するために用いられ、リソース要求メッセージは、ＵＥの複数の第１の送信されるべきデータにそれぞれ対応する宛先アドレスと、それぞれの第１の送信されるべきデータのデータ量とをネットワークデバイスに示すために用いられ、第１の送信されるべきデータは、少なくとも１つの第２の送信されるべきデータを含む。
【０１０５】
具体的には、ネットワークデバイスは、Ｄ２Ｄ通信システムにおける、ＵＥによりＤ２Ｄ通信を実行するために用いられる時間−周波数リソースをＵＥに割り当てる任意のネットワークデバイスであってよく、ＵＥは、Ｄ２Ｄ通信機能を有し、複数の時間−周波数リソースを用いることによって１つのリソーススケジューリング期間においてデータを少なくとも１つの宛先アドレスへ送信できる任意のＵＥであってよい。すなわち、ＵＥは、複数の時間−周波数リソースを用いることによって１つのリソーススケジューリング期間において複数の送信されるべきデータを１つの宛先アドレスへ送信できるか、ＵＥは、複数の時間−周波数リソースを用いることによって１つのリソーススケジューリング期間において送信されるべきデータを複数の宛先アドレスへ送信できるか、または、該２つの方式は組み合わせされてよい。このことは本願発明のこの実施形態において限定されない。この実施形態において、ＵＥは、複数の第１の送信されるべきデータを送信する必要がある状態にあり、ここで、それぞれの第１の送信されるべきデータは、宛先アドレスに対応しており、各送信されるべきデータは、少なくとも１つの第２の送信されるべきデータを含む（本明細書において言及される第２の送信されるべきデータは、ＵＥにより時間−周波数リソースを用いることによって送信され得るデータである）。第１の送信されるべきデータに具体的に含まれる第２の送信されるべきデータの数量は、ＵＥが第１の送信されるべきデータを送信する場合に用いられる時間−周波数リソースの数量と、各時間−周波数リソースのサイズとに依存する。
【０１０６】
ＵＥにより送信されたリソース要求メッセージを受信する前に、または、ＵＥにより送信されたリソース要求メッセージを受信するとき、ネットワークデバイスは、ＵＥにより送信された第１の指示情報を受信してよい。第１の指示情報は、ＵＥにより能動的にネットワークデバイスへ送信されてよく、または、ＵＥがネットワークデバイスにより送信された送信能力クエリメッセージを受信した後に、ＵＥによりネットワークデバイスへ送信されてよい。ネットワークデバイスがＵＥにより送信されたリソース要求メッセージを受信するとき、ＵＥにより送信された第１の指示情報を受信する場合、任意で、ＵＥは、ネットワークデバイスへ第１の指示情報とリソース要求メッセージとを個別に送信してよく、第１の指示情報を保持するリソース要求メッセージをネットワークデバイスへ送信してよく、または、リソース要求メッセージを保持する第１の指示メッセージをネットワークデバイスへ送信してよい。
【０１０７】
ネットワークデバイスがＵＥにより送信された第１の指示情報を受信した後に、ネットワークデバイスは、第１の指示情報に従って、ＵＥが複数の時間−周波数リソースを用いることによって１つのリソーススケジューリング期間においてデータを少なくとも１つの宛先アドレスへ送信できることを知ることができる。本明細書において言及される時間−周波数リソースは、ネットワークデバイスによりＵＥへ送信されるリソースグラント（すなわち、グラントであり、該グラントは具体的にはＤ２Ｄ通信システムにおけるサイドリンクグラントであり得る）に含まれる時間−周波数リソースとして理解され得る。本明細書において言及されるリソース要求メッセージは、従来技術における時間−周波数リソースを要求するためにＵＥによりネットワークデバイスへ送信されるバッファ状態報告（Ｂｕｆｆｅｒ  Ｓｔａｔｕｓ  Ｒｅｐｏｒｔ、略してＢＳＲ）であってよい。その詳細は、この実施形態において詳述しない。
【０１０８】
この実施形態において、リソーススケジューリング期間は、従来技術におけるリソーススケジューリング（ＳＡ）期間であってよく、または、従来技術における、ＳＡ情報を保持するサイドリンク制御（ＳＣ）期間であってよいことに留意すべきである。
【０１０９】
Ｓ１０２：ネットワークデバイスが、第１の指示情報とリソース要求メッセージとに従って、ＵＥにより１つのリソーススケジューリング期間において少なくとも２つの第２の送信されるべきデータを送信するために用いられる時間−周波数リソースをＵＥに割り当てる段階である。
【０１１０】
具体的には、ネットワークデバイスが、第１の指示情報に従って、ＵＥが複数の時間−周波数リソースを用いることによって１つのリソーススケジューリング期間においてデータを少なくとも１つの宛先アドレスへ送信できることを知った後に、ネットワークデバイスは、複数の第１の送信されるべきデータにそれぞれ対応する宛先アドレスと、リソース要求メッセージにおいて保持されているそれぞれの第１の送信されるべきデータのデータ量とに従って、ＵＥにより１つのリソーススケジューリング期間において少なくとも２つの第２の送信されるべきデータを送信するために用いられる時間−周波数リソースをＵＥに割り当ててよく、すなわち、１つのリソーススケジューリング期間において用いられ得る少なくとも２つのグラントをＵＥへ送信してよく、これにより、ＵＥは、少なくとも２つの時間−周波数リソースを用いることによって、１つのリソーススケジューリング期間において少なくとも２つの第２の送信されるべきデータを送信することができる。
【０１１１】
任意で、ネットワークデバイスは、複数の第１の送信されるべきデータにそれぞれ対応する宛先アドレスの数量に従って、１つのリソーススケジューリング期間において用いられ得て、かつ数量が複数の第１の送信されるべきデータにそれぞれ対応する宛先アドレスの数量以下である複数の時間−周波数リソースをＵＥに割り当ててよい。任意で、ネットワークデバイスは、代わりに、ネットワークデバイスの現在利用可能な時間−周波数リソースに応じて、１つのリソーススケジューリング期間において用いられ得る複数の時間−周波数リソースをＵＥにランダムに割り当ててよい。
【０１１２】
従来技術において、ネットワークデバイスは、ＵＥが複数の時間−周波数リソースを用いることによって１つのリソーススケジューリング期間においてデータを少なくとも１つの宛先アドレスへ送信できるか知らないので、ネットワークデバイスは、ＵＥが、１つの時間−周波数リソースのみを用いることによって１つのリソーススケジューリング期間において第２の送信されるべきデータ（すなわち、１つの第１の送信されるべきデータの一部または全部）を送信できるとデフォルトでみなす。この場合、ネットワークデバイスが毎回、時間−周波数リソースをＵＥに割り当てるたびに、ネットワークデバイスは、各リソーススケジューリング期間において、１つの時間−周波数リソースのみをＵＥに割り当てる。１つの時間−周波数リソースは、１つの第１の送信されるべきデータのみの一部または全部を送信するためにしか用いられることができないので、ＵＥは、各リソーススケジューリング期間において、１つの第１の送信されるべきデータのみの一部または全部しか送信できない。ＵＥが複数の第１の送信されるべきデータを送信する必要がある場合、ＵＥは各リソーススケジューリング期間において１つの第１の送信されるべきデータのみの一部または全部しか送信できないので、ＵＥは、次のリソーススケジューリング期間まで、別の第１の送信されるべきデータの一部または全部を送信できない。結果として、ＵＥのデータ送信遅延は比較的大きく、送信効率は比較的低い。しかしながら、本願発明のこの実施形態において提供されているデータ送信方法によれば、ネットワークデバイスは、ＵＥが複数の時間−周波数リソースを用いることによって１つのリソーススケジューリング期間においてデータを送信できることを知ることができるので、ＵＥが複数の第１の送信されるべきデータを送信する必要があるとき、ネットワークデバイスは、１つのリソーススケジューリング期間において用いられる複数の時間−周波数リソースをＵＥに割り当ててよく、これにより、ＵＥは、複数の時間−周波数リソースを用いることによって１つのリソーススケジューリング期間において複数の第２の送信されるべきデータ（すなわち、複数の第１の送信されるべきデータの一部または全部）を送信することができ、それにより、ＵＥのデータ送信遅延が低減され、ＵＥのデータ送信効率が向上する。
【０１１３】
本願発明のこの実施形態において提供されているデータ送信方法によれば、ＵＥにより送信された第１の指示情報を受信することによって、ネットワークデバイスは、ＵＥが複数の時間−周波数リソースを用いることによって、１つのリソーススケジューリング期間においてデータを少なくとも１つの宛先アドレスへ送信できることを知ることができる。従って、ＵＥが、リソース要求メッセージを用いることによってＵＥが複数の送信されるべきデータを有することをネットワークデバイスに通知する場合、ネットワークデバイスは、１つのリソーススケジューリング期間において用いられる複数の時間−周波数リソースをＵＥに割り当ててよく、これにより、ＵＥは、複数の時間−周波数リソースを用いることによって１つのリソーススケジューリング期間においてデータを送信することができ、それにより、ＵＥのデータ送信遅延が低減され、ＵＥのデータ送信効率が向上する。
【０１１４】
さらに、実施形態１に基づき、実施形態２は、ネットワークデバイスがどのように、第１の指示情報とリソース要求メッセージとに従って、ＵＥにより１つのリソーススケジューリング期間において少なくとも２つの第２の送信されるべきデータを送信するために用いられる時間−周波数リソースをＵＥに割り当てるかという具体的なプロセスに関する。Ｓ１０２は具体的に、ネットワークデバイスが、第１の指示情報とリソース要求メッセージとに従って、第２の指示情報をＵＥへ送信し、かつ、ＵＥにより１つのリソーススケジューリング期間において少なくとも２つの第２の送信されるべきデータを送信するために用いられる時間−周波数リソースをＵＥに割り当てる段階を含み、ここで、第２の指示情報は、ネットワークデバイスによりＵＥに割り当てられた時間−周波数リソースと、第１の宛先アドレスとの間のマッピング関係をＵＥに示すために用いられる。
【０１１５】
具体的には、第２の指示情報は、ネットワークデバイスが毎回時間−周波数リソースをＵＥに割り当てる前に、ネットワークデバイスによりＵＥへ送信されてよく、または、ＵＥがネットワークデバイスに登録されている場合、ネットワークデバイスによりＵＥへ送信されてよい。第２の指示情報は、ネットワークデバイスによりＵＥに割り当てられた時間−周波数リソースと、第１の宛先アドレスとの間のマッピング関係をＵＥに示すために用いられる。第１の宛先アドレスは、複数の第１の送信されるべきデータにそれぞれ対応する宛先アドレスのうちの任意の１つである。
【０１１６】
ネットワークデバイスが毎回時間−周波数リソースをＵＥに割り当てる前に、第２の指示情報がネットワークデバイスによりＵＥへ送信される場合、マッピング関係は具体的に、各時間−周波数リソースと第１の宛先アドレスとの間のマッピング関係であってよく、各時間−周波数リソースと第１の宛先アドレスのインデックスとの間のマッピング関係であってよく、ネットワークデバイスが各時間−周波数リソースをＵＥへ送信する時点と第１の宛先アドレスとの間のマッピング関係であってよく、リソーススケジューリング期間における各時間−周波数リソースの位置と第１の宛先アドレスとの間のマッピング関係であってよく、または、各時間−周波数リソースが属する周波数帯域と第１の宛先アドレスとの間のマッピング関係であってよい。
【０１１７】
ＵＥがネットワークデバイスに登録されている場合、第２の指示情報がネットワークデバイスによりＵＥへ送信されるとき、マッピング関係は、各時間−周波数リソースと第１の宛先アドレスのインデックスとの間のマッピング関係であってよく、ネットワークデバイスが各時間−周波数リソースをＵＥへ送信する時点と、第１の宛先アドレスのインデックスとの間のマッピング関係であってよく、リソーススケジューリング期間における各時間−周波数リソースの位置と第１の宛先アドレスのインデックスとの間のマッピング関係であってよく、または、各時間−周波数リソースが属する周波数帯域と、第１の宛先アドレスのインデックスとの間のマッピング関係であってよい。
【０１１８】
ネットワークデバイスが、第１の指示情報に従って、ＵＥが複数の時間−周波数リソースを用いることによって１つのリソーススケジューリング期間においてデータを少なくとも１つの宛先アドレスへ送信できることを知った後に、ネットワークデバイスは、ネットワークデバイスの現在利用可能な時間−周波数リソースの数量に従って、リソース要求メッセージに保持されている複数の第１の送信されるべきデータにそれぞれ対応する宛先アドレスの少なくとも２つの宛先アドレスにそれぞれ対応する第１の送信されるべきデータのデータ量を判定し（判定された少なくとも２つの宛先アドレスは第１の宛先アドレスである）、少なくとも２つの宛先アドレスにそれぞれ対応する第１の送信されるべきデータのデータ量に従って、ＵＥにより１つのリソーススケジューリング期間において「少なくとも２つの第１の送信されるべきデータの一部または全部（すなわち、第２の送信されるべきデータ）」を送信するために用いられる時間−周波数リソースをＵＥに割り当て、かつ、第２の指示情報を用いることによって、割り当てられた時間−周波数リソースと第１の宛先アドレスとの間のマッピング関係をＵＥへ送信してよく、これにより、ＵＥは、ネットワークデバイスの第２の指示情報において示されている第１の宛先アドレスと、それぞれの第１の宛先アドレスに対応する時間−周波数リソースのサイズとに従って、第１の宛先アドレスに対応する第１の送信されるべきデータの一部または全部を第２の送信されるべきデータとして使用し、１つのＳＣリソーススケジューリング期間においてこれらの第２の送信されるべきデータを送信することができる。
【０１１９】
任意で、この実施形態の別の実装方式において、第２の指示情報は代わりに、ネットワークデバイスおよびＵＥにおいて予め設定されてよく、ネットワークデバイスは、これにより、予め設定された第２の指示情報に従って、時間−周波数リソースをＵＥに割り当てることができ、ＵＥは、予め設定された第２の指示情報に従って、ネットワークデバイスにより割り当てられた時間−周波数リソースを使用することができる。
【０１２０】
この実施形態において提供されている方法は、ネットワークデバイスが１つの時間−周波数リソースをＵＥに割り当てる場合にも適用されることを、当業者は理解し得ることに留意すべきである。この場合において達成される技術的効果は、この実施形態の技術的効果と同じであり、詳細は、ここでは再び説明しない。
【０１２１】
従来技術において、ＵＥによりネットワークデバイスへ送信されたリソース要求メッセージが複数の第１の送信されるべきデータにそれぞれ対応する宛先アドレスを含むとき、ＵＥは、ネットワークデバイスが時間−周波数リソースを割り当てるために従うデータ量に対応する第１の送信されるべきデータを知らないので、ＵＥがネットワークデバイスにより割り当てられた各時間−周波数リソースを使用する場合、ＵＥは、ＵＥの複数の第１の送信されるべきデータから１つの第１の送信されるべきデータの一部または全部をランダムに選択して送信する。この場合、ＵＥにより時間−周波数リソースを用いることによって送信されるデータのデータ量が比較的小さい一方、ネットワークデバイスにより割り当てられた時間−周波数リソースが比較的大きい数量のリソースブロックを含むことは可能であり、結果的に、時間−周波数リソースにおける一部のリソースブロックの無駄となる。しかしながら、本願発明のこの実施形態において提供されているデータ送信方法によれば、ネットワークデバイスは、ネットワークデバイスによりＵＥに割り当てられた時間−周波数リソースと第１の宛先アドレスとの間の対応関係をＵＥへ送信してよく、これにより、時間−周波数リソースを受信した後に、ＵＥは、第２の指示情報に従って、ネットワークデバイスにより割り当てられた時間−周波数リソースを用いることによって、部分的にまたは全体的に送信されるべき第１の送信されるべきデータを知ることができ、ＵＥは、時間−周波数リソースを正確に用いることによってデータを送信することができる。このことは、ＵＥが時間−周波数リソースを用いることによって他のデータを送信することに起因する時間−周波数リソースの無駄となるという問題を回避する。
【０１２２】
本願発明のこの実施形態において提供されているデータ送信方法によれば、ネットワークデバイスは、ＵＥに割り当てられた時間−周波数リソースと第１の宛先アドレスとの間のマッピング関係をＵＥへ送信してよく、これにより、ＵＥは、時間−周波数リソースを適切に用いることによって指示情報に従ってデータを送信することができる。このことは、時間−周波数リソースの無駄を回避する。
【０１２３】
図２は、本発明の実施形態に係るデータ送信方法の実施形態３の概略フローチャートである。この実施形態において、第１の指示情報は、能力指示情報であり、能力指示情報は、ＵＥが複数の時間−周波数リソースを用いることによって１つのリソーススケジューリング期間においてデータを少なくとも１つの宛先アドレスへ送信する能力を有することをネットワークデバイスに通知するために、かつ、ネットワークデバイスに、能力指示情報に従って、ＵＥにより１つのリソーススケジューリング期間において用いられ得る時間−周波数リソースの予め設定された第１の最大数量を取得するよう命令するために用いられる。第１の指示情報は、ＵＥによりネットワークデバイスへ送信されるリソース要求メッセージにおいて保持されてよい。実施形態１に基づき、実施形態３は、ネットワークデバイスがどのように、ＵＥにより送信された能力指示情報に従って、ＵＥにより１つのリソーススケジューリング期間において少なくとも２つの第２の送信されるべきデータを送信するために用いられる時間−周波数リソースをＵＥに割り当てるかという具体的なプロセスに関する。図２に示されているように、方法は、以下の段階を備える。
【０１２４】
Ｓ２０１：ネットワークデバイスが、ＵＥにより送信されたリソース要求メッセージを受信する段階であり、ここで、リソース要求メッセージは、第１の指示情報を保持し、第１の指示情報は、能力指示情報である。
【０１２５】
具体的には、実施形態１において説明されているように、ネットワークデバイスは、ＵＥにより送信されたリソース要求メッセージを受信する前に、ＵＥにより送信された第１の指示情報を受信してよく、または、ＵＥにより送信されたリソース要求メッセージを受信するとき、ＵＥにより送信された第１の指示情報を受信してよい。この実施形態において、ネットワークデバイスは、ＵＥにより送信されたリソース要求メッセージを受信するとき、ＵＥにより送信された第１の指示情報を受信するという例が用いられ、ここで、第１の指示情報は、ＵＥによりネットワークデバイスへ送信されるリソース要求メッセージにおいて保持される。
【０１２６】
第１の指示情報は、ＵＥが複数の時間−周波数リソースを用いることによって１つのリソーススケジューリング期間においてデータを少なくとも１つの宛先アドレスへ送信する能力を有するかを示すために、かつ、ネットワークデバイスに、能力指示情報に従って、ＵＥにより１つのリソーススケジューリング期間において用いられ得る時間−周波数リソースの予め設定された第１の最大数量（すなわち、ＵＥにより１つのリソーススケジューリング期間において用いられ得るグラントの予め設定された最大数量）を取得するよう命令するために用いられる能力指示情報であり、ここで、能力指示情報は、１または複数のビットを含んでよい。具体的な実行の間に、ＵＥにより送信されるリソース要求メッセージのオーバーヘッドを低減するために、１ビットが第１の指示情報として機能するべく、リソース要求メッセージにおいて設定されてよく、ビットの値は、０または１であってよい。第１の指示情報の対応関係は、以下であり得る。０は、ＵＥが複数の時間−周波数リソースを用いることによって１つのリソーススケジューリング期間においてデータを少なくとも１つの宛先アドレスへ送信する能力を有することを示し、ネットワークデバイスに、能力指示情報に従って、ＵＥにより１つのリソーススケジューリング期間において用いられ得る時間−周波数リソースの予め設定された第１の最大数量を取得するよう命令する。１は、ＵＥが複数の時間−周波数リソースを用いることによって１つのリソーススケジューリング期間においてデータを少なくとも１つの宛先アドレスへ送信する能力を有さない（すなわち、ＵＥは１つの時間−周波数リソースのみを用いることによって１つのリソーススケジューリング期間においてデータを送信できる）ことを示す。あるいは、第１の指示情報の対応関係は、以下であり得る。１は、ＵＥが複数の時間−周波数リソースを用いることによって１つのリソーススケジューリング期間においてデータを少なくとも１つの宛先アドレスへ送信する能力を有することを示し、ネットワークデバイスに、能力指示情報に従って、ＵＥにより１つのリソーススケジューリング期間において用いられ得る時間−周波数リソースの予め設定された第１の最大数量を取得するよう命令する。０は、ＵＥが複数の時間−周波数リソースを用いることによって１つのリソーススケジューリング期間においてデータを少なくとも１つの宛先アドレスへ送信する能力を有さないことを示す。
【０１２７】
Ｓ２０２：ネットワークデバイスが、第１の指示情報に従って、ＵＥが複数の時間−周波数リソースを用いることによって１つのリソーススケジューリング期間においてデータを少なくとも１つの宛先アドレスへ送信する能力を有するかを判定する段階であり、有する場合、Ｓ２０３が実行され、有さない場合、Ｓ２０５が実行される。
【０１２８】
具体的には、能力指示情報の対応関係は、ネットワークデバイスにおいて予め設定されてよい。ＵＥにより送信されたリソース要求メッセージを受信した後に、ネットワークデバイスは、リソース要求メッセージにおいて保持されている第１の指示情報（すなわち、能力指示情報）と、ネットワークデバイスにおいて予め設定された能力指示情報の対応関係とに従って、ＵＥが複数の時間−周波数リソースを用いることによって１つのリソーススケジューリング期間においてデータを少なくとも１つの宛先アドレスへ送信する能力を有するかを判定してよい。
【０１２９】
例えば、能力指示情報の対応関係がネットワークデバイスにおいて予め設定されたことを仮定すると、０は、ＵＥが複数の時間−周波数リソースを用いることによって１つのリソーススケジューリング期間においてデータを少なくとも１つの宛先アドレスへ送信する能力を有することを示し、ネットワークデバイスに、能力指示情報に従って、ＵＥにより１つのリソーススケジューリング期間において用いられ得る時間−周波数リソースの予め設定された第１の最大数量を取得するよう命令する。１は、ＵＥが複数の時間−周波数リソースを用いることによって１つのリソーススケジューリング期間においてデータを少なくとも１つの宛先アドレスへ送信する能力を有さないことを示す。ＵＥにより送信されてネットワークデバイスにより受信された第１の指示情報が０である場合、ネットワークデバイスは、第１の指示情報と、能力指示情報の予め設定された対応関係とに従って、ＵＥが複数の時間−周波数リソースを用いることによって１つのリソーススケジューリング期間においてデータを少なくとも１つの宛先アドレスへ送信する能力を有することを判定する。ＵＥにより送信されてネットワークデバイスにより受信された第１の指示情報が１である場合、ネットワークデバイスは、第１の指示情報と、能力指示情報の予め設定された対応関係とに従って、ＵＥが複数の時間−周波数リソースを用いることによって１つのリソーススケジューリング期間においてデータを少なくとも１つの宛先アドレスへ送信する能力を有さないことを判定する。
【０１３０】
Ｓ２０３：ネットワークデバイスが、能力指示情報に従って、ＵＥにより１つのリソーススケジューリング期間において用いられ得る時間−周波数リソースの予め設定された第１の最大数量を取得する段階である。
【０１３１】
具体的には、ネットワークデバイスが、第１の指示情報を用いることによって、ＵＥが複数の時間−周波数リソースを用いることによって１つのリソーススケジューリング期間においてデータを少なくとも１つの宛先アドレスへ送信する能力を有することを、判定する場合、ネットワークデバイスはさらに、ＵＥにより１つのリソーススケジューリング期間において用いられ得る時間−周波数リソースの予め設定された第１の最大数量（すなわち、ＵＥにより１つのリソーススケジューリング期間において用いられ得るグラントの予め設定された最大数量）を取得してよく、ここで、予め設定された第１の最大数量は、ネットワークデバイスにおいて記憶されてよい。本願発明のこの実施形態において、第１の最大数量は、１より大きい整数である。具体的な実行の間に、第１の最大数量は、リソース使用頻度と、ネットワークデバイスが位置するネットワークにおけるリソース占有率とに従って、判定されてよい。
【０１３２】
Ｓ２０４：ネットワークデバイスが、第１の最大数量、および複数の第１の送信されるべきデータにそれぞれ対応する宛先アドレスの数量のうちの最小値と、それぞれの第１の送信されるべきデータのデータ量とに従って、ＵＥにより１つのリソーススケジューリング期間において少なくとも２つの第２の送信されるべきデータを送信するために用いられる時間−周波数リソースをＵＥに割り当てる段階である。
【０１３３】
具体的には、第１の最大数量は、ＵＥにより１つのリソーススケジューリング期間において用いられ得る時間−周波数リソースの予め設定された最大数量（すなわち、ＵＥにより１つのリソーススケジューリング期間において用いられ得るグラントの予め設定された最大数量）である。
【０１３４】
複数の第１の送信されるべきデータにそれぞれ対応する宛先アドレスの数量が第１の最大数量より大きいとき、すなわち、第１の最大数量が最小値であるとき、１つの時間−周波数リソースはデータを１つの宛先アドレスへ送信するために用いられるので、ネットワークデバイスは、ＵＥが、１つのリソーススケジューリング期間において全ての宛先アドレスにそれぞれ対応する「第１の送信されるべきデータの一部または全部」を送信することができないことを判定する。この場合、ネットワークデバイスは、第１の最大数量と、リソース要求メッセージにおいて保持されている複数の第１の送信されるべきデータにそれぞれ対応する宛先アドレスのシーケンスとに従って、複数の第１の送信されるべきデータにおけるいくつかの第１の送信されるべきデータを判定してよく（「判定された、いくつかの第１の送信されるべきデータの一部または全部」は第２の送信されるべきデータであり）、ここで、いくつかの第１の送信されるべきデータの数量は、第１の最大数量と同じであってよい。次に、ネットワークデバイスは、いくつかの第１の送信されるべきデータのデータ量に従って、ＵＥにより１つのリソーススケジューリング期間において用いられ得る複数の時間−周波数リソースをＵＥに割り当ててよく、これにより、ＵＥは、１つのリソーススケジューリング期間において少なくとも２つの第２の送信されるべきデータを送信することができる。ネットワークデバイスによりＵＥに割り当てられ、かつ、１つのリソーススケジューリング期間において用いられ得る複数の時間−周波数リソースの数量は、第１の最大数量と同じであってよい。しかしながら、従来技術において、ネットワークデバイスは、ＵＥにより１つのリソーススケジューリング期間において１つの第２の送信されるべきデータを送信するために用いられる１つの時間−周波数リソースのみをＵＥに割り当て、これにより、ＵＥは、１つのリソーススケジューリング期間において１つの第２の送信されるべきデータのみしか送信できない。従って、本願発明のこの実施形態において提供されているデータ送信方法によれば、ＵＥのデータ送信効率が向上する。
【０１３５】
複数の第１の送信されるべきデータにそれぞれ対応する宛先アドレスの数量が第１の最大数量以下であるとき、すなわち、複数の第１の送信されるべきデータにそれぞれ対応する宛先アドレスの数量が最小値であるとき、１つの時間−周波数リソースがデータを１つの宛先アドレスへ送信するために用いられるので、ネットワークデバイスは、ＵＥが１つのリソーススケジューリング期間において全ての宛先アドレスにそれぞれ対応する「第１の送信されるべきデータの一部または全部」（「複数の第１の送信されるべきデータの一部または全部」は、第２の送信されるべきデータである）を送信できることを判定する。この場合、ネットワークデバイスは、複数の第１の送信されるべきデータにそれぞれ対応するデータ量に従って、ＵＥにより１つのリソーススケジューリング期間において「それぞれの第１の送信されるべきデータの一部または全部」を送信するために用いられる時間−周波数リソースをＵＥに直接割り当ててよく、これにより、ＵＥは、１つのリソーススケジューリング期間において少なくとも２つの第２の送信されるべきデータを送信することができる。少なくとも２つの第２の送信されるべきデータの数量は、複数の第１の送信されるべきデータの数量以下である。しかしながら、従来技術において、ネットワークデバイスは、ＵＥにより１つのリソーススケジューリング期間において１つの第２の送信されるべきデータを送信するために用いられる１つの時間−周波数リソースのみをＵＥに割り当て、これにより、ＵＥは、１つのリソーススケジューリング期間において１つの第２の送信されるべきデータのみしか送信できない。従って、本願発明のこの実施形態において提供されているデータ送信方法によれば、ＵＥのデータ送信効率が向上する。
【０１３６】
Ｓ２０４完了後、プロセスは終了する。
【０１３７】
Ｓ２０５：ネットワークデバイスが、複数の第１の送信されるべきデータにそれぞれ対応する宛先アドレスと、それぞれの第１の送信されるべきデータのデータ量とに従って、ＵＥにより１つのリソーススケジューリング期間において１つの第２の送信されるべきデータを送信するために用いられる時間−周波数リソースをＵＥに割り当てる段階である。
【０１３８】
具体的には、ネットワークデバイスが、第１の指示情報を用いることによって、ＵＥが複数の時間−周波数リソースを用いることによって１つのリソーススケジューリング期間においてデータを少なくとも１つの宛先アドレスへ送信する能力を有さないことを判定する場合、ネットワークデバイスは、複数の第１の送信されるべきデータにそれぞれ対応する宛先アドレスにおける１つの第１の送信されるべきデータを判定し（判定された第１の送信されるべきデータの一部または全部は第２の送信されるべきデータであり）、かつ、判定された第１の送信されるべきデータのデータ量に従って、ＵＥにより１つのリソーススケジューリング期間において１つの第２の送信されるべきデータを送信するために用いられる時間−周波数リソースをＵＥに割り当ててよく、これにより、ＵＥは、１つのリソーススケジューリング期間において１つの第２の送信されるべきデータを送信することができる。
【０１３９】
Ｓ２０５完了後、プロセスは終了する。
【０１４０】
本願発明のこの実施形態において提供されているデータ送信方法によれば、ＵＥにより送信された第１の指示情報を受信することによって、ネットワークデバイスは、ＵＥが複数の時間−周波数リソースを用いることによって、１つのリソーススケジューリング期間においてデータを少なくとも１つの宛先アドレスへ送信する能力を有することを知ることができる。従って、ＵＥがリソース要求メッセージを用いることによって、ＵＥが複数の送信されるべきデータを有することをネットワークデバイスに通知する場合、ネットワークデバイスは、ＵＥにより１つのリソーススケジューリング期間において用いられ得る時間−周波数リソースの予め設定された第１の最大数量、および複数の第１の送信されるべきデータにそれぞれ対応する宛先アドレスの数量のうちの最小値に従って、１つのリソーススケジューリング期間において用いられる複数の時間−周波数リソースをＵＥに適切に割り当ててよく、これにより、ＵＥは、複数の時間−周波数リソースを用いることによって１つのリソーススケジューリング期間においてデータを送信することができ、それにより、ＵＥのデータ送信遅延が低減され、ＵＥのデータ送信効率が向上する。
【０１４１】
図３は、本発明の実施形態に係るデータ送信方法の実施形態４の概略フローチャートである。この実施形態において、第１の指示情報は、能力指示情報およびリソース情報を含み、能力指示情報は、ＵＥが複数の時間−周波数リソースを用いることによって１つのリソーススケジューリング期間においてデータを少なくとも１つの宛先アドレスへ送信する能力を有することをネットワークデバイスに通知するために用いられ、リソース情報は、ＵＥにより１つのリソーススケジューリング期間において実際に用いられ得る時間−周波数リソースの第２の最大数量（すなわち、ＵＥにより１つのリソーススケジューリング期間において実際に用いられ得るグラントの最大数量）をネットワークデバイスに示すために用いられ、第２の最大数量は、１より大きい整数である。第１の指示情報は、ＵＥによりネットワークデバイスへ送信されたリソース要求メッセージにおいて保持されてよい。実施形態４は、ネットワークデバイスがどのように、ＵＥにより送信された第１の指示情報において保持されている能力指示情報およびリソース情報に従って、ＵＥにより１つのリソーススケジューリング期間において少なくとも２つの第２の送信されるべきデータを送信するために用いられる時間−周波数リソースをＵＥに割り当てるかという具体的なプロセスに関する。この実施形態における方法によれば、ＵＥのデータ送信効率は、大幅に向上する。図３において示されているように、方法は、以下の段階を含む。
【０１４２】
Ｓ３０１：ネットワークデバイスが、ＵＥにより送信されたリソース要求メッセージを受信する段階であり、ここで、リソース要求メッセージは、第１の指示情報を保持し、第１の指示情報は、能力指示情報およびリソース情報を含む。
【０１４３】
具体的には、この実施形態において、第１の指示情報は、能力指示情報およびリソース情報を含み、ここで、能力指示情報は、１または複数のビットを含んでよく、ＵＥが複数の時間−周波数リソースを用いることによって１つのリソーススケジューリング期間においてデータを少なくとも１つの宛先アドレスへ送信する能力を有するかを示すために用いられる。リソース情報は、１または複数のビットを含んでよく、ＵＥにより１つのリソーススケジューリング期間において実際に用いられ得る時間−周波数リソースの第２の最大数量をネットワークデバイスに示すために用いられる。任意で、リソース情報は、複数の時間−周波数リソースの数量についての情報、すなわち、ＵＥにより１つのリソーススケジューリング期間において実際に用いられ得る時間−周波数リソースの数量についての情報であってよい。任意で、リソース情報は代わりに、ＵＥがＤ２Ｄデータ送信を実行するプロセス（Ｐｒｏｃｅｓｓ）の数量についての情報、すなわち、ＵＥがＤ２Ｄデータ送信を実行するプロセスの個数であってよい。
【０１４４】
リソース要求メッセージについての説明は、実施形態１のＳ１０１を参照されたい。詳細は、ここでは再び説明しない。
【０１４５】
Ｓ３０２：ネットワークデバイスが、第１の指示情報において保持されている能力指示情報に従って、ＵＥが複数の時間−周波数リソースを用いることによって１つのリソーススケジューリング期間においてデータを少なくとも１つの宛先アドレスへ送信する能力を有するかを判定する段階であり、有する場合、Ｓ３０３が実行され、有さない場合、Ｓ３０４が実行される。
【０１４６】
具体的には、能力指示情報の対応関係は、ネットワークデバイスにおいて予め設定されてよい。ＵＥにより送信されたリソース要求メッセージを受信した後に、ネットワークデバイスは、リソース要求メッセージにおいて保持されている第１の指示情報に含まれる能力指示情報に従って、ＵＥが複数の時間−周波数リソースを用いることによって１つのリソーススケジューリング期間においてデータを少なくとも１つの宛先アドレスへ送信する能力を有するかを判定してよい。
【０１４７】
例えば、能力指示情報の対応関係がネットワークデバイスにおいて予め設定されたことを仮定すると、０は、ＵＥが１つのリソーススケジューリング期間において複数の時間−周波数リソースを用いることによってデータを少なくとも１つの宛先アドレスへ送信する能力を有することを示す。１は、ＵＥが複数の時間−周波数リソースを用いることによって１つのリソーススケジューリング期間においてデータを少なくとも１つの宛先アドレスへ送信する能力を有さないことを示す。ＵＥにより送信され、ネットワークデバイスにより受信された第１の指示情報が０であるとき、ネットワークデバイスは、第１の指示情報と能力指示情報の予め設定された対応関係とに従って、ＵＥが複数の時間−周波数リソースを用いることによって１つのリソーススケジューリング期間においてデータを少なくとも１つの宛先アドレスへ送信する能力を有することを判定する。ＵＥにより送信され、ネットワークデバイスにより受信された第１の指示情報が１であるとき、ネットワークデバイスは、第１の指示情報と能力指示情報の予め設定された対応関係とに従って、ＵＥが複数の時間−周波数リソースを用いることによって１つのリソーススケジューリング期間においてデータを少なくとも１つの宛先アドレスへ送信する能力を有さないことを判定する。
【０１４８】
Ｓ３０３：ネットワークデバイスが、第１の指示情報において保持されている第２の最大数量、および複数の第１の送信されるべきデータにそれぞれ対応する宛先アドレスの数量のうちの最小値と、それぞれの第１の送信されるべきデータのデータ量とに従って、ＵＥにより１つのリソーススケジューリング期間において少なくとも２つの第２の送信されるべきデータを送信するために用いられる時間−周波数リソースをＵＥに割り当てる段階である。
【０１４９】
具体的には、第２の最大数量は、ＵＥにより１つのリソーススケジューリング期間において実際に用いられ得る時間−周波数リソースの最大数量（すなわち、ＵＥにより１つのリソーススケジューリング期間において実際に用いられ得るグラントの最大数量）である。
【０１５０】
複数の第１の送信されるべきデータにそれぞれ対応する宛先アドレスの数量が第２の最大数量より大きい場合、すなわち、第２の最大数量が最小値である場合、１つの時間−周波数リソースはデータを１つの宛先アドレスへ送信するために用いられるので、ネットワークデバイスは、ＵＥが１つのリソーススケジューリング期間において全ての宛先アドレスにそれぞれ対応する「第１の送信されるべきデータの一部または全部」を送信できないことを判定する。この場合、ネットワークデバイスは、第２の最大数量と、リソース要求メッセージにおいて保持されている複数の第１の送信されるべきデータにそれぞれ対応する宛先アドレスのシーケンスとに従って、複数の第１の送信されるべきデータにおけるいくつかの第１の送信されるべきデータを判定してよく（「判定された、いくつかの第１の送信されるべきデータの一部または全部は、第２の送信されるべきデータであり）、ここで、いくつかの第１の送信されるべきデータの数量は、第２の最大数量と同じであってよい。次に、ネットワークデバイスは、いくつかの第１の送信されるべきデータのデータ量に従って、ＵＥにより１つのリソーススケジューリング期間において用いられ得る複数の時間−周波数リソースをＵＥに割り当ててよく、これにより、ＵＥは、１つのリソーススケジューリング期間において少なくとも２つの第２の送信されるべきデータを送信することができる。ネットワークデバイスによりＵＥに割り当てられ、１つのリソーススケジューリング期間において用いられ得る複数の時間−周波数リソースの数量は、第２の最大数量と同じであってよい。しかしながら、従来技術において、ネットワークデバイスは、ＵＥにより１つのリソーススケジューリング期間において１つの第２の送信されるべきデータを送信するために用いられる１つの時間−周波数リソースのみをＵＥに割り当て、これにより、ＵＥは、１つのリソーススケジューリング期間において１つの第２の送信されるべきデータのみしか送信できない。従って、本願発明のこの実施形態において提供されているデータ送信方法によれば、ＵＥのデータ送信効率が向上する。
【０１５１】
複数の第１の送信されるべきデータにそれぞれ対応する宛先アドレスの数量が第２の最大数量以下であるとき、すなわち、複数の第１の送信されるべきデータにそれぞれ対応する宛先アドレスの数量が最小値であるとき、１つの時間−周波数リソースは、データを１つの宛先アドレスへ送信するために用いられるので、ネットワークデバイスは、ＵＥが１つのリソーススケジューリング期間において、各宛先アドレスに対応する「第１の送信されるべきデータの一部または全部」、すなわち、それぞれの第１の送信されるべきデータの一部または全部（「それぞれの第１の送信されるべきデータの一部または全部」は第２の送信されるべきデータである）を送信できることを判定する。この場合、ネットワークデバイスは、複数の第１の送信されるべきデータにそれぞれ対応するデータ量に従って、ＵＥにより１つのリソーススケジューリング期間において「それぞれの第１の送信されるべきデータの一部または全部」を送信するために用いられる時間−周波数リソースをＵＥに直接割り当ててよく、これにより、ＵＥは、１つのリソーススケジューリング期間において、「それぞれの第１の送信されるべきデータの一部または全部」を直接送信することができる。しかしながら、従来技術において、ネットワークデバイスは、ＵＥにより１つのリソーススケジューリング期間において１つの第２の送信されるべきデータを送信するために用いられる１つの時間−周波数リソースのみをＵＥに割り当て、これにより、ＵＥは、１つのリソーススケジューリング期間において１つの第２の送信されるべきデータのみしか送信できない。従って、本願発明のこの実施形態において提供されているデータ送信方法によれば、ＵＥのデータ送信効率が向上する。
【０１５２】
Ｓ３０３完了後、プロセスは終了する。
【０１５３】
Ｓ３０４：ネットワークデバイスが、複数の第１の送信されるべきデータにそれぞれ対応する宛先アドレスと、それぞれの第１の送信されるべきデータのデータ量とに従って、ＵＥにより１つのリソーススケジューリング期間において１つの第２の送信されるべきデータを送信するために用いられる時間−周波数リソースをＵＥに割り当てる段階である。
【０１５４】
具体的には、ネットワークデバイスが、第１の指示情報を用いることによって、ＵＥが複数の時間−周波数リソースを用いることによって１つのリソーススケジューリング期間においてデータを少なくとも１つの宛先アドレスへ送信する能力を有さないことを判定する場合、ネットワークデバイスは、複数の第１の送信されるべきデータにそれぞれ対応する宛先アドレスにおいて１つの第１の送信されるべきデータを判定してよく（判定された第１の送信されるべきデータの一部または全部は第２の送信されるべきデータであり）、判定された第１の送信されるべきデータのデータ量に従って、ＵＥにより１つのリソーススケジューリング期間において１つの第２の送信されるべきデータを送信するために用いられる時間−周波数リソースをＵＥに割り当ててよく、これにより、ＵＥは、１つのリソーススケジューリング期間において１つの第２の送信されるべきデータを送信することができる。
【０１５５】
Ｓ３０４完了後、プロセスは終了する。
【０１５６】
本願発明のこの実施形態において提供されているデータ送信方法によれば、第１の指示情報に含まれる能力指示情報を用いることによって、ネットワークデバイスは、ＵＥが、複数の時間−周波数リソースを用いることによって１つのリソーススケジューリング期間においてデータを少なくとも１つの宛先アドレスへ送信する能力を有することを知ることができる。さらに、第１の指示情報に含まれるリソース情報を用いることによって、ネットワークデバイスは、ＵＥにより１つのリソーススケジューリング期間において実際に用いられ得る時間−周波数リソースの第２の最大数量を知ることができる。従って、ＵＥが、リソース要求メッセージを用いることによって、ＵＥが複数の送信されるべきデータを有することをネットワークデバイスに示す場合、ネットワークデバイスは、第２の最大数量、および複数の第１の送信されるべきデータにそれぞれ対応する宛先アドレスの数量のうちの最小値に従って、１つのリソーススケジューリング期間において用いられる複数の時間−周波数リソースをＵＥに正確に割り当ててよく、これにより、ＵＥは、複数の時間−周波数リソースを用いることによって１つのリソーススケジューリング期間においてデータを送信することができ、それにより、ＵＥのデータ送信遅延が低減され、ＵＥのデータ送信効率が向上する。
【０１５７】
任意で、第１の指示情報のオーバーヘッドを低減するために、実施形態４において、第１の指示情報は代わりに、リソース情報のみであってよく、ここで、リソース情報は、ＵＥによりリソーススケジューリング期間において実際に用いられ得る時間−周波数リソースの第２の最大数量をネットワークデバイスに示すために用いられ、第２の最大数量は、１より大きい。実施形態４における第１の指示情報がリソース情報である場合、Ｓ３０２は、以下の段階に置換えられてよい。ネットワークデバイスが、リソース情報に従って、ＵＥが複数の時間−周波数リソースを用いることによって１つのリソーススケジューリング期間においてデータを少なくとも１つの宛先アドレスへ送信する能力を有するかを判定する段階であり、有する場合、Ｓ３０３が実行され、有さない場合、Ｓ３０４が実行される。
【０１５８】
具体的には、ネットワークデバイスは、リソース情報において保持されている第２の最大数量に従って、第２の最大数量が１より大きいかを判定してよい。１より大きい場合、ＵＥが少なくとも２つの時間−周波数リソースを用いることによって１つのリソーススケジューリング期間においてデータを送信できることを示し、ネットワークデバイスは、ＵＥが複数の時間−周波数リソースを用いることによって１つのリソーススケジューリング期間においてデータを少なくとも１つの宛先アドレスへ送信する能力を有することを暗黙的に判定する。そうでない場合、ＵＥが１つの時間−周波数リソースのみを用いることによって１つのリソーススケジューリング期間においてデータを送信できることを示し、ネットワークデバイスは、ＵＥが複数の時間−周波数リソースを用いることによって１つのリソーススケジューリング期間においてデータを少なくとも１つの宛先アドレスへ送信する能力を有さないことを暗黙的に判定する。
【０１５９】
図４は、本発明の実施形態に係るデータ送信方法の実施形態５の概略フローチャートである。実施形態５は、ＵＥがどのように、ネットワークデバイスにより割り当てられた時間−周波数リソースに応じて、１つのリソーススケジューリング期間において少なくとも２つの第２の送信されるべきデータを送信するかという具体的なプロセスに関する。この実施形態は、ＵＥにより実行される。図４において示されているように、方法は、以下の段階を含む。
【０１６０】
Ｓ４０１：ＵＥが、第１の指示情報およびリソース要求メッセージをネットワークデバイスへ送信する段階であり、ここで、第１の指示情報は、ＵＥが複数の時間−周波数リソースを用いることによって、１つのリソーススケジューリング期間においてデータを少なくとも１つの宛先アドレスへ送信できることをネットワークデバイスに通知するために用いられ、リソース要求メッセージは、ＵＥの複数の第１の送信されるべきデータにそれぞれ対応する宛先アドレスと、それぞれの第１の送信されるべきデータのデータ量とをネットワークデバイスに示すために、かつ、ネットワークデバイスに、第１の指示情報とリソース要求メッセージとに従って、ＵＥによりリソーススケジューリング期間において少なくとも２つの第２の送信されるべきデータを送信するために用いられる時間−周波数リソースをＵＥに割り当てるよう命令するために用いられ、第１の送信されるべきデータは、少なくとも１つの第２の送信されるべきデータを含む。
【０１６１】
具体的には、ＵＥは、Ｄ２Ｄ通信機能を有し、複数の時間−周波数リソースを用いることによって１つのリソーススケジューリング期間においてデータを少なくとも１つの宛先アドレスへ送信することができる任意のＵＥであってよく、ネットワークデバイスは、ＵＥによりＤ２Ｄ通信を実行するために用いられる時間−周波数リソースをＵＥに割り当てる、Ｄ２Ｄ通信システムにおける任意のネットワークデバイスであってよい。すなわち、ＵＥは、複数の時間−周波数リソースを用いることによって、１つのリソーススケジューリング期間において複数の送信されるべきデータを１つの宛先アドレスへ送信することができるか、ＵＥは、複数の時間−周波数リソースを用いることによって１つのリソーススケジューリング期間において送信されるべきデータを複数の宛先アドレスへ送信することができるか、または、該２つの方式が組み合わせられてよい。このことは、本願発明のこの実施形態において限定されない。この実施形態において、ＵＥは、複数の第１の送信されるべきデータを送信する必要がある状態にあり、ここで、それぞれの第１の送信されるべきデータは、宛先アドレスに対応し、各送信されるべきデータは、少なくとも１つの第２の送信されるべきデータを含む（ここで言及されている第２の送信されるべきデータは、ＵＥにより時間−周波数リソースを用いることによって送信されることができるデータである）。具体的に第１の送信されるべきデータに含まれる第２の送信されるべきデータの数量は、ＵＥが第１の送信されるべきデータを送信する場合に用いられる時間−周波数リソースの数量と、各時間−周波数リソースのサイズとに依存する。
【０１６２】
リソース要求メッセージをネットワークデバイスへ送信する前に、または、リソース要求メッセージを送信するとき、ＵＥは、第１の指示情報をネットワークデバイスへ送信してよく、これにより、ネットワークデバイスは、第１の指示情報に従って、ＵＥが複数の時間−周波数リソースを用いることによって１つのリソーススケジューリング期間においてデータを少なくとも１つの宛先アドレスへ送信できることを知ることができる。第１の指示情報は、ＵＥによりネットワークデバイスへ能動的に送信されてよく、または、ＵＥがネットワークデバイスにより送信された送信能力クエリメッセージを受信した後に、ＵＥによりネットワークデバイスへ送信されてよい。ネットワークデバイスが、ＵＥにより送信されたリソース要求メッセージを受信するとき、ＵＥにより送信された第１の指示情報を受信する場合、任意で、ＵＥは、第１の指示情報およびリソース要求メッセージをネットワークデバイスへ個別に送信してよく、第１の指示情報を保持しているリソース要求メッセージをネットワークデバイスへ送信してよく、または、リソース要求メッセージを保持している第１の指示メッセージをネットワークデバイスへ送信してよい。先述の時間−周波数リソースは、ネットワークデバイスによりＵＥへ送信されるリソースグラント（すなわち、すなわち、グラントであり、該グラントは具体的にはＤ２Ｄ通信システムにおけるサイドリンクグラントであり得る）に含まれる時間−周波数リソースとして理解されてよい。先述のリソース要求メッセージは、従来技術における、時間−周波数リソースを要求すべくＵＥによりネットワークデバイスへ送信されるバッファ状態報告（Ｂｕｆｆｅｒ  Ｓｔａｔｕｓ  Ｒｅｐｏｒｔ、略してＢＳＲ）であってよい。その詳細はこの実施形態において詳述しない。
【０１６３】
ネットワークデバイスが、第１の指示情報に従って、ＵＥが複数の時間−周波数リソースを用いることによって１つのリソーススケジューリング期間においてデータを少なくとも１つの宛先アドレスへ送信できることを知った後に、ネットワークデバイスは、複数の第１の送信されるべきデータにそれぞれ対応する宛先アドレスとリソース要求メッセージにおいて保持されているそれぞれの第１の送信されるべきデータのデータ量とに従って、ＵＥにより１つのリソーススケジューリング期間において少なくとも２つの第２の送信されるべきデータを送信するために用いられる時間−周波数リソースをＵＥに割り当ててよく、すなわち、１つのリソーススケジューリング期間において用いられ得る少なくとも２つのグラントをＵＥへ送信し、これにより、ＵＥは、少なくとも２つの時間−周波数リソースを用いることによって１つのリソーススケジューリング期間において少なくとも２つの第２の送信されるべきデータを送信することができる。ここで言及されている第２の送信されるべきデータは、ＵＥにより時間−周波数リソースを用いることによって送信され得るデータである。
【０１６４】
任意で、ネットワークデバイスは、複数の第１の送信されるべきデータにそれぞれ対応する宛先アドレスの数量に従って、１つのリソーススケジューリング期間において用いられ得て、かつ数量が複数の第１の送信されるべきデータにそれぞれ対応する宛先アドレスの数量以下である複数の時間−周波数リソースをＵＥに割り当ててよい。任意で、ネットワークデバイスは代わりに、ネットワークデバイスの現在利用可能な時間−周波数リソースに従って、１つのリソーススケジューリング期間において用いられ得る複数の時間−周波数リソースをＵＥにランダムに割り当ててよい。
【０１６５】
この実施形態において、リソーススケジューリング期間は、従来技術におけるリソーススケジューリング（Ｓｏｕｒｃｅ  Ａｌｉｇｎｍｅｎｔ、略してＳＡ）期間であってよく、または、従来技術における、ＳＡ情報を保持するサイドリンク制御（ｓｉｄｅｌｉｎｋ  Ｃｏｎｔｒｏｌ、略してＳＣ）期間であってよいことに留意すべきである。
【０１６６】
Ｓ４０２：ＵＥが、ネットワークデバイスにより割り当てられた時間−周波数リソースを受信し、時間−周波数リソースと、複数の第１の送信されるべきデータにそれぞれ対応する宛先アドレスとに従って、１つのリソーススケジューリング期間において少なくとも２つの第２の送信されるべきデータを送信する段階である。
【０１６７】
具体的には、ＵＥがネットワークデバイスにより割り当てられた複数の時間−周波数リソースを受信した後に、ＵＥは、ネットワークデバイスにより割り当てられた複数の時間−周波数リソースに応じて、ＵＥの複数の第１の送信されるべきデータから少なくとも２つの第２の送信されるべきデータを判定し、判定された少なくとも２つの第２の送信されるべきデータにそれぞれ対応する宛先アドレスに従って、１つのリソーススケジューリング期間において少なくとも２つの第２の送信されるべきデータを送信してよく、ここで、ＵＥにより選択された少なくとも２つの第２の送信されるべきデータの数量は、ネットワークデバイスにより割り当てられた時間−周波数リソースの数量以下であってよい。
【０１６８】
本願発明のこの実施形態において提供されているデータ送信方法によれば、ＵＥは、第１の指示情報をネットワークデバイスへ送信し、これにより、ネットワークデバイスは、ＵＥが、複数の時間−周波数リソースを用いることによって１つのリソーススケジューリング期間においてデータを少なくとも１つの宛先アドレスへ送信できることを知ることができる。従って、ＵＥが、リソース要求メッセージを用いることによって、ＵＥが複数の送信されるべきデータを有することを、ネットワークデバイスに通知する場合、ネットワークデバイスは、１つのリソーススケジューリング期間において用いられる複数の時間−周波数リソースをＵＥに割り当ててよく、これにより、ＵＥは、複数の時間−周波数リソースを用いることによって１つのリソーススケジューリング期間においてデータを送信することができ、それにより、ＵＥのデータ送信遅延が低減され、ＵＥのデータ送信効率が向上する。
【０１６９】
さらに、実施形態５に基づき、実施形態６は、ＵＥがネットワークデバイスにより割り当てられた時間−周波数リソースを受信した後に、どのように、時間−周波数リソースと、複数の第１の送信されるべきデータにそれぞれ対応する宛先アドレスとに従って、１つのリソーススケジューリング期間において少なくとも２つの第２の送信されるべきデータを送信するかという具体的なプロセスに関する。Ｓ４０２は具体的に、ＵＥが、ネットワークデバイスにより割り当てられた時間−周波数リソースと、第２の指示情報とを受信し、時間−周波数リソースに従って、リソーススケジューリング期間において少なくとも２つの第２の送信されるべきデータと、複数の第１の送信されるべきデータにそれぞれ対応する宛先アドレスと、第２の指示情報とを送信する段階を含み、ここで、第２の指示情報は、ネットワークデバイスによりＵＥに割り当てられた時間−周波数リソースと第１の宛先アドレスとの間のマッピング関係をＵＥに示すために用いられる。
【０１７０】
具体的には、第２の指示情報は、ネットワークデバイスが毎回、時間−周波数リソースをＵＥに割り当てる前に、ネットワークデバイスによりＵＥへ送信されてよく、または、ＵＥがネットワークデバイスに登録されている場合、ネットワークデバイスによりＵＥへ送信されてよい。第２の指示情報は、ネットワークデバイスによりＵＥに割り当てられた時間−周波数リソースと第１の宛先アドレスとの間のマッピング関係をＵＥに示すために用いられる。第１の宛先アドレスは、複数の第１の送信されるべきデータにそれぞれ対応する宛先アドレスのうちの任意の１つである。
【０１７１】
ネットワークデバイスが毎回、時間−周波数リソースをＵＥに割り当てる前に、第２の指示情報がネットワークデバイスによりＵＥへ送信される場合、マッピング関係は具体的に、各時間−周波数リソースと第１の宛先アドレスとの間のマッピング関係であってよく、各時間−周波数リソースと第１の宛先アドレスのインデックスとの間のマッピング関係であってよく、ネットワークデバイスが各時間−周波数リソースをＵＥへ送信する時点と第１の宛先アドレスとの間のマッピング関係であってよく、リソーススケジューリング期間における各時間−周波数リソースの位置と第１の宛先アドレスとの間のマッピング関係であってよく、または、各時間−周波数リソースが属する周波数帯域と第１の宛先アドレスとの間のマッピング関係であってよい。
【０１７２】
ＵＥがネットワークデバイスに登録されている場合、第２の指示情報がネットワークデバイスによりＵＥへ送信されるとき、マッピング関係は、各時間−周波数リソースと、第１の宛先アドレスのインデックスとの間のマッピング関係であってよく、ネットワークデバイスが各時間−周波数リソースをＵＥへ送信する時点と第１の宛先アドレスのインデックスとの間のマッピング関係であってよく、リソーススケジューリング期間における各時間−周波数リソースの位置と第１の宛先アドレスのインデックスとの間のマッピング関係であってよく、または、各時間−周波数リソースが属する周波数帯域と第１の宛先アドレスのインデックスとの間のマッピング関係であってよい。
【０１７３】
ネットワークデバイスが、第１の指示情報に従って、ＵＥが複数の時間−周波数リソースを用いることによって１つのリソーススケジューリング期間においてデータを少なくとも１つの宛先アドレスへ送信できることを知った後に、ネットワークデバイスは、ネットワークデバイスの現在利用可能な時間−周波数リソースの数量に従って、リソース要求メッセージにおいて保持されている複数の第１の送信されるべきデータにそれぞれ対応する宛先アドレスにおける少なくとも２つの宛先アドレスにそれぞれ対応する第１の送信されるべきデータのデータ量を判定し（判定された少なくとも２つの宛先アドレスは、第１の宛先アドレスであり）、少なくとも２つの宛先アドレスにそれぞれ対応する第１の送信されるべきデータのデータ量に従って、ＵＥにより１つのリソーススケジューリング期間において「少なくとも２つの第１の送信されるべきデータの一部または全部（すなわち、第２の送信されるべきデータ）」を送信するために用いられる時間−周波数リソースをＵＥに割り当て、かつ、第２の指示情報を用いることによって割り当てられた時間−周波数リソースと第１の宛先アドレスとの間のマッピング関係をＵＥへ送信してよく、これにより、ＵＥは、ネットワークデバイスの第２の指示情報において示されている第１の宛先アドレスと、それぞれの第１の宛先アドレスに対応する時間−周波数リソースのサイズとに従って、第１の宛先アドレスに対応する第１の送信されるべきデータの一部または全部を第２の送信されるべきデータとして使用し、１つのＳＣリソーススケジューリング期間においてこれらの第２の送信されるべきデータを送信することができる。
【０１７４】
任意で、この実施形態の別の実装方式において、第２の指示情報は代わりに、ネットワークデバイスおよびＵＥにおいて予め設定されてよく、これにより、ネットワークデバイスは、予め設定された第２の指示情報に従って、時間−周波数リソースをＵＥに割り当てることができ、ＵＥは、予め設定された第２の指示情報に従って、ネットワークデバイスにより割り当てられた時間−周波数リソースを使用することができる。
【０１７５】
当業者は、この実施形態において提供されている方法は、ネットワークデバイスが１つの時間−周波数リソースをＵＥに割り当てる場合にも適用されることを理解し得ることに留意すべきである。この場合において達成される技術的効果は、この実施形態の技術的効果と同じであり、詳細は、ここでは再び説明しない。
【０１７６】
本願発明のこの実施形態において提供されるデータ送信方法によれば、ＵＥは、ネットワークデバイスにより送信された、ネットワークデバイスによりＵＥに割り当てられた時間−周波数リソースと第１の宛先アドレスとの間のマッピング関係を受信し、これにより、ＵＥは、時間−周波数リソースを適切に用いることによってマッピング情報に従ってデータを送信することができる。このことは、時間−周波数リソースの無駄を回避する。
【０１７７】
さらに、実施形態５に基づき、実施形態７において、第１の指示情報は、リソース要求メッセージにおいて保持されてよく、実施形態７は、ＵＥがどのように、第１の指示情報を用いることによって、ＵＥが複数の時間−周波数リソースを用いることによって１つのリソーススケジューリング期間においてデータを少なくとも１つの宛先アドレスへ送信できることをネットワークデバイスに示すかという具体的なプロセスに関する。具体的には３つの実装方式が存在し得て、その詳細は別々に以下の通りである。
【０１７８】
第１の実装方式：第１の指示情報は、能力指示情報であり、能力指示情報は、ＵＥが複数の時間−周波数リソースを用いることによって１つのリソーススケジューリング期間においてデータを少なくとも１つの宛先アドレスへ送信する能力を有することをネットワークデバイスに通知するために、ネットワークデバイスに、能力指示情報に従って、ＵＥにより１つのリソーススケジューリング期間において用いられ得る時間−周波数リソースの予め設定された第１の最大数量を取得するよう命令するために用いられる。
【０１７９】
具体的には、第１の指示情報は、ＵＥが複数の時間−周波数リソースを用いることによって１つのリソーススケジューリング期間においてデータを少なくとも１つの宛先アドレスへ送信する能力を有するかを示すために、かつ、ネットワークデバイスに、能力指示情報に従って、ＵＥにより１つのリソーススケジューリング期間において用いられ得る時間−周波数リソースの予め設定された第１の最大数量を取得するよう命令するために用いられる能力指示情報であり、能力指示情報は、１または複数のビットを含んでよい。具体的な実行の間に、ＵＥにより送信されたリソース要求メッセージのオーバーヘッドを低減するために、１ビットは、第１の指示情報として機能すべく、リソース要求メッセージにおいて設定されてよく、ビットの値は０または１であってよい。第１の指示情報の対応関係は、以下であり得る。０は、ＵＥが複数の時間−周波数リソースを用いることによって１つのリソーススケジューリング期間においてデータを少なくとも１つの宛先アドレスへ送信する能力を有することを示し、ネットワークデバイスに、能力指示情報に従って、ＵＥにより１つのリソーススケジューリング期間において用いられ得る時間−周波数リソースの予め設定された第１の最大数量を取得するよう命令する。１は、ＵＥが複数の時間−周波数リソースを用いることによって１つのリソーススケジューリング期間においてデータを少なくとも１つの宛先アドレスへ送信する能力を有さない（すなわち、ＵＥが１つの時間−周波数リソースのみを用いることによって１つのリソーススケジューリング期間においてデータを送信できる）ことを示す。あるいは、第１の指示情報の対応関係は、以下であり得る。１は、ＵＥが複数の時間−周波数リソースを用いることによって１つのリソーススケジューリング期間においてデータを少なくとも１つの宛先アドレスへ送信する能力を有することを示し、ネットワークデバイスに、能力指示情報に従って、ＵＥにより１つのリソーススケジューリング期間において用いられＵＥにより時間−周波数リソースの予め設定された第１の最大数量を取得するよう命令する。０は、ＵＥが複数の時間−周波数リソースを用いることによって１つのリソーススケジューリング期間においてデータを少なくとも１つの宛先アドレスへ送信する能力を有さないことを示す。
【０１８０】
それに応じて、能力指示情報の対応関係は、ネットワークデバイスにおいて予め設定されてよい。ＵＥが第１の指示情報（すなわち、能力指示情報）をネットワークデバイスへ送信した後に、ネットワークデバイスは、第１の指示情報（すなわち、能力指示情報）と能力指示情報の予め設定された対応関係とに従って、ＵＥが複数の時間−周波数リソースを用いることによって１つのリソーススケジューリング期間においてデータを少なくとも１つの宛先アドレスへ送信する能力を有するかを判定してよい。ネットワークデバイスが、ＵＥが複数の時間−周波数リソースを用いることによって１つのリソーススケジューリング期間においてデータを少なくとも１つの宛先アドレスへ送信する能力を有することを判定した後に、ネットワークデバイスはさらに、ＵＥにより１つのリソーススケジューリング期間において用いられ得る時間−周波数リソースの予め設定された第１の最大数量（すなわち、ＵＥにより１つのリソーススケジューリング期間において用いられ得るグラントの予め設定された最大数量）を取得してよく、これにより、ネットワークデバイスは、第１の最大数量、および複数の第１の送信されるべきデータにそれぞれ対応する宛先アドレスの数量のうちの最小値と、それぞれの第１の送信されるべきデータのデータ量とに従って、ＵＥにより１つのリソーススケジューリング期間において少なくとも２つの第２の送信されるべきデータを送信するために用いられる時間−周波数リソースをＵＥに割り当てることができる。従って、ＵＥは、１つのリソーススケジューリング期間において少なくとも２つの第２の送信されるべきデータを送信することができる。しかしながら、従来技術において、ネットワークデバイスは、ＵＥにより１つのリソーススケジューリング期間において１つの第２の送信されるべきデータを送信するために用いられる１つの時間−周波数リソースのみをＵＥに割り当て、これにより、ＵＥは、１つのリソーススケジューリング期間において１つの第２の送信されるべきデータのみしか送信できない。従って、本願発明のこの実施形態において提供されているデータ送信方法によれば、ＵＥのデータ送信効率が向上する。
【０１８１】
予め設定された第１の最大数量は、ネットワークデバイスにおいて記憶されてよいことに留意すべきである。本願発明のこの実施形態において、第１の最大数量は、１より大きい整数である。具体的な実行の間に、第１の最大数量は、リソース使用頻度とネットワークデバイスが位置するネットワークにおけるリソース占有率とに従って、判定されてよい。
【０１８２】
第２の実装方式：第１の指示情報は、リソース情報であり、ここで、リソース情報は、ＵＥに１つのリソーススケジューリング期間において実際に用いられ得る時間−周波数リソースの第２の最大数量をネットワークデバイスに示すために用いられ、第２の最大数量は、１より大きい。
【０１８３】
具体的には、第１の指示情報は、リソース情報であってよく、ここで、リソース情報は、１または複数のビットを含んでよく、ＵＥにより１つのリソーススケジューリング期間において実際に用いられ得る時間−周波数リソースの第２の最大数量（すなわち、ＵＥにより１つのリソーススケジューリング期間において実際に用いられ得るグラントの最大数量）をネットワークデバイスに示すために用いられる。任意で、リソース情報は、複数の時間−周波数リソースの数量についての情報、すなわち、ＵＥにより１つのリソーススケジューリング期間において実際に用いられ得る時間−周波数リソースの数量についての情報であってよい。任意で、リソース情報は代わりに、ＵＥがＤ２Ｄデータ送信を実行するプロセスの数量、すなわち、ＵＥがＤ２Ｄデータ送信を実行するプロセスの数量についての情報であってよい。
【０１８４】
ＵＥが第１の指示情報（すなわち、リソース情報）をネットワークデバイスへ送信した後に、ネットワークデバイスは、第１の指示情報（すなわち、リソース情報）に従って、ＵＥが複数の時間−周波数リソースを用いることによって１つのリソーススケジューリング期間においてデータを少なくとも１つの宛先アドレスへ送信する能力を有するかを暗黙的に判定してよい。具体的には、第２の最大数量が１より大きい場合、ＵＥが少なくとも２つの時間−周波数リソースを用いることによって１つのリソーススケジューリング期間においてデータを送信できることを示し、ネットワークデバイスは、ＵＥが複数の時間−周波数リソースを用いることによって１つのリソーススケジューリング期間においてデータを少なくとも１つの宛先アドレスへ送信する能力を有することを判定する。第２の最大数量が１に等しい場合、ＵＥが１つの時間−周波数リソースのみを用いることによって１つのリソーススケジューリング期間においてデータを送信できることを示し、ネットワークデバイスは、ＵＥが複数の時間−周波数リソースを用いることによって１つのリソーススケジューリング期間においてデータを少なくとも１つの宛先アドレスへ送信する能力を有さないことを判定する。
【０１８５】
ＵＥが複数の時間−周波数リソースを用いることによって１つのリソーススケジューリング期間においてデータを少なくとも１つの宛先アドレスへ送信する能力を有することをネットワークデバイスが判定した後に、ネットワークデバイスは、第１の指示情報において保持されている第２の最大数量、および複数の第１の送信されるべきデータにそれぞれ対応する宛先アドレスの数量のうちの最小値と、それぞれの第１の送信されるべきデータのデータ量とに従って、ＵＥにより１つのリソーススケジューリング期間において少なくとも２つの第２の送信されるべきデータを送信するために用いられる時間−周波数リソースをＵＥに割り当て、これにより、ＵＥは、１つのリソーススケジューリング期間において少なくとも２つの第２の送信されるべきデータを送信することができる。しかしながら、従来技術において、ネットワークデバイスは、ＵＥにより１つのリソーススケジューリング期間において１つの第２の送信されるべきデータを送信するために用いられる１つの時間−周波数リソースのみをＵＥに割り当て、これにより、ＵＥは、１つのリソーススケジューリング期間において１つの第２の送信されるべきデータのみしか送信できない。従って、本願発明のこの実施形態において提供されているデータ送信方法によれば、ＵＥのデータ送信効率が向上する。
【０１８６】
第３の実装方式：第１の指示情報は、能力指示情報およびリソース情報を含み、ここで、能力指示情報は、ＵＥが複数の時間−周波数リソースを用いることによって１つのリソーススケジューリング期間においてデータを少なくとも１つの宛先アドレスへ送信する能力を有することをネットワークデバイスに通知するために用いられ、リソース情報は、ＵＥにより１つのリソーススケジューリング期間において実際に用いられ得る時間−周波数リソースの第２の最大数量をネットワークデバイスに示すために用いられる。
【０１８７】
具体的には、第１の指示情報は、能力指示情報およびリソース情報を含んでよく、ここで、能力指示情報は、１または複数のビットを含んでよく、ＵＥが複数の時間−周波数リソースを用いることによって１つのリソーススケジューリング期間においてデータを少なくとも１つの宛先アドレスへ送信する能力を有するかを示すために用いられ、リソース情報は、１または複数のビットを含んでよく、ＵＥにより１つのリソーススケジューリング期間において実際に用いられ得る時間−周波数リソースの第２の最大数量（すなわち、ＵＥにより１つのリソーススケジューリング期間において実際に用いられ得るグラントの最大数量）をネットワークデバイスに示すために用いられる。任意で、リソース情報は、複数の時間−周波数リソースの数量、すなわち、ＵＥにより１つのリソーススケジューリング期間において実際に用いられ得る時間−周波数リソースの最大数量についての情報であってよい。任意で、リソース情報は代わりに、ＵＥがＤ２Ｄデータ送信を実行するプロセスの数量、すなわち、ＵＥがＤ２Ｄデータ送信を実行するプロセスの数量についての情報であってよい。
【０１８８】
それに応じて、能力指示情報の対応関係は、ネットワークデバイスにおいて予め設定されてよい。ＵＥが第１の指示情報をネットワークデバイスへ送信した後に、ネットワークデバイスは、第１の指示情報において保持されている能力指示情報と、能力指示情報の予め設定された対応関係とに従って、ＵＥが複数の時間−周波数リソースを用いることによって１つのリソーススケジューリング期間においてデータを少なくとも１つの宛先アドレスへ送信する能力を有するかを判定してよい。ネットワークデバイスが、ＵＥが複数の時間−周波数リソースを用いることによって１つのリソーススケジューリング期間においてデータを少なくとも１つの宛先アドレスへ送信する能力を有することを判定した後に、ネットワークデバイスはさらに、第１の指示情報において保持されているリソース情報、すなわち、ＵＥにより１つのリソーススケジューリング期間において実際に用いられ得る時間−周波数リソースの第２の最大数量を取得してよく、これにより、ネットワークデバイスは、第２の最大数量、および複数の第１の送信されるべきデータにそれぞれ対応する宛先アドレスの数量のうちの最小値と、それぞれの第１の送信されるべきデータのデータ量とに従って、ＵＥにより１つのリソーススケジューリング期間において少なくとも２つの第２の送信されるべきデータを送信するために用いられる時間−周波数リソースをＵＥに割り当てることができる。従って、ＵＥは、１つのリソーススケジューリング期間において少なくとも２つの第２の送信されるべきデータを送信することができる。しかしながら、従来技術において、ネットワークデバイスは、ＵＥにより１つのリソーススケジューリング期間において１つの第２の送信されるべきデータを送信するために用いられる１つの時間−周波数リソースのみをＵＥに割り当て、これにより、ＵＥは、１つのリソーススケジューリング期間において１つの第２の送信されるべきデータのみしか送信できない。従って、本願発明のこの実施形態において提供されているデータ送信方法によれば、ＵＥのデータ送信効率が向上する。
【０１８９】
図５は、本発明の実施形態に係るデータ送信方法の実施形態８の概略フローチャートである。実施形態７の第１の実装方式において説明されているように、ＵＥによりネットワークデバイスへ送信された第１の指示情報が能力指示情報である場合、ネットワークデバイスは、ＵＥにより１つのリソーススケジューリング期間において用いられ得る時間−周波数リソースの予め設定された第１の最大数量、および複数の第１の送信されるべきデータにそれぞれ対応する宛先アドレスの数量のうちの最小値と、それぞれの第１の送信されるべきデータのデータ量とに従って、ＵＥにより１つのリソーススケジューリング期間において少なくとも２つの第２の送信されるべきデータを送信するために用いられる時間−周波数リソースをＵＥに割り当てる。この場合、ネットワークデバイスは、ＵＥにより１つのリソーススケジューリング期間において実際に用いられ得る時間−周波数リソースの第２の最大数量を取得することができないので、ＵＥにより１つのリソーススケジューリング期間において用いられる、ネットワークデバイスによりＵＥに割り当てられた時間−周波数リソースの数量は、ＵＥにより１つのリソーススケジューリング期間において実際に用いられ得る時間−周波数リソースの第２の最大数量より大きい場合がある。従って、実施形態８は、ネットワークデバイスにより割り当てられた時間−周波数リソースの数量が、ＵＥにより１つのリソーススケジューリング期間において実際に用いられ得る時間−周波数リソースの第２の最大数量より大きい場合、ＵＥがどのように、ネットワークデバイスにより割り当てられた時間−周波数リソースに応じて、１つのリソーススケジューリング期間において少なくとも２つの第２の送信されるべきデータを送信するかという具体的なプロセスに関する。図５に示されているように、方法は、以下の段階を備える。
【０１９０】
Ｓ５０１：ＵＥが、ネットワークデバイスにより割り当てられた時間−周波数リソースを受信し、ネットワークデバイスにより割り当てられた受信された時間−周波数リソースの数量が第２の最大数量より大きいかを判定する段階であり、第２の最大数量より大きい場合、Ｓ５０２が実行され、第２の最大数量より大きくない場合、プロセスが終了する。
【０１９１】
具体的には、ＵＥがネットワークデバイスにより割り当てられた時間−周波数リソースを受信する場合、ＵＥは、ネットワークデバイスにより割り当てられた、受信された時間−周波数リソースの数量（すなわち、１つのリソーススケジューリング期間において、ネットワークデバイスによりＵＥへ送信された、受信されたグラントの数量）を記録し、ネットワークデバイスにより割り当てられた受信された時間−周波数リソースの記録された数量をＵＥに記憶されている第２の最大数量と比較してよい。ネットワークデバイスにより割り当てられた時間−周波数リソースの数量が第２の最大数量より大きい場合、ネットワークデバイスにより割り当てられた時間−周波数リソースの数量がＵＥにより１つのリソーススケジューリング期間において実際に用いられ得る時間−周波数リソースの最大数量より大きいことを示し、すなわち、ＵＥは、１つのリソーススケジューリング期間においてネットワークデバイスにより割り当てられた時間−周波数リソースのうちの一部のみを用いることによってデータを送信することができ、Ｓ５０２が実行される。ネットワークデバイスにより割り当てられた時間−周波数リソースの数量が第２の最大数量以下である場合、ネットワークデバイスにより割り当てられた時間−周波数リソースの数量がＵＥにより１つのリソーススケジューリング期間において実際に用いられ得る時間−周波数リソースの最大数量以下であることを示し、すなわち、ＵＥは、１つのリソーススケジューリング期間においてネットワークデバイスにより割り当てられた全ての時間−周波数リソースを用いることによってデータを送信することができ、プロセスは終了する。
【０１９２】
Ｓ５０２：ＵＥが、ネットワークデバイスが時間−周波数リソースを割り当てるシーケンスと、第２の最大数量とに従って、時間−周波数リソースから、第１の時間−周波数リソースを選択する段階である。
【０１９３】
具体的には、ＵＥが、ネットワークデバイスにより割り当てられた時間−周波数リソースの数量がＵＥにより１つのリソーススケジューリング期間において実際に用いられ得る時間−周波数リソースの最大数量より大きいと判定したとき、すなわち、ＵＥは、ネットワークデバイスにより割り当てられた時間−周波数リソースのうちの一部のみを用いることによって１つのリソーススケジューリング期間においてデータを送信することができるとき、ＵＥは、ネットワークデバイスが時間−周波数リソースを割り当てるシーケンスと、第２の最大数量とに従って、時間−周波数リソースから、第１の時間−周波数リソースを選択してよい。選択された第１の時間−周波数リソースの数量は、第２の最大数量以下であってよい。
【０１９４】
例えば、ネットワークデバイスにより割り当てられ、ＵＥにより受信された時間−周波数リソースの数量が６であり、ＵＥに１つのリソーススケジューリング期間においてより実際に用いられ得る時間−周波数リソースの第２の最大数量が４であることを仮定し、ここで、ネットワークデバイスがＵＥにより受信された時間−周波数リソースを割り当てるシーケンスは、表１に列挙されている。
【表１】
0006560450.tif 000002
【０１９５】
ＵＥは、ネットワークデバイスが表１の時間−周波数リソースを割り当てシーケンス、すなわち、ネットワークデバイスがＵＥにより受信された時間−周波数リソースを割り当てシーケンスと、第２の最大数量（この例において、第２の最大数量は４である）とに従って、表１の複数の時間−周波数リソースから、第１の時間−周波数リソースを選択してよい。
【０１９６】
任意で、ＵＥは、表１の１から４に対応する時間−周波数リソースを第１の時間−周波数リソースとして使用してよく、すなわち、時間−周波数リソース１、時間−周波数リソース２、時間−周波数リソース３、および時間−周波数リソース４を、第１の時間−周波数リソースとして使用してよい。
【０１９７】
任意で、ＵＥは、表１の３から６に対応する時間−周波数リソースを第１の時間−周波数リソースとして使用してよく、すなわち、時間−周波数リソース３、時間−周波数リソース４、時間−周波数リソース５、および時間−周波数リソース６を第１の時間−周波数リソースとして使用してよい。
【０１９８】
任意で、ＵＥは、表１の１から３および６に対応する時間−周波数リソースを第１の時間−周波数リソースとして使用してよく、すなわち、時間−周波数リソース１、時間−周波数リソース２、時間−周波数リソース３、および時間−周波数リソース６を第１の時間−周波数リソースとして使用してよい。
【０１９９】
Ｓ５０３：ＵＥが、複数の第１の送信されるべきデータにそれぞれ対応する宛先アドレスに従って、第１の時間−周波数リソース上で少なくとも２つの第２の送信されるべきデータを送信する段階である。
【０２００】
具体的には、ＵＥが複数の時間−周波数リソースにおいて第１の時間−周波数リソースを判定した後に、ＵＥは、第１の時間−周波数リソースの数量に従って複数の第１の送信されるべきデータから第２の送信されるべきデータを判定してよく、ここで、ＵＥにより選択された第２の送信されるべきデータの数量は、ＵＥにより判定された第１の時間−周波数リソースの数量と同じであってよい。次に、ＵＥは、１つの第１の時間−周波数リソースをそれぞれの第２の送信されるべきデータに割り当て、それぞれの第２の送信されるべきデータにそれぞれ対応する宛先アドレスに従って、第１の時間−周波数リソースを用いることによって１つのリソーススケジューリング期間において全ての第２の送信されるべきデータを送信してよい。
【０２０１】
任意で、ＵＥにより送信されたそれぞれの第２の送信されるべきデータを宛先アドレスが属する受信側が受信できることを保証するために、ＵＥが１つのリソーススケジューリング期間においてそれぞれの第２の送信されるべきデータを送信するとき、ＵＥは、複数回でそれぞれの第２の送信されるべきデータを再伝送する。ＵＥは、ＵＥにより送信された第２の送信されるべきデータが、最初の伝送中に受信側により正確に復号されることができるか、または、複数回の再伝送後に受信側により正確に復号されることができるかを判定できない。従って、ＵＥにより同じ宛先アドレスへ送信されたデータが乱れる状況を回避するために、ＵＥが複数の第１の送信されるべきデータから第２の送信されるべきデータを判定する場合、各判定された第２の送信されるべきデータは、異なる宛先アドレスに対応する。すなわち、過度に大きいデータ量に起因して、１つの時間−周波数リソースを用いて第１の送信されるべきデータを送信することができない場合、ＵＥは、第１の送信されるべきデータを複数の第２の送信されるべきデータに分割して、異なるリソーススケジューリング期間においてその複数の第２の送信されるべきデータを送信し、これにより、ＵＥにより同じ宛先アドレスへ送信されたデータは、同じ宛先アドレスにおいて受信側により順次に受信され得る。任意で、過度に大きいデータ量に起因して１つの時間−周波数リソースを用いて第１の送信されるべきデータを送信できない場合、ＵＥが第１の送信されるべきデータを複数の第２の送信されるべきデータに分割するとき、複数の第２の送信されるべきデータは、同じ宛先アドレスに対応して、異なる論理チャネルに属する。この場合、ＵＥは、複数の時間−周波数リソースを用いることによって、同じリソーススケジューリング期間において同じ宛先アドレスに対応するこれらの第２の送信されるべきデータを送信することができ、これにより、ＵＥにより同じリソーススケジューリング期間において同じ宛先アドレスへ送信されたデータは、同じ宛先アドレスにおいて受信側により順次に受信され得る。
【０２０２】
Ｓ５０３完了後、プロセスは終了する。
【０２０３】
本願発明のこの実施形態において提供されているデータ送信方法に従って、ＵＥは、第１の指示情報をネットワークデバイスへ送信し、これにより、ネットワークデバイスは、ＵＥが複数の時間−周波数リソースを用いることによって１つのリソーススケジューリング期間においてデータを少なくとも１つの宛先アドレスへ送信できることを知ることができる。従って、ＵＥが、リソース要求メッセージを用いることによって、ＵＥが複数の送信されるべきデータを有することをネットワークデバイスに通知する場合、ネットワークデバイスは、１つのリソーススケジューリング期間において用いられる複数の時間−周波数リソースをＵＥに割り当ててよく、これにより、ＵＥは、複数の時間−周波数リソースを用いることによって、１つのリソーススケジューリング期間においてデータを送信することができ、それにより、ＵＥのデータ送信遅延が低減され、ＵＥのデータ送信効率が向上する。
【０２０４】
図６は、本発明の実施形態に係るデータ送信方法の実施形態９の概略フローチャートである。実施形態９は、ネットワークデバイスがどのように、予め設定された条件に従って、時間−周波数リソースをＵＥに割り当て、これにより、ＵＥは、時間−周波数リソースを適切に用いることによってデータを送信するかという具体的なプロセスに関する。図６に示されているように、方法は、以下の段階を含む。
【０２０５】
Ｓ６０１：ネットワークデバイスが、ユーザ機器ＵＥにより送信されたリソース要求メッセージを受信する段階であり、ここで、リソース要求メッセージは、ネットワークデバイスと、ＵＥの第１の宛先アドレスと、第１の宛先アドレスに対応する送信されるべきデータのデータ量とを示すために用いられる。
【０２０６】
具体的には、ネットワークデバイスは、Ｄ２Ｄ通信システムにおける、ＵＥによりＤ２Ｄ通信を実行するために用いられる時間−周波数リソースをＵＥに割り当てる任意のネットワークデバイスであってよく、ＵＥは、Ｄ２Ｄ通信機能を有する任意のＵＥであってよい。この実施形態において、ＵＥは、複数の送信されるべきデータを送信する必要がある状態にあり、ここで、それぞれの送信されるべきデータは、第１の宛先アドレスに対応する。先述のリソース要求メッセージは、従来技術における、時間−周波数リソースを要求するべくＵＥによりネットワークデバイスへ送信されるバッファ状態報告（Ｂｕｆｆｅｒ  Ｓｔａｔｕｓ  Ｒｅｐｏｒｔ、略してＢＳＲ）であってよい。詳細はこの実施形態において詳述しない。
【０２０７】
本明細書において言及される時間−周波数リソースは、ネットワークデバイスによりＵＥへ送信されるリソースグラント（すなわち、グラントであり、該グラントは具体的にはＤ２Ｄ通信システムにおけるサイドリンクグラントであり得る）に含まれる時間−周波数リソースとして理解され得ることに留意すべきである。
【０２０８】
Ｓ６０２：ネットワークデバイスが、予め設定された条件に従って、第１の宛先アドレスに対応するスケジューリング時間および／または周波数リソースを判定する段階である。
【０２０９】
予め設定された条件は、ネットワークデバイスにおいて予め設定されてよい。任意で、予め設定された条件は、ＵＥにより送信されるリソース要求メッセージにおける第１の宛先アドレスと、スケジューリング時間（スケジューリング時間は、ネットワークデバイスがリソースグラントをＵＥへ送信する時点である）との間のマッピング関係であってよく、ＵＥにより送信されるリソース要求メッセージにおける第１の宛先アドレスと、周波数リソース（周波数リソースは、ネットワークデバイスによりリソースグラントをＵＥへ送信するために用いられる周波数である）との間のマッピング関係であってよく、ＵＥにより送信されるリソース要求メッセージにおける第１の宛先アドレスのインデックスと、スケジューリング時間との間のマッピング関係であってよく、または、ＵＥにより送信されるリソース要求メッセージにおける第１の宛先アドレスのインデックスと、周波数リソースとの間のマッピング関係であってよい。
【０２１０】
ネットワークデバイスがＵＥにより送信されたリソース要求メッセージを受信した後に、ネットワークデバイスは、ネットワークデバイスの現在利用可能な時間−周波数リソースの数量と、予め設定された条件と、リソース要求メッセージにおいて保持されている複数の送信されるべきデータにそれぞれ対応する第１の宛先アドレスとに従って、それぞれの第１の宛先アドレスに対応するスケジューリング時間および／または周波数リソースを判定し、各宛先アドレスに対応するデータ量に従って、各宛先アドレスに対応する送信されるべきデータの時間−周波数リソースを割り当ててよい。
【０２１１】
Ｓ６０３：ネットワークデバイスが、第１の宛先アドレスに対応する判定されたスケジューリング時間においておよび／または第１の宛先アドレスに対応する判定された周波数リソース上で、スケジューリング情報をＵＥへ送信する段階であり、ここで、スケジューリング情報は、ＵＥの第１の宛先アドレスに対応する送信されるべきデータの時間−周波数リソースをＵＥに示すために用いられる。
【０２１２】
具体的には、リソーススケジューリング情報は、従来技術における、ネットワークデバイスによりＵＥへ送信されるリソースグラント（すなわち、グラントであり、該グラントは具体的にはＤ２Ｄ通信システムにおけるサイドリンクグラントであり得る）において保持されてよく、ＵＥの第１の宛先アドレスに対応する送信されるべきデータの時間−周波数リソースをＵＥに示すために用いられる。
【０２１３】
ネットワークデバイスが、それぞれの第１の宛先アドレスに対応するスケジューリング時間および／または周波数リソースを判定した後に、ネットワークデバイスは、それぞれの第１の宛先アドレスに対応する判定されたスケジューリング時間においておよび／または判定された周波数リソース上で、スケジューリング情報をＵＥへ送信してよい。１つ又は複数のスケジューリング情報が存在してよく、それぞれのスケジューリング情報は、ネットワークデバイスにより１つの第１の宛先アドレスに対応する送信されるべきデータのために割り当てられた時間−周波数リソースを含む。任意で、同一の改めて設定された条件は、ネットワークデバイスのスケジューリング情報を受信するＵＥにおいても設定されてよく、これにより、ネットワークデバイスにより送信されたスケジューリング情報を受信した後に、ＵＥは、スケジューリング情報と予め設定された条件とに従って、スケジューリング情報を用いることによって対応する送信されるべきデータが送信された第１の宛先アドレスを判定することができる。従って、ＵＥは、スケジューリング情報における時間−周波数リソースのサイズと、判定された第１の宛先アドレスに対応する送信されるべきデータのデータ量とに従って、時間−周波数リソースを用いることによって第１の宛先アドレスに対応する送信されるべきデータの一部または全部を送信してよい。
【０２１４】
任意で、Ｓ６０３の前に、方法はさらに、ネットワークデバイスが、第２の指示情報をＵＥへ送信する段階であって、第２の指示情報は、第１の宛先アドレスと、スケジューリング時間および／または周波数リソースとの間のマッピング関係をＵＥに示すために用いられる、段階を備えてよい。
【０２１５】
具体的には、第２の指示情報は、ネットワークデバイスが毎回時間−周波数リソースをＵＥに割り当てる前に、ＵＥへ送信されてよい。任意で、第２の指示情報は、無線リソース制御（Ｒａｄｉｏ  Ｒｅｓｏｕｒｃｅ  Ｃｏｎｔｒｏｌ、略してＲＲＣ）メッセージにおいて保持されてよく、またはリソースグラント（すなわち、グラントであり、該グラントは具体的にはＤ２Ｄ通信システムにおけるサイドリンクグラントであり得る）メッセージにおいて保持されてよい。
【０２１６】
ネットワークデバイスにおける改めて設定された条件と同一の改めて設定された条件がＵＥにおいて設定されていない場合、ネットワークデバイスは、第２の指示情報を用いることによって、第１の宛先アドレスと、スケジューリング時間および／または周波数リソースとの間のマッピング関係をＵＥへ送信してよく、これにより、ネットワークデバイスにより送信されたスケジューリング情報を受信した後に、ＵＥは、スケジューリング情報と予め設定された条件とに従って、対応する送信されるべきデータがスケジューリング情報を用いることによって送信される第１の宛先アドレスを判定することができる。従って、ＵＥは、スケジューリング情報における時間−周波数リソースのサイズと、判定された第１の宛先アドレスに対応する送信されるべきデータのデータ量とに従って、時間−周波数リソースを用いることによって、第１の宛先アドレスに対応する送信されるべきデータの一部または全部を送信してよい。
【０２１７】
従来技術において、ＵＥによりネットワークデバイスへ送信されるリソース要求メッセージが複数の送信されるべきデータにそれぞれ対応する第１の宛先アドレスを含むとき、ＵＥは、ネットワークデバイスが時間−周波数リソースを割り当てるために従うデータ量に対応する送信されるべきデータを知らないので、ＵＥがネットワークデバイスにより割り当てられた各時間−周波数リソースを使用するとき、ＵＥは、ＵＥの複数の送信されるべきデータから１つの送信されるべきデータの一部または全部をランダムに選択して送信する。この場合、ＵＥにより時間−周波数リソースを用いることによって送信されたデータのデータ量が比較的小さい一方、ネットワークデバイスにより割り当てられた時間−周波数リソースが比較的大きい数量のリソースブロックを含むことが可能であり、結果的に、時間−周波数リソースにおけるいくつかのリソースブロックの無駄となる。しかしながら、本願発明のこの実施形態において提供されているデータ送信方法によれば、第１の宛先アドレスと、スケジューリング時間および／または周波数リソースとの間のマッピング関係がネットワークデバイスおよびＵＥにおいて予め設定されたので、ネットワークデバイスは、予め設定されたマッピング関係に従って、時間−周波数リソースをＵＥに割り当ててよい。従って、時間−周波数リソースを受信した後に、ＵＥは、予め設定されたマッピング関係に従って、ネットワークデバイスにより割り当てられた時間−周波数リソースを用いることによって部分的にまたは全体に送信されるべき送信されるべきデータを知ることができ、ＵＥは、時間−周波数リソースを正確に用いることによってデータを送信することができる。このことは、ＵＥが時間−周波数リソースを用いることによって他のデータを送信することに起因する時間−周波数リソースの無駄となるという問題を回避する。
【０２１８】
本願発明のこの実施形態において提供されているデータ送信方法によれば、第１の宛先アドレスと、スケジューリング時間および／または周波数リソースとの間のマッピング関係は、ネットワークデバイスおよびＵＥにおいて予め設定され、ネットワークデバイスは、予め設定されたマッピング関係に従って、時間−周波数リソースをＵＥに割り当てることができ、これにより、ＵＥは、時間−周波数リソースを適切に用いることよって、予め設定されたマッピング関係に従ってデータを送信することができる。このことは、時間−周波数リソースの無駄を回避する。
【０２１９】
図７は、本発明の実施形態に係るデータ送信方法の実施形態１０の概略フローチャートである。実施形態１０は、ＵＥがどのように、予め設定された条件に従って、ネットワークデバイスによりＵＥに割り当てられた時間−周波数リソースを使用し、これにより、ＵＥが時間−周波数リソースを適切に用いることによってデータを送信するかという具体的なプロセスに関する。図７に示されているように、方法は、以下の段階を備える。
【０２２０】
Ｓ７０１：ユーザ機器ＵＥが、リソース要求メッセージをネットワークデバイスへ送信する段階であり、ここで、リソース要求メッセージは、ＵＥの第１の宛先アドレスと、第１の宛先アドレスに対応する送信されるべきデータのデータ量とをネットワークデバイスに示すために用いられる。
【０２２１】
具体的には、ＵＥは、Ｄ２Ｄ通信機能を有する任意のＵＥであってよく、ネットワークデバイスは、ＵＥによりＤ２Ｄ通信を実行するために用いられる時間−周波数リソースをＵＥに割り当てる、Ｄ２Ｄ通信システムにおける任意のネットワークデバイスであってよい。この実施形態において、ＵＥは、それぞれの送信されるべきデータが第１の宛先アドレスに対応する複数の送信されるべきデータを送信する必要がある状態にある。先述のリソース要求メッセージは、従来技術における時間−周波数リソースを要求するべくＵＥによりネットワークデバイスへ送信されるバッファ状態報告（Ｂｕｆｆｅｒ  Ｓｔａｔｕｓ  Ｒｅｐｏｒｔ、略してＢＳＲ）であってよい。詳細はこの実施形態において詳述しない。
【０２２２】
本明細書において言及されている時間−周波数リソースは、ネットワークデバイスによりＵＥへ送信されるリソースグラント（すなわち、グラントであり、該グラントは具体的にはＤ２Ｄ通信システムにおけるサイドリンクグラントであり得る）に含まれる時間−周波数リソースとして理解されてよいことに留意すべきである。
【０２２３】
予め設定された条件は、ネットワークデバイスにおいて予め設定されてよい。任意で、予め設定された条件は、ＵＥにより送信されるリソース要求メッセージにおける第１の宛先アドレスと、スケジューリング時間（スケジューリング時間は、ネットワークデバイスがリソースグラントをＵＥへ送信する時点である）との間のマッピング関係であってよく、ＵＥにより送信されるリソース要求メッセージにおける第１の宛先アドレスと周波数リソース（周波数リソースは、ネットワークデバイスによりリソースグラントをＵＥへ送信するために用いられる周波数である）との間のマッピング関係であってよく、ＵＥにより送信されるリソース要求メッセージにおける第１の宛先アドレスのインデックスと、スケジューリング時間との間のマッピング関係であってよく、または、ＵＥにより送信されるリソース要求メッセージにおける第１の宛先アドレスのインデックスと、周波数リソースとの間のマッピング関係であってよい。
【０２２４】
ＵＥがリソース要求メッセージをネットワークデバイスへ送信した後に、ネットワークデバイスは、ネットワークデバイスの現在利用可能な時間−周波数リソースの数量と、予め設定された条件と、リソース要求メッセージにおいて保持されている複数の送信されるべきデータにそれぞれ対応する第１の宛先アドレスとに従って、それぞれの第１の宛先アドレスに対応するスケジューリング時間および／または周波数リソースを判定し、各宛先アドレスに対応するデータ量に従って、各宛先アドレスに対応する送信されるべきデータのための時間−周波数リソースを割り当て、それぞれの第１の宛先アドレスに対応する判定されたスケジューリング時間においておよび／または判定された周波数リソース上で、スケジューリング情報を送信してよい。１つ又は複数のスケジューリング情報が存在してよく、それぞれのスケジューリング情報は、ネットワークデバイスにより１つの第１の宛先アドレスに対応する送信されるべきデータのために割り当てられた時間−周波数リソースを含む。リソーススケジューリング情報は、従来技術におけるネットワークデバイスによりＵＥへ送信されるリソースグラント（すなわち、グラントであり、該グラントは具体的にはＤ２Ｄ通信システムにおけるサイドリンクグラントであり得る）において保持されてよく、ＵＥの第１の宛先アドレスに対応する送信されるべきデータの時間−周波数リソースをＵＥに示すために用いられる。
【０２２５】
Ｓ７０２：ＵＥが、ネットワークデバイスにより送信されたスケジューリング情報を受信し、スケジューリング情報と、予め設定された条件とに従って、リソーススケジューリング期間において第１の宛先アドレスに対応する送信されるべきデータを送信する段階であり、ここで、スケジューリング情報は、ＵＥの第１の宛先アドレスに対応する送信されるべきデータの時間−周波数リソースをＵＥに示すために用いられる。
【０２２６】
この実施形態において、予め設定された条件は、ＵＥにおいて予め設定され、予め設定された条件がネットワークデバイスにおいて予め設定された予め設定された条件と同じである場合、ネットワークデバイスにより送信されたスケジューリング情報を受信した後に、ＵＥは、スケジューリング情報と予め設定された条件とに従って、対応する送信されるべきデータがスケジューリング情報を用いることによって送信される第１の宛先アドレスを判定してよい。従って、ＵＥは、スケジューリング情報における時間−周波数リソースのサイズと、判定された第１の宛先アドレスに対応する送信されるべきデータのデータ量とに従って、時間−周波数リソースを用いることによって第１の宛先アドレスに対応する送信されるべきデータの一部または全部を送信してよい。
【０２２７】
本願発明の別の実装方式において、予め設定された条件は、ＵＥにおいて設定されない場合がある。任意で、Ｓ７０２の前に、方法はさらに、ＵＥが、ネットワークデバイスにより送信された第２の指示情報を受信する段階であって、第２の指示情報は、第１の宛先アドレスと、スケジューリング時間および／または周波数リソースとの間のマッピング関係をＵＥに示すために用いられる、段階を備えてよい。
【０２２８】
具体的には、第２の指示情報は、ネットワークデバイスが毎回、時間−周波数リソースをＵＥに割り当てる前に、ＵＥへ送信されてよい。任意で、第２の指示情報は、無線リソース制御（Ｒａｄｉｏ  Ｒｅｓｏｕｒｃｅ  Ｃｏｎｔｒｏｌ、略してＲＲＣ）メッセージにおいて保持されてよく、または、リソースグラント（すなわち、グラントであり、該グラントは具体的にはＤ２Ｄ通信システムにおけるサイドリンクグラントであり得る）メッセージにおいて保持されてよい。
【０２２９】
ネットワークデバイスにおける改めて設定された条件と同一の改めて設定された条件がＵＥにおいて設定されていない場合、ネットワークデバイスは、第２の指示情報を用いることによって、第１の宛先アドレスと、スケジューリング時間および／または周波数リソースとの間のマッピング関係をＵＥへ送信してよく、これにより、ネットワークデバイスにより送信されたスケジューリング情報を受信した後に、ＵＥは、スケジューリング情報と予め設定された条件とに従って、対応する送信されるべきデータがスケジューリング情報を用いることによって送信される第１の宛先アドレスを判定することができる。従って、ＵＥは、スケジューリング情報における時間−周波数リソースのサイズと、判定された第１の宛先アドレスに対応する送信されるべきデータのデータ量とに従って、時間−周波数リソースを用いることによって第１の宛先アドレスに対応する送信されるべきデータの一部または全部を送信してよい。
【０２３０】
本願発明のこの実施形態において提供されているデータ送信方法によれば、ＵＥは、ネットワークデバイスにより送信された、ネットワークデバイスによりＵＥに割り当てられた時間−周波数リソースと第１の宛先アドレスとの間のマッピング関係を受信し、これにより、ＵＥは、時間−周波数リソースを適切に用いることによってマッピング情報に従ってデータを送信することができる。このことは時間−周波数リソースの無駄を回避する。
【０２３１】
本願発明のこの実施形態において提供されているデータ送信方法によれば、第１の宛先アドレスと、スケジューリング時間および／または周波数リソースとの間のマッピング関係は、ＵＥおよびネットワークデバイスにおいて予め設定され、ネットワークデバイスは、予め設定されたマッピング関係に従って、時間−周波数リソースをＵＥに割り当てることができ、これにより、ＵＥは、時間−周波数リソースを適切に用いることによって予め設定されたマッピング関係に従って、データを送信することができる。このことは、時間−周波数リソースの無駄を回避する。
【０２３２】
方法の実施形態の段階の全てまたはいくつかは、関連ハードウェアに命令するプログラムにより実装され得ることを当業者は理解し得る。プログラムは、コンピュータ可読記憶媒体において記憶され得る。プログラムが動作するとき、方法の実施形態の段階が実行される。記憶媒体は、ＲＯＭ、ＲＡＭ、磁気ディスク、または光ディスクなどの、プログラムコードを記憶できる任意の媒体を含む。
【０２３３】
図８は、本願発明の実施形態に係るネットワークデバイスの実施形態１の概略構造図である。図８において示されているように、ネットワークデバイスは、受信モジュール１１および処理モジュール１２を備える。
【０２３４】
受信モジュール１１は、ユーザ機器ＵＥにより送信された第１の指示情報およびリソース要求メッセージを受信するよう構成され、ここで、第１の指示情報は、ＵＥが複数の時間−周波数リソースを用いることによって、１つのリソーススケジューリング期間においてデータを少なくとも１つの宛先アドレスへ送信できることを、ネットワークデバイスに通知するために用いられ、リソース要求メッセージは、ＵＥの複数の第１の送信されるべきデータにそれぞれ対応する宛先アドレスと、それぞれの第１の送信されるべきデータのデータ量とを、ネットワークデバイスに示すために用いられ、第１の送信されるべきデータは、少なくとも１つの第２の送信されるべきデータを含む。
【０２３５】
処理モジュール１２は、受信モジュール１１により受信された第１の指示情報およびリソース要求メッセージに従って、ＵＥによりリソーススケジューリング期間において少なくとも２つの第２の送信されるべきデータを送信するために用いられる時間−周波数リソースをＵＥに割り当てるよう構成される。
【０２３６】
本願発明のこの実施形態において提供されているネットワークデバイスは、先述の方法の実施形態を実行してよく、ネットワークデバイスの実装原理および技術的効果は、方法の実施形態の実装原理および技術的効果と同様である。詳細は、ここでは再び説明しない。
【０２３７】
さらに、先述の実施形態に基づき、リソース要求メッセージは、第１の指示情報を保持する。
【０２３８】
任意で、第１の指示情報は、能力指示情報であってよく、能力指示情報は、ＵＥが複数の時間−周波数リソースを用いることによって１つのリソーススケジューリング期間においてデータを少なくとも１つの宛先アドレスへ送信する能力を有することをネットワークデバイスに通知するために、ネットワークデバイスに、能力指示情報に従って、ＵＥによりリソーススケジューリング期間において用いられ得る時間−周波数リソースの予め設定された第１の最大数量を取得するよう命令するために用いられる。
【０２３９】
処理モジュール１２は具体的に、能力指示情報に従って、ＵＥによりリソーススケジューリング期間において用いられ得る時間−周波数リソースの予め設定された第１の最大数量を取得し、第１の最大数量、および複数の第１の送信されるべきデータにそれぞれ対応する宛先アドレスの数量のうちの最小値と、それぞれの第１の送信されるべきデータのデータ量とに従って、ＵＥによりリソーススケジューリング期間において少なくとも２つの第２の送信されるべきデータを送信するために用いられる時間−周波数リソースをＵＥに割り当てるよう構成される。
【０２４０】
本願発明のこの実施形態において提供されるネットワークデバイスは、先述の方法の実施形態を実行し得て、ネットワークデバイスの実装原理および技術的効果は、方法の実施形態の実装原理および技術的効果と同様である。詳細は、ここでは再び説明しない。
【０２４１】
任意で、第１の指示情報はリソース情報であってよく、リソース情報は、ＵＥによりリソーススケジューリング期間において実際に用いられ得る時間−周波数リソースの第２の最大数量をネットワークデバイスに示すために用いられ、第２の最大数量は、１より大きい。任意で、第１の指示情報は、能力指示情報およびリソース情報を含んでよく、ここで、能力指示情報は、ＵＥが複数の時間−周波数リソースを用いることによって、１つのリソーススケジューリング期間においてデータを少なくとも１つの宛先アドレスへ送信する能力を有することをネットワークデバイスに通知するために用いられ、リソース情報は、ＵＥによりリソーススケジューリング期間において実際に用いられ得る時間−周波数リソースの第２の最大数量をネットワークデバイスに示すために用いられる。リソース情報は、複数の時間−周波数リソースの数量についての情報であってよく、または、ＵＥがＤ２Ｄデータ送信を実行するプロセスの数量についての情報であってよい。
【０２４２】
第１の指示情報が、リソース情報であるか、または、能力情報およびリソース情報を含む場合、処理モジュール１２は具体的に、第２の最大数量、および複数の第１の送信されるべきデータにそれぞれ対応する宛先アドレスの数量のうちの最小値と、それぞれの第１の送信されるべきデータのデータ量とに従って、ＵＥによりリソーススケジューリング期間において少なくとも２つの第２の送信されるべきデータを送信するために用いられる時間−周波数リソースをＵＥに割り当てるよう構成される。
【０２４３】
本願発明のこの実施形態において提供されているネットワークデバイスは、先述の方法の実施形態を実行し得て、ネットワークデバイスの実装原理および技術的効果は、方法の実施形態の実装原理および技術的効果と同様である。詳細は、ここでは再び説明しない。
【０２４４】
図９は、本願発明の実施形態に係るネットワークデバイスの実施形態２の概略構造図である。図８において示されている実施形態に基づき、図９において示されているように、ネットワークデバイスはさらに、送信モジュール１３を含んでよい。処理モジュール１３は具体的に、第１の指示情報とリソース要求メッセージとに従って、送信モジュール１３に、第２の指示情報をＵＥへ送信するよう命令し、ＵＥによりリソーススケジューリング期間において少なくとも２つの第２の送信されるべきデータを送信するために用いられる時間−周波数リソースをＵＥに割り当てるよう構成され、ここで、第２の指示情報は、ネットワークデバイスによりＵＥに割り当てられた時間−周波数リソースと、第１の宛先アドレスとの間のマッピング関係をＵＥに示すために用いられる。
【０２４５】
本願発明のこの実施形態において提供されているネットワークデバイスは、先述の方法の実施形態を実行し得て、ネットワークデバイスの実装原理および技術的効果は、方法の実施形態の実装原理および技術的効果と同様である。詳細は、ここでは再び説明しない。
【０２４６】
図１０は、本発明の実施形態に係るユーザ機器の実施形態１の概略構造図である。図１０において示されているように、ユーザ機器は、送信モジュール２１と、受信モジュール２２と、処理モジュール２３とを備える。
【０２４７】
送信モジュール２１は、第１の指示情報およびリソース要求メッセージをネットワークデバイスへ送信するよう構成され、ここで、第１の指示情報は、ユーザ機器ＵＥが複数の時間−周波数リソースを用いることによって、１つのリソーススケジューリング期間においてデータを少なくとも１つの宛先アドレスへ送信できることをネットワークデバイスに通知するために用いられ、リソース要求メッセージは、ＵＥの複数の第１の送信されるべきデータにそれぞれ対応する宛先アドレスと、それぞれの第１の送信されるべきデータのデータ量とをネットワークデバイスに示すために、かつ、ネットワークデバイスに、第１の指示情報と、リソース要求メッセージとに従って、ＵＥによりリソーススケジューリング期間において少なくとも２つの第２の送信されるべきデータを送信するために用いられる時間−周波数リソースをＵＥに割り当てるよう命令するために用いられ、第１の送信されるべきデータは、少なくとも１つの第２の送信されるべきデータを含む。
【０２４８】
受信モジュール２２は、ネットワークデバイスにより割り当てられた時間−周波数リソースを受信するよう構成される。
【０２４９】
処理モジュール２３は、受信モジュール２２により受信された時間−周波数リソースと、複数の第１の送信されるべきデータにそれぞれ対応する宛先アドレスとに従って、送信モジュール２１に、リソーススケジューリング期間において少なくとも２つの第２の送信されるべきデータを送信するよう命令するよう構成される。
【０２５０】
本願発明のこの実施形態において提供されているユーザ機器は、先述の方法の実施形態を実行し得て、ユーザ機器の実装原理および技術的効果は、方法の実施形態の実装原理および技術的効果と同様である。詳細は、ここでは再び説明しない。
【０２５１】
さらに、先述の実施形態に基づき、リソース要求メッセージは、第１の指示情報を保持する。
【０２５２】
任意で、第１の指示情報は、能力指示情報であってよく、能力指示情報は、ＵＥが複数の時間−周波数リソースを用いることによって１つのリソーススケジューリング期間においてデータを少なくとも１つの宛先アドレスへ送信する能力を有することをネットワークデバイスに通知するために、ネットワークデバイスに、能力指示情報に従って、ＵＥによりリソーススケジューリング期間において用いられ得る時間−周波数リソースの予め設定された第１の最大数量を取得するよう命令するために用いられる。
【０２５３】
任意で、第１の指示情報は、リソース情報であってよく、リソース情報は、ＵＥによりリソーススケジューリング期間において実際に用いられ得る時間−周波数リソースの第２の最大数量をネットワークデバイスに示すために用いられ、第２の最大数量は、１より大きい。リソース情報は、複数の時間−周波数リソースの数量についての情報であってよく、またはＵＥがＤ２Ｄデータ送信を実行するプロセスの数量についての情報であってよい。
【０２５４】
任意で、第１の指示情報は、能力指示情報およびリソース情報を含んでよく、ここで、能力指示情報は、ＵＥが複数の時間−周波数リソースを用いることによって１つのリソーススケジューリング期間においてデータを少なくとも１つの宛先アドレスへ送信する能力を有することをネットワークデバイスに通知するために用いられ、リソース情報は、ＵＥによりリソーススケジューリング期間において実際に用いられ得る時間−周波数リソースの第２の最大数量をネットワークデバイスに示すために用いられる。リソース情報は、複数の時間−周波数リソースの数量についての情報であってよく、または、ＵＥがＤ２Ｄデータ送信を実行するプロセスの数量についての情報であってよい。
【０２５５】
本願発明のこの実施形態において提供されているユーザ機器は、先述の方法の実施形態を実行し得て、ユーザ機器の実装原理および技術的効果は、方法の実施形態の実装原理および技術的効果と同様である。詳細は、ここでは再び説明しない。
【０２５６】
さらに、先述の実施形態に基づき、第１の指示情報が能力情報であるとき、すなわち、ネットワークデバイスが、能力指示情報に従って、ＵＥによりリソーススケジューリング期間において用いられ得る時間−周波数リソースの予め設定された第１の最大数量を取得し、第１の最大数量、および複数の第１の送信されるべきデータにそれぞれ対応する宛先アドレスの数量のうちの最小値と、それぞれの第１の送信されるべきデータのデータ量とに従って、ＵＥによりリソーススケジューリング期間において少なくとも２つの第２の送信されるべきデータを送信するために用いられる時間−周波数リソースをＵＥに割り当てるとき、ネットワークデバイスにより割り当てられ、受信モジュール２２により受信された時間−周波数リソースの数量がＵＥによりリソーススケジューリング期間において実際に用いられ得る時間−周波数リソースの第２の最大数量より大きい場合、処理モジュール２３は具体的に、ネットワークデバイスが時間−周波数リソースを割り当てるシーケンスと、第２の最大数量とに従って、時間−周波数リソースから第１の時間−周波数リソースを選択し、複数の第１の送信されるべきデータにそれぞれ対応する宛先アドレスに応じて、送信モジュール２１に、第１の時間−周波数リソース上で少なくとも２つの第２の送信されるべきデータを送信するよう命令するよう構成される。
【０２５７】
さらに、先述の実施形態に基づき、送信モジュールが１つのリソーススケジューリング期間において少なくとも２つの第２の送信されるべきデータを送信するとき、少なくとも２つの送信された第２の送信されるべきデータは、異なる宛先アドレスに対応してよい。
【０２５８】
本願発明のこの実施形態において提供されているユーザ機器は、先述の方法の実施形態を実行し得て、ユーザ機器の実装原理および技術的効果は、方法の実施形態の実装原理および技術的効果と同様である。詳細は、ここでは再び説明しない。
【０２５９】
さらに、先述の実施形態に基づき、受信モジュール２２はさらに、第２の指示情報を受信するよう構成される。処理モジュール２３は具体的に、時間−周波数リソースと、第２の指示情報と、複数の第１の送信されるべきデータにそれぞれ対応する宛先アドレスとに従って、送信モジュール２１に、リソーススケジューリング期間において少なくとも２つの第２の送信されるべきデータを送信するよう命令するよう構成され、ここで、第２の指示情報は、ネットワークデバイスによりＵＥに割り当てられた時間−周波数リソースと、第１の宛先アドレスとの間のマッピング関係をＵＥに示すために用いられる。
【０２６０】
本願発明のこの実施形態において提供されているユーザ機器は、先述の方法の実施形態を実行し得て、ユーザ機器の実装原理および技術的効果は、方法の実施形態の実装原理および技術的効果と同様である。詳細は、ここでは再び説明しない。
【０２６１】
図１１は、本願発明の実施形態に係るネットワークデバイスの実施形態３の概略構造図である。図１１において示されているように、ネットワークデバイスは、受信モジュール３１と、処理モジュール３２と、送信モジュール３３とを備える。
【０２６２】
受信モジュール３１は、ユーザ機器ＵＥにより送信されたリソース要求メッセージを受信するよう構成され、ここで、リソース要求メッセージは、ＵＥの第１の宛先アドレスと、第１の宛先アドレスに対応する送信されるべきデータのデータ量とをネットワークデバイスに示すために用いられる。
【０２６３】
処理モジュール３２は、予め設定された条件に従って、受信モジュール３１により受信された第１の宛先アドレスに対応するスケジューリング時間および／または周波数リソースを判定し、送信モジュール３３に、第１の宛先アドレスに対応する判定されたスケジューリング時間においておよび／または第１の宛先アドレスに対応する判定された周波数リソース上で、スケジューリング情報をＵＥへ送信するよう命令するよう構成され、ここで、スケジューリング情報は、ＵＥの第１の宛先アドレスに対応する送信されるべきデータの時間−周波数リソースをＵＥに示すために用いられる。
【０２６４】
送信モジュール３３は、第１の宛先アドレスに対応し、かつ、処理モジュール３２により判定されたスケジューリング時間および／または周波数リソースに従って、第１の宛先アドレスに対応する判定されたスケジューリング時間においておよび／または第１の宛先アドレスに対応する判定された周波数リソース上でスケジューリング情報をＵＥへ送信するよう構成される。
【０２６５】
本願発明のこの実施形態において提供されているネットワークデバイスは、先述の方法の実施形態を実行し得て、ネットワークデバイスの実装原理および技術的効果は、方法の実施形態の実装原理および技術的効果と同様である。詳細は、ここでは再び説明しない。
【０２６６】
さらに、先述の実施形態に基づき、予め設定された条件は、第１の宛先アドレスと、スケジューリング時間および／または周波数リソースとの間のマッピング関係を含んでよい。
【０２６７】
任意で、送信モジュール３３はさらに、第１の宛先アドレスに対応する判定されたスケジューリング時間においておよび／または第１の宛先アドレスに対応する判定された周波数リソース上で、スケジューリング情報を送信する前に、第２の指示情報をＵＥへ送信するよう構成され、第２の指示情報は、第１の宛先アドレスと、スケジューリング時間および／または周波数リソースとの間のマッピング関係をＵＥに示すために用いられる。
【０２６８】
本願発明のこの実施形態において提供されているネットワークデバイスは、先述の方法の実施形態を実行し得て、ネットワークデバイスの実装原理および技術的効果は、方法の実施形態の実装原理および技術的効果と同様である。詳細は、ここでは再び説明しない。
【０２６９】
図１２は、本発明の実施形態に係るユーザ機器の実施形態２の概略構造図である。図１２において示されているように、ユーザ機器は、送信モジュール４１および受信モジュール４２を備える。
【０２７０】
送信モジュール４１は、リソース要求メッセージをネットワークデバイスへ送信するよう構成され、ここで、リソース要求メッセージは、ユーザ機器ＵＥの第１の宛先アドレスと、第１の宛先アドレスに対応する送信されるべきデータのデータ量とをネットワークデバイスに示すために用いられる。
【０２７１】
受信モジュール４２は、ネットワークデバイスにより送信されるスケジューリング情報を受信するよう構成され、ここで、スケジューリング情報は、ＵＥの第１の宛先アドレスに対応する送信されるべきデータの時間−周波数リソースをＵＥに示すために用いられる。
【０２７２】
送信モジュール４１はさらに、受信モジュール４２により受信されたスケジューリング情報と予め設定された条件とに従って、リソーススケジューリング期間において第１の宛先アドレスに対応する送信されるべきデータを送信するよう構成される。
【０２７３】
本願発明のこの実施形態において提供されているユーザ機器は、先述の方法の実施形態を実行し得て、ユーザ機器の実装原理および技術的効果は、方法の実施形態の実装原理および技術的効果と同様である。詳細は、ここでは再び説明しない。
【０２７４】
さらに、先述の実施形態に基づき、予め設定された条件は、第１の宛先アドレスと、スケジューリング時間および／または周波数リソースとの間のマッピング関係を含んでよい。
【０２７５】
任意で、受信モジュール４２はさらに、ネットワークデバイスにより送信されたスケジューリング情報を受信する前に、ネットワークデバイスにより送信された第２の指示情報を受信するよう構成され、ここで、第２の指示情報は、第１の宛先アドレスと、スケジューリング時間および／または周波数リソースとの間のマッピング関係をＵＥに示すために用いられる。
【０２７６】
本願発明のこの実施形態において提供されているユーザ機器は、先述の方法の実施形態を実行し得て、ユーザ機器の実装原理および技術的効果は、方法の実施形態の実装原理および技術的効果と同様である。詳細は、ここでは再び説明しない。
【０２７７】
図１３は、本願発明の実施形態に係るネットワークデバイスの実施形態４の概略構造図である。図１３において示されているように、ネットワークデバイスは、受信機５１およびプロセッサ５２を備える。
【０２７８】
受信機５１は、ユーザ機器ＵＥにより送信された第１の指示情報およびリソース要求メッセージを受信するよう構成され、ここで、第１の指示情報は、ＵＥが複数の時間−周波数リソースを用いることによって１つのリソーススケジューリング期間においてデータを少なくとも１つの宛先アドレスへ送信できることをネットワークデバイスに通知するために用いられ、リソース要求メッセージは、ＵＥの複数の第１の送信されるべきデータにそれぞれ対応する宛先アドレスと、それぞれの第１の送信されるべきデータのデータ量とをネットワークデバイスに示すために用いられ、第１の送信されるべきデータは、少なくとも１つの第２の送信されるべきデータを含む。
【０２７９】
プロセッサ５２は、受信機５１により受信された第１の指示情報およびリソース要求メッセージに従って、ＵＥによりリソーススケジューリング期間において少なくとも２つの第２の送信されるべきデータを送信するために用いられる時間−周波数リソースをＵＥに割り当てるよう構成される。
【０２８０】
本願発明のこの実施形態において提供されているネットワークデバイスは、先述の方法の実施形態を実行し得て、ネットワークデバイスの実装原理および技術的効果は、方法の実施形態の実装原理および技術的効果と同様である。詳細は、ここでは再び説明しない。
【０２８１】
さらに、先述の実施形態に基づき、リソース要求メッセージは、第１の指示情報を保持する。
【０２８２】
任意で、第１の指示情報は、能力指示情報であってよく、能力指示情報は、ＵＥが複数の時間−周波数リソースを用いることによって１つのリソーススケジューリング期間においてデータを少なくとも１つの宛先アドレスへ送信する能力を有することをネットワークデバイスに通知するために、ネットワークデバイスに、能力指示情報に従って、ＵＥによりリソーススケジューリング期間において用いられ得る時間−周波数リソースの予め設定された第１の最大数量を取得するよう命令するために用いられる。プロセッサ５２は具体的に、能力指示情報に従って、ＵＥによりリソーススケジューリング期間において用いられ得る時間−周波数リソースの予め設定された第１の最大数量を取得し、第１の最大数量、および複数の第１の送信されるべきデータにそれぞれ対応する宛先アドレスの数量のうちの最小値と、それぞれの第１の送信されるべきデータのデータ量とに従って、ＵＥによりリソーススケジューリング期間において少なくとも２つの第２の送信されるべきデータを送信するために用いられる時間−周波数リソースをＵＥに割り当てるよう構成される。
【０２８３】
本願発明のこの実施形態において提供されているネットワークデバイスは、先述の方法の実施形態を実行し得て、ネットワークデバイスの実装原理および技術的効果は、方法の実施形態の実装原理および技術的効果と同様である。詳細は、ここでは再び説明しない。
【０２８４】
任意で、第１の指示情報は、リソース情報であってよく、リソース情報は、ＵＥによりリソーススケジューリング期間において実際に用いられ得る時間−周波数リソースの第２の最大数量をネットワークデバイスに示すために用いられ、第２の最大数量は、１より大きい。任意で、第１の指示情報は、能力指示情報およびリソース情報を含んでよく、ここで、能力指示情報は、ＵＥが複数の時間−周波数リソースを用いることによって１つのリソーススケジューリング期間においてデータを少なくとも１つの宛先アドレスへ送信する能力を有することをネットワークデバイスに通知するために用いられ、リソース情報は、ＵＥによりリソーススケジューリング期間において実際に用いられ得る時間−周波数リソースの第２の最大数量をネットワークデバイスに示すために用いられる。リソース情報は、複数の時間−周波数リソースの数量についての情報であってよく、または、ＵＥがＤ２Ｄデータ送信を実行するプロセスの数量についての情報であってよい。
【０２８５】
第１の指示情報が、リソース情報であるか、または能力情報およびリソース情報を含む場合、プロセッサ５２は具体的に、第２の最大数量、および複数の第１の送信されるべきデータにそれぞれ対応する宛先アドレスの数量のうちの最小値と、それぞれの第１の送信されるべきデータのデータ量とに従って、ＵＥによりリソーススケジューリング期間において少なくとも２つの第２の送信されるべきデータを送信するために用いられる時間−周波数リソースをＵＥに割り当てるよう構成される。
【０２８６】
本願発明のこの実施形態において提供されているネットワークデバイスは、先述の方法の実施形態を実行し得て、ネットワークデバイスの実装原理および技術的効果は、方法の実施形態の実装原理および技術的効果と同様である。詳細は、ここでは再び説明しない。
【０２８７】
図１４は、本願発明の実施形態に係るネットワークデバイスの実施形態５の概略構造図である。図１３において示されている実施形態に基づき、図１４において示されているように、ネットワークデバイスはさらに、トランスミッタ５３を含んでよい。プロセッサ５２は具体的に、第１の指示情報とリソース要求メッセージとに従って、トランスミッタ５３に、第２の指示情報をＵＥへ送信するよう命令し、ＵＥによりリソーススケジューリング期間において少なくとも２つの第２の送信されるべきデータを送信するために用いられる時間−周波数リソースをＵＥに割り当てるよう構成され、ここで、第２の指示情報は、ネットワークデバイスによりＵＥに割り当てられた時間−周波数リソースと、第１の宛先アドレスとの間のマッピング関係をＵＥに示すために用いられる。
【０２８８】
本願発明のこの実施形態において提供されているネットワークデバイスは、先述の方法の実施形態を実行し得て、ネットワークデバイスの実装原理および技術的効果は、方法の実施形態の実装原理および技術的効果と同様である。詳細は、ここでは再び説明しない。
【０２８９】
図１５は、本発明の実施形態に係るユーザ機器の実施形態３の概略構造図である。図１５において示されているように、ユーザ機器は、トランスミッタ６１と、受信機６２と、プロセッサ６３とを備える。
【０２９０】
トランスミッタ６１は、第１の指示情報およびリソース要求メッセージをネットワークデバイスへ送信するよう構成され、ここで、第１の指示情報は、ユーザ機器ＵＥが、複数の時間−周波数リソースを用いることによって、１つのリソーススケジューリング期間においてデータを少なくとも１つの宛先アドレスへ送信できることをネットワークデバイスに通知するために用いられ、リソース要求メッセージは、ＵＥの複数の第１の送信されるべきデータにそれぞれ対応する宛先アドレスと、それぞれの第１の送信されるべきデータのデータ量とをネットワークデバイスに示すために、かつ、ネットワークデバイスに、第１の指示情報とリソース要求メッセージとに従って、ＵＥによりリソーススケジューリング期間において少なくとも２つの第２の送信されるべきデータを送信するために用いられる時間−周波数リソースをＵＥに割り当てるよう命令するために用いられ、第１の送信されるべきデータは、少なくとも１つの第２の送信されるべきデータを含む。
【０２９１】
受信機６２は、ネットワークデバイスにより割り当てられた時間−周波数リソースを受信するよう構成される。
【０２９２】
プロセッサ６３は、受信機６２により受信された時間−周波数リソースと、複数の第１の送信されるべきデータにそれぞれ対応する宛先アドレスとに従って、トランスミッタ６１に、リソーススケジューリング期間において少なくとも２つの第２の送信されるべきデータを送信するよう命令するよう構成される。
【０２９３】
本願発明のこの実施形態において提供されているユーザ機器は、先述の方法の実施形態を実行し得て、ユーザ機器の実装原理および技術的効果は、方法の実施形態の実装原理および技術的効果と同様である。詳細は、ここでは再び説明しない。
【０２９４】
さらに、先述の実施形態に基づき、リソース要求メッセージは、第１の指示情報を保持する。
【０２９５】
任意で、第１の指示情報は、能力指示情報であってよく、能力指示情報は、ＵＥが複数の時間−周波数リソースを用いることによって１つのリソーススケジューリング期間においてデータを少なくとも１つの宛先アドレスへ送信する能力を有することをネットワークデバイスに通知するために、ネットワークデバイスに、能力指示情報に従って、ＵＥによりリソーススケジューリング期間において用いられ得る時間−周波数リソースの予め設定された第１の最大数量を取得するよう命令するために用いられる。
【０２９６】
任意で、第１の指示情報は、リソース情報であってよく、リソース情報は、ＵＥによりリソーススケジューリング期間において実際に用いられ得る時間−周波数リソースの第２の最大数量をネットワークデバイスに示すために用いられ、第２の最大数量は、１より大きい。リソース情報は、複数の時間−周波数リソースの数量についての情報であってよく、または、ＵＥがＤ２Ｄデータ送信を実行するプロセスの数量についての情報であってよい。
【０２９７】
任意で、第１の指示情報は、能力指示情報およびリソース情報を含んでよく、ここで、能力指示情報は、ＵＥが複数の時間−周波数リソースを用いることによって１つのリソーススケジューリング期間においてデータを少なくとも１つの宛先アドレスへ送信する能力を有することをネットワークデバイスに通知するために用いられ、リソース情報は、ＵＥによりリソーススケジューリング期間において実際に用いられ得る時間−周波数リソースの第２の最大数量をネットワークデバイスに示すために用いられる。リソース情報は、複数の時間−周波数リソースの数量についての情報であってよく、または、ＵＥがＤ２Ｄデータ送信を実行するプロセスの数量についての情報であってよい。
【０２９８】
本願発明のこの実施形態において提供されているユーザ機器は、先述の方法の実施形態を実行し得て、ユーザ機器の実装原理および技術的効果は、方法の実施形態の実装原理および技術的効果と同様である。詳細は、ここでは再び説明しない。
【０２９９】
さらに、先述の実施形態に基づき、第１の指示情報が能力情報である場合、すなわち、ネットワークデバイスが、能力指示情報に従って、ＵＥによりリソーススケジューリング期間において用いられ得る時間−周波数リソースの予め設定された第１の最大数量を取得し、第１の最大数量、および複数の第１の送信されるべきデータにそれぞれ対応する宛先アドレスの数量のうちの最小値と、それぞれの第１の送信されるべきデータのデータ量とに従って、ＵＥによりリソーススケジューリング期間において少なくとも２つの第２の送信されるべきデータを送信するために用いられる時間−周波数リソースをＵＥに割り当てるとき、ネットワークデバイスにより割り当てられ、受信機６２により受信された時間−周波数リソースの数量が、ＵＥによりリソーススケジューリング期間において実際に用いられ得る時間−周波数リソースの第２の最大数量より大きい場合、プロセッサ６３は具体的に、ネットワークデバイスが時間−周波数リソースを割り当てるシーケンスと第２の最大数量とに従って、時間−周波数リソースから第１の時間−周波数リソースを選択し、複数の第１の送信されるべきデータにそれぞれ対応する宛先アドレスに従って、トランスミッタ６１に、第１の時間−周波数リソース上で少なくとも２つの第２の送信されるべきデータを送信するよう命令するよう構成される。
【０３００】
さらに、先述の実施形態に基づき、トランスミッタ６１が１つのリソーススケジューリング期間において少なくとも２つの第２の送信されるべきデータを送信するとき、少なくとも２つの送信された第２の送信されるべきデータは、異なる宛先アドレスに対応してよい。
【０３０１】
本願発明のこの実施形態において提供されているユーザ機器は、先述の方法の実施形態を実行し得て、ユーザ機器の実装原理および技術的効果は、方法の実施形態の実装原理および技術的効果と同様である。詳細は、ここでは再び説明しない。
【０３０２】
さらに、先述の実施形態に基づき、受信機６２はさらに、第２の指示情報を受信するよう構成される。プロセッサ６３は具体的に、時間−周波数リソースと、第２の指示情報と、複数の第１の送信されるべきデータにそれぞれ対応する宛先アドレスとに従って、トランスミッタ６１に、リソーススケジューリング期間において少なくとも２つの第２の送信されるべきデータを送信するよう命令するよう構成され、ここで、第２の指示情報は、ネットワークデバイスによりＵＥに割り当てられた時間−周波数リソースと、第１の宛先アドレスとの間のマッピング関係をＵＥに示すために用いられる。
【０３０３】
本願発明のこの実施形態において提供されるユーザ機器は、先述の方法の実施形態を実行し得て、ユーザ機器の実装原理および技術的効果は、方法の実施形態の実装原理および技術的効果と同様である。詳細は、ここでは再び説明しない。
【０３０４】
図１６は、本願発明の実施形態に係るネットワークデバイスの実施形態６の概略構造図である。図１６において示されているように、ネットワークデバイスは、受信機７１と、プロセッサ７２と、トランスミッタ７３とを備える。
【０３０５】
受信機７１は、ユーザ機器ＵＥにより送信されたリソース要求メッセージを受信するよう構成され、ここで、リソース要求メッセージは、ＵＥの第１の宛先アドレスと、第１の宛先アドレスに対応する送信されるべきデータのデータ量をネットワークデバイスに示すために用いられる。
【０３０６】
プロセッサ７２は、予め設定された条件に従って、受信機７１により受信された第１の宛先アドレスに対応するスケジューリング時間および／または周波数リソースを判定し、トランスミッタに、第１の宛先アドレスに対応する判定されたスケジューリング時間においておよび／または第１の宛先アドレスに対応する判定された周波数リソース上で、スケジューリング情報をＵＥへ送信するよう命令するよう構成され、ここで、スケジューリング情報は、ＵＥの第１の宛先アドレスに対応する送信されるべきデータの時間−周波数リソースをＵＥに示すために用いられる。
【０３０７】
トランスミッタ７３は、第１の宛先アドレスに対応し、プロセッサ７２により判定されたスケジューリング時間および／または周波数リソースに応じて、第１の宛先アドレスに対応する判定されたスケジューリング時間においておよび／または第１の宛先アドレスに対応する判定された周波数リソース上で、スケジューリング情報をＵＥへ送信するよう構成される。
【０３０８】
本願発明のこの実施形態において提供されているネットワークデバイスは、先述の方法の実施形態を実行し得て、ネットワークデバイスの実装原理および技術的効果は、方法の実施形態の実装原理および技術的効果と同様である。詳細は、ここでは再び説明しない。
【０３０９】
さらに、先述の実施形態に基づき、予め設定された条件は、第１の宛先アドレスと、スケジューリング時間および／または周波数リソースとの間のマッピング関係を含んでよい。
【０３１０】
任意で、トランスミッタ７３はさらに、第１の宛先アドレスに対応する判定されたスケジューリング時間においておよび／または第１の宛先アドレスに対応する判定された周波数リソース上で、スケジューリング情報を送信する前に、第２の指示情報をＵＥへ送信するよう構成され、ここで、第２の指示情報は、第１の宛先アドレスと、スケジューリング時間および／または周波数リソースとの間のマッピング関係をＵＥに示すために用いられる。
【０３１１】
本願発明のこの実施形態において提供されているネットワークデバイスは、先述の方法の実施形態を実行し得て、ネットワークデバイスの実装原理および技術的効果は、方法の実施形態の実装原理および技術的効果と同様である。詳細は、ここでは再び説明しない。
【０３１２】
図１７は、本発明の実施形態に係るユーザ機器の実施形態４の概略構造図である。図１７において示されているように、ユーザ機器は、トランスミッタ８１および受信機８２を備える。
【０３１３】
トランスミッタ８１は、リソース要求メッセージをネットワークデバイスへ送信するよう構成され、ここで、リソース要求メッセージは、ユーザ機器ＵＥの第１の宛先アドレスと、第１の宛先アドレスに対応する送信されるべきデータのデータ量とをネットワークデバイスに示すために用いられる。
【０３１４】
受信機８２は、ネットワークデバイスにより送信されたスケジューリング情報を受信するよう構成され、スケジューリング情報は、ＵＥの第１の宛先アドレスに対応する送信されるべきデータの時間−周波数リソースをＵＥに示すために用いられる。
【０３１５】
トランスミッタ８１はさらに、受信機８２により受信されたスケジューリング情報と予め設定された条件とに従って、リソーススケジューリング期間において第１の宛先アドレスに対応する送信されるべきデータを送信するよう構成される。
【０３１６】
本願発明のこの実施形態において提供されているユーザ機器は、先述の方法の実施形態を実行し得て、ユーザ機器の実装原理および技術的効果は、方法の実施形態の実装原理および技術的効果と同様である。詳細は、ここでは再び説明しない。
【０３１７】
さらに、先述の実施形態に基づき、予め設定された条件は、第１の宛先アドレスと、スケジューリング時間および／または周波数リソースとの間のマッピング関係を含んでよい。
【０３１８】
任意で、受信機８２はさらに、ネットワークデバイスにより送信されたスケジューリング情報を受信する前に、ネットワークデバイスにより送信された第２の指示情報を受信するよう構成され、ここで、第２の指示情報は、第１の宛先アドレスと、スケジューリング時間および／または周波数リソースとの間のマッピング関係をＵＥに示すために用いられる。
【０３１９】
本願発明のこの実施形態において提供されるユーザ機器は、先述の方法の実施形態を実行し得て、ユーザ機器の実装原理および技術的効果は、方法の実施形態の実装原理および技術的効果と同様である。詳細は、ここでは再び説明しない。
【０３２０】
最後に、先述の実施形態は単に、本願発明の技術的解決手段を説明することを意図しており、本願発明を限定することを意図していないことに留意すべきである。本願発明は先述の実施形態を参照して詳細に説明されているが、当業者は、先述の実施形態において説明されている技術的解決手段に対してさらに変更を行い、または、それらの技術的特徴の一部または全部に対して同等の置換を行い得ることを理解すべきである。従って、本願発明の保護範囲は、特許請求の範囲の保護範囲に従うものとする。
［項目１］
データ送信方法であって、
ネットワークデバイスが、ユーザ機器ＵＥにより送信された第１の指示情報およびリソース要求メッセージを受信する段階であって、上記第１の指示情報は、上記ＵＥが複数の時間−周波数リソースを用いることによって１つのリソーススケジューリング期間においてデータを少なくとも１つの宛先アドレスへ送信できることを、上記ネットワークデバイスに通知するために用いられ、上記リソース要求メッセージは、上記ＵＥの複数の第１の送信されるべきデータにそれぞれ対応する宛先アドレスと、それぞれの第１の送信されるべきデータのデータ量とを上記ネットワークデバイスに示すために用いられ、上記第１の送信されるべきデータは、少なくとも１つの第２の送信されるべきデータを含む、段階と、
上記ネットワークデバイスが、上記第１の指示情報と上記リソース要求メッセージとに従って、上記ＵＥにより上記リソーススケジューリング期間において少なくとも２つの第２の送信されるべきデータを送信するために用いられる時間−周波数リソースを上記ＵＥに割り当てる段階と
を備える方法。
［項目２］
上記第１の指示情報は、能力指示情報であり、上記能力指示情報は、上記ＵＥが複数の時間−周波数リソースを用いることによって１つのリソーススケジューリング期間においてデータを上記少なくとも１つの宛先アドレスへ送信する能力を有することを上記ネットワークデバイスに通知するために、かつ、上記ネットワークデバイスに、上記能力指示情報に従って、上記ＵＥにより上記リソーススケジューリング期間において用いられ得る時間−周波数リソースの予め設定された第１の最大数量を取得するよう命令するために用いられる、項目１に記載の方法。
［項目３］
上記ネットワークデバイスが、上記第１の指示情報と上記リソース要求メッセージとに従って、上記ＵＥにより上記リソーススケジューリング期間において少なくとも２つの第２の送信されるべきデータを送信するために用いられる時間−周波数リソースを上記ＵＥに割り当てる上記段階は具体的に、
上記ネットワークデバイスが、上記能力指示情報に従って、上記ＵＥにより上記リソーススケジューリング期間において用いられ得る上記時間−周波数リソースの上記予め設定された第１の最大数量を取得する段階と、
上記ネットワークデバイスが、上記第１の最大数量、および上記複数の第１の送信されるべきデータにそれぞれ対応する上記宛先アドレスの数量のうちの最小値と、それぞれの第１の送信されるべきデータの上記データ量とに従って、上記ＵＥにより上記リソーススケジューリング期間において上記少なくとも２つの第２の送信されるべきデータを送信するために用いられる上記時間−周波数リソースを、上記ＵＥに割り当てる段階とを含む、項目１または２に記載の方法。
［項目４］
上記第１の指示情報は、リソース情報であり、上記リソース情報は、上記ＵＥにより上記リソーススケジューリング期間において実際に用いられ得る時間−周波数リソースの第２の最大数量を上記ネットワークデバイスに示すために用いられ、上記第２の最大数量は、１より大きい、項目１に記載の方法。
［項目５］
上記第１の指示情報は、能力指示情報およびリソース情報を含み、上記能力指示情報は、上記ＵＥが複数の時間−周波数リソースを用いることによって１つのリソーススケジューリング期間においてデータを上記少なくとも１つの宛先アドレスへ送信する能力を有することを、上記ネットワークデバイスに通知するために用いられ、上記リソース情報は、上記ＵＥにより上記リソーススケジューリング期間において実際に用いられ得る時間−周波数リソースの第２の最大数量を上記ネットワークデバイスに示すために用いられる、項目１に記載の方法。
［項目６］
上記リソース情報は、上記複数の時間−周波数リソースの数量についての情報、または上記ＵＥがＤ２Ｄデータ送信を実行するプロセスの数量についての情報である、項目１から５のいずれか一項に記載の方法。
［項目７］
上記ネットワークデバイスが、上記第１の指示情報と上記リソース要求メッセージとに従って、上記ＵＥにより上記リソーススケジューリング期間において少なくとも２つの第２の送信されるべきデータを送信するために用いられる時間−周波数リソースを上記ＵＥに割り当てる上記段階は具体的に、
上記ネットワークデバイスが、上記第２の最大数量、および上記複数の第１の送信されるべきデータにそれぞれ対応する上記宛先アドレスの数量のうちの最小値と、それぞれの第１の送信されるべきデータの上記データ量とに従って、上記ＵＥにより上記リソーススケジューリング期間において上記少なくとも２つの第２の送信されるべきデータを送信するために用いられる上記時間−周波数リソースを上記ＵＥに割り当てる段階を含む、項目１から６のいずれか一項に記載の方法。
［項目８］
上記リソース要求メッセージは、上記第１の指示情報を保持する、項目１から７のいずれか一項に記載の方法。
［項目９］
上記ネットワークデバイスが、上記第１の指示情報と上記リソース要求メッセージとに従って、上記ＵＥにより上記リソーススケジューリング期間において少なくとも２つの第２の送信されるべきデータを送信するために用いられる時間−周波数リソースを上記ＵＥに割り当てる上記段階は具体的に、
上記ネットワークデバイスが、上記第１の指示情報と上記リソース要求メッセージとに従って、第２の指示情報を上記ＵＥへ送信し、かつ、上記ＵＥにより上記リソーススケジューリング期間において上記少なくとも２つの第２の送信されるべきデータを送信するために用いられる上記時間−周波数リソースを上記ＵＥに割り当てる段階であって、上記第２の指示情報は、上記ネットワークデバイスにより上記ＵＥに割り当てられた上記時間−周波数リソースと、第１の宛先アドレスとの間のマッピング関係を上記ＵＥに示すために用いられる、段階を含む、項目１に記載の方法。
［項目１０］
データ送信方法であって、
ユーザ機器ＵＥにより、第１の指示情報およびリソース要求メッセージをネットワークデバイスへ送信する段階であって、上記第１の指示情報は、上記ＵＥが複数の時間−周波数リソースを用いることによって１つのリソーススケジューリング期間においてデータを少なくとも１つの宛先アドレスへ送信できることを、上記ネットワークデバイスに通知するために用いられ、上記リソース要求メッセージは、上記ＵＥの複数の第１の送信されるべきデータにそれぞれ対応する宛先アドレスと、それぞれの第１の送信されるべきデータのデータ量とを上記ネットワークデバイスに示すために、かつ、上記ネットワークデバイスに、上記第１の指示情報と上記リソース要求メッセージとに従って、上記ＵＥにより上記リソーススケジューリング期間において少なくとも２つの第２の送信されるべきデータを送信するために用いられる時間−周波数リソースを上記ＵＥに割り当てるよう命令するために用いられ、上記第１の送信されるべきデータは、少なくとも１つの第２の送信されるべきデータを含む、段階と、
上記ＵＥが、上記ネットワークデバイスにより割り当てられた上記時間−周波数リソースを受信し、かつ、上記時間−周波数リソースと、上記複数の第１の送信されるべきデータにそれぞれ対応する上記宛先アドレスとに従って、上記リソーススケジューリング期間において上記少なくとも２つの第２の送信されるべきデータを送信する段階と
を備える方法。
［項目１１］
上記第１の指示情報は、能力指示情報であり、上記能力指示情報は、上記ＵＥが複数の時間−周波数リソースを用いることによって１つのリソーススケジューリング期間においてデータを上記少なくとも１つの宛先アドレスへ送信する能力を有することを上記ネットワークデバイスに通知するために、かつ、上記ネットワークデバイスに、上記能力指示情報に従って、上記ＵＥにより上記リソーススケジューリング期間において用いられ得る時間−周波数リソースの予め設定された第１の最大数量を取得するよう命令するために用いられる、項目１０に記載の方法。
［項目１２］
上記第１の指示情報は、リソース情報であり、上記リソース情報は、上記ＵＥにより上記リソーススケジューリング期間において実際に用いられ得る時間−周波数リソースの第２の最大数量を上記ネットワークデバイスに示すために用いられ、上記第２の最大数量は１より大きい、項目１０に記載の方法。
［項目１３］
上記第１の指示情報は、能力指示情報およびリソース情報を含み、上記能力指示情報は、上記ＵＥが複数の時間−周波数リソースを用いることによって１つのリソーススケジューリング期間においてデータを上記少なくとも１つの宛先アドレスへ送信する能力を有することを、上記ネットワークデバイスに通知するために用いられ、上記リソース情報は、上記ＵＥにより上記リソーススケジューリング期間において実際に用いられ得る時間−周波数リソースの第２の最大数量を上記ネットワークデバイスに示すために用いられる、項目１０に記載の方法。
［項目１４］
上記リソース情報は、上記複数の時間−周波数リソースの数量についての情報、または上記ＵＥがＤ２Ｄデータ送信を実行するプロセスの数量についての情報である、項目１０から１３のいずれか一項に記載の方法。
［項目１５］
それぞれの第２の送信されるべきデータは、異なる宛先アドレスに対応する、項目１０から１４のいずれか一項に記載の方法。
［項目１６］
上記時間−周波数リソースの数量が上記ＵＥによりリソーススケジューリング期間において実際に用いられ得る時間−周波数リソースの第２の最大数量より大きい場合、上記ＵＥが、上記ネットワークデバイスにより割り当てられた上記時間−周波数リソースを受信し、かつ、上記時間−周波数リソースと、上記複数の第１の送信されるべきデータにそれぞれ対応する上記宛先アドレスとに従って、上記リソーススケジューリング期間において上記少なくとも２つの第２の送信されるべきデータを送信する上記段階は具体的に、
上記ＵＥが、上記ネットワークデバイスにより割り当てられた上記時間−周波数リソースを受信し、かつ、上記ネットワークデバイスが上記時間−周波数リソースを割り当てるシーケンスと、上記第２の最大数量とに従って、上記時間−周波数リソースから第１の時間−周波数リソースを選択する段階と、
上記ＵＥが、上記複数の第１の送信されるべきデータにそれぞれ対応する上記宛先アドレスに従って、上記第１の時間−周波数リソース上で上記少なくとも２つの第２の送信されるべきデータを送信する段階とを含む、項目１０または１１に記載の方法。
［項目１７］
上記リソース要求メッセージは、上記第１の指示情報を保持する、項目１０から１６のいずれか一項に記載の方法。
［項目１８］
上記ＵＥが、上記ネットワークデバイスにより割り当てられた上記時間−周波数リソースを受信し、かつ、上記時間−周波数リソースと、上記複数の第１の送信されるべきデータにそれぞれ対応する上記宛先アドレスとに従って、上記リソーススケジューリング期間において、上記少なくとも２つの第２の送信されるべきデータを送信する上記段階は具体的に、
上記ＵＥが、上記ネットワークデバイスにより割り当てられた上記時間−周波数リソースと第２の指示情報とを受信し、かつ、上記時間−周波数リソースと、上記複数の第１の送信されるべきデータにそれぞれ対応する上記宛先アドレスと、上記第２の指示情報とに従って、上記リソーススケジューリング期間において、上記少なくとも２つの第２の送信されるべきデータを送信する段階であって、上記第２の指示情報は、上記ネットワークデバイスにより上記ＵＥに割り当てられた上記時間−周波数リソースと第１の宛先アドレスとの間のマッピング関係を上記ＵＥに示すために用いられる、段階を含む、項目１０に記載の方法。
［項目１９］
データ送信方法であって、
ネットワークデバイスが、ユーザ機器ＵＥにより送信されたリソース要求メッセージを受信する段階であって、上記リソース要求メッセージは、上記ＵＥの第１の宛先アドレスと、上記第１の宛先アドレスに対応する送信されるべきデータのデータ量とを上記ネットワークデバイスに示すために用いられる、段階と、
上記ネットワークデバイスが、予め設定された条件に従って、上記第１の宛先アドレスに対応するスケジューリング時間および／または周波数リソースを判定する段階と、
上記ネットワークデバイスが、上記第１の宛先アドレスに対応する判定された上記スケジューリング時間においておよび／または上記第１の宛先アドレスに対応する判定された上記周波数リソース上で、スケジューリング情報を上記ＵＥへ送信する段階であって、上記スケジューリング情報は、上記ＵＥの上記第１の宛先アドレスに対応する上記送信されるべきデータの時間−周波数リソースを上記ＵＥに示すために用いられる、段階と
を備える方法。
［項目２０］
上記予め設定された条件は、上記第１の宛先アドレスと、上記スケジューリング時間および／または上記周波数リソースとの間のマッピング関係を含む、項目１９に記載の方法。
［項目２１］
上記ネットワークデバイスが、上記第１の宛先アドレスに対応する判定された上記スケジューリング時間においておよび／または上記第１の宛先アドレスに対応する判定された上記周波数リソース上で、スケジューリング情報を送信する上記段階の前に、上記方法はさらに、
上記ネットワークデバイスが、第２の指示情報を上記ＵＥへ送信する段階であって、上記第２の指示情報は、上記第１の宛先アドレスと、上記スケジューリング時間および／または上記周波数リソースとの間の上記マッピング関係を上記ＵＥに示すために用いられる、段階を備える、項目１９または２０に記載の方法。
［項目２２］
データ送信方法であって、
ユーザ機器ＵＥが、リソース要求メッセージをネットワークデバイスへ送信する段階であって、上記リソース要求メッセージは、上記ＵＥの第１の宛先アドレスと、上記第１の宛先アドレスに対応する送信されるべきデータのデータ量とを上記ネットワークデバイスに示すために用いられる、段階と、
上記ＵＥが、上記ネットワークデバイスにより送信されたスケジューリング情報を受信し、かつ、上記スケジューリング情報と予め設定された条件とに従って、リソーススケジューリング期間において上記第１の宛先アドレスに対応する上記送信されるべきデータを送信する段階であって、上記スケジューリング情報は、上記ＵＥの上記第１の宛先アドレスに対応する上記送信されるべきデータの時間−周波数リソースを上記ＵＥに示すために用いられる、段階と
を備える方法。
［項目２３］
上記予め設定された条件は、上記第１の宛先アドレスと、上記スケジューリング時間および／または上記周波数リソースとの間のマッピング関係を含む、項目２２に記載の方法。
［項目２４］
上記ＵＥが、上記ネットワークデバイスにより送信されたスケジューリング情報を受信する上記段階の前に、上記方法はさらに、
上記ＵＥが、上記ネットワークデバイスにより送信された第２の指示情報を受信する段階であって、上記第２の指示情報は、上記第１の宛先アドレスと、上記スケジューリング時間および／または上記周波数リソースとの間の上記マッピング関係を上記ＵＥに示すために用いられる、段階を備える、項目２２または２３に記載の方法。
［項目２５］
ネットワークデバイスであって、
ユーザ機器ＵＥにより送信された第１の指示情報およびリソース要求メッセージを受信するよう構成される受信モジュールであって、上記第１の指示情報は、上記ＵＥが複数の時間−周波数リソースを用いることによって１つのリソーススケジューリング期間においてデータを少なくとも１つの宛先アドレスへ送信できることを上記ネットワークデバイスに通知するために用いられ、上記リソース要求メッセージは、上記ＵＥの複数の第１の送信されるべきデータにそれぞれ対応する宛先アドレスと、それぞれの第１の送信されるべきデータのデータ量とを上記ネットワークデバイスに示すために用いられ、上記第１の送信されるべきデータは、少なくとも１つの第２の送信されるべきデータを含む、受信モジュールと、
上記受信モジュールにより受信された上記第１の指示情報および上記リソース要求メッセージに従って、上記ＵＥにより上記リソーススケジューリング期間において少なくとも２つの第２の送信されるべきデータを送信するために用いられる時間−周波数リソースを上記ＵＥに割り当てるよう構成される処理モジュールと
を備えるネットワークデバイス。
［項目２６］
上記第１の指示情報は、能力指示情報であり、上記能力指示情報は、上記ＵＥが複数の時間−周波数リソースを用いることによって１つのリソーススケジューリング期間においてデータを上記少なくとも１つの宛先アドレスへ送信する能力を有することを上記ネットワークデバイスに通知するために、かつ、上記ネットワークデバイスに、上記能力指示情報に従って、上記ＵＥにより上記リソーススケジューリング期間において用いられ得る時間−周波数リソースの予め設定された第１の最大数量を取得するよう命令するために用いられる、項目２５に記載のネットワークデバイス。
［項目２７］
上記処理モジュールは具体的に、上記能力指示情報に従って、上記ＵＥにより上記リソーススケジューリング期間において用いられ得る上記時間−周波数リソースの上記予め設定された第１の最大数量を取得し、かつ、上記第１の最大数量、および上記複数の第１の送信されるべきデータにそれぞれ対応する上記宛先アドレスの数量のうちの最小値と、それぞれの第１の送信されるべきデータの上記データ量とに従って、上記ＵＥにより上記リソーススケジューリング期間において上記少なくとも２つの第２の送信されるべきデータを送信するために用いられる上記時間−周波数リソースを上記ＵＥに割り当てるよう構成される、項目２５または２６に記載のネットワークデバイス。
［項目２８］
上記第１の指示情報は、リソース情報であり、上記リソース情報は、上記ＵＥにより上記リソーススケジューリング期間において実際に用いられ得る時間−周波数リソースの第２の最大数量を上記ネットワークデバイスに示すために用いられ、上記第２の最大数量は、１より大きい、項目２５に記載のネットワークデバイス。
［項目２９］
上記第１の指示情報は、能力指示情報およびリソース情報を含み、上記能力指示情報は、上記ＵＥが複数の時間−周波数リソースを用いることによって１つのリソーススケジューリング期間においてデータを上記少なくとも１つの宛先アドレスへ送信する能力を有することを上記ネットワークデバイスに通知するために用いられ、上記リソース情報は、上記ＵＥにより上記リソーススケジューリング期間において実際に用いられ得る時間−周波数リソースの第２の最大数量を上記ネットワークデバイスに示すために用いられる、項目２５に記載のネットワークデバイス。
［項目３０］
上記リソース情報は、上記複数の時間−周波数リソースの数量についての情報、または上記ＵＥがＤ２Ｄデータ送信を実行するプロセスの数量についての情報である、項目２５から２９のいずれか一項に記載のネットワークデバイス。
［項目３１］
上記処理モジュールは具体的に、上記第２の最大数量、および上記複数の第１の送信されるべきデータにそれぞれ対応する上記宛先アドレスの数量のうちの最小値と、それぞれの第１の送信されるべきデータの上記データ量とに従って、上記ＵＥにより上記リソーススケジューリング期間において上記少なくとも２つの第２の送信されるべきデータを送信するために用いられる上記時間−周波数リソースを上記ＵＥに割り当てるよう構成される、項目２５から３０のいずれか一項に記載のネットワークデバイス。
［項目３２］
上記リソース要求メッセージは、上記第１の指示情報を保持する、項目２５から３１のいずれか一項に記載のネットワークデバイス。
［項目３３］
上記ネットワークデバイスはさらに、送信モジュールを含み、
上記処理モジュールは具体的に、上記第１の指示情報と上記リソース要求メッセージとに従って、上記送信モジュールに、第２の指示情報を上記ＵＥへ送信するよう命令し、かつ、上記ＵＥにより上記リソーススケジューリング期間において上記少なくとも２つの第２の送信されるべきデータを送信するために用いられる上記時間−周波数リソースを上記ＵＥに割り当てるよう構成され、上記第２の指示情報は、上記ネットワークデバイスにより上記ＵＥに割り当てられた上記時間−周波数リソースと第１の宛先アドレスとの間のマッピング関係を上記ＵＥに示すために用いられる、項目２５に記載のネットワークデバイス。
［項目３４］
ユーザ機器であって、
第１の指示情報およびリソース要求メッセージをネットワークデバイスへ送信するよう構成される送信モジュールであって、上記第１の指示情報は、上記ユーザ機器ＵＥが複数の時間−周波数リソースを用いることによって１つのリソーススケジューリング期間においてデータを少なくとも１つの宛先アドレスへ送信できることを、上記ネットワークデバイスに通知するために用いられ、上記リソース要求メッセージは、上記ＵＥの複数の第１の送信されるべきデータにそれぞれ対応する宛先アドレスと、それぞれの第１の送信されるべきデータのデータ量とを上記ネットワークデバイスに示すために、かつ、上記ネットワークデバイスに、上記第１の指示情報と上記リソース要求メッセージとに従って、上記ＵＥにより上記リソーススケジューリング期間において少なくとも２つの第２の送信されるべきデータを送信するために用いられる時間−周波数リソースを上記ＵＥに割り当てるよう命令するために用いられ、上記第１の送信されるべきデータは、少なくとも１つの第２の送信されるべきデータを含む、送信モジュールと、
上記ネットワークデバイスにより割り当てられた上記時間−周波数リソースを受信するよう構成される受信モジュールと、
上記受信モジュールにより受信された上記時間−周波数リソースと、上記複数の第１の送信されるべきデータにそれぞれ対応する上記宛先アドレスとに従って、上記送信モジュールに、上記リソーススケジューリング期間において上記少なくとも２つの第２の送信されるべきデータを送信するよう命令するよう構成される処理モジュールと
を備えるユーザ機器。
［項目３５］
上記第１の指示情報は、能力指示情報であり、上記能力指示情報は、上記ＵＥが複数の時間−周波数リソースを用いることによって１つのリソーススケジューリング期間においてデータを上記少なくとも１つの宛先アドレスへ送信する能力を有することを、上記ネットワークデバイスに通知するために、かつ、上記ネットワークデバイスに、上記能力指示情報に従って、上記ＵＥにより上記リソーススケジューリング期間において用いられ得る時間−周波数リソースの予め設定された第１の最大数量を取得するよう命令するために用いられる、項目３４に記載のユーザ機器。
［項目３６］
上記第１の指示情報は、リソース情報であり、上記リソース情報は、上記ＵＥにより上記リソーススケジューリング期間において実際に用いられ得る時間−周波数リソースの第２の最大数量を上記ネットワークデバイスに示すために用いられ、上記第２の最大数量は、１より大きい、項目３４に記載のユーザ機器。
［項目３７］
上記第１の指示情報は、能力指示情報およびリソース情報を含み、上記能力指示情報は、上記ＵＥが複数の時間−周波数リソースを用いることによって１つのリソーススケジューリング期間においてデータを上記少なくとも１つの宛先アドレスへ送信する能力を有することを上記ネットワークデバイスに通知するために用いられ、上記リソース情報は、上記ＵＥにより上記リソーススケジューリング期間において実際に用いられ得る時間−周波数リソースの第２の最大数量を上記ネットワークデバイスに示すために用いられる、項目３４に記載のユーザ機器。
［項目３８］
上記リソース情報は、上記複数の時間−周波数リソースの数量についての情報、または上記ＵＥがＤ２Ｄデータ送信を実行するプロセスの数量についての情報である、項目３４から３７のいずれか一項に記載のユーザ機器。
［項目３９］
それぞれの第２の送信されるべきデータは、異なる宛先アドレスに対応する、項目３４から３８のいずれか一項に記載のユーザ機器。
［項目４０］
上記時間−周波数リソースの数量が、上記ＵＥにより上記リソーススケジューリング期間において実際に用いられ得る上記時間−周波数リソースの第２の最大数量より大きい場合、上記処理モジュールは具体的に、
上記ネットワークデバイスが上記時間−周波数リソースを割り当てるシーケンスと、上記第２の最大数量とに従って、上記時間−周波数リソースから第１の時間−周波数リソースを選択し、かつ、上記複数の第１の送信されるべきデータにそれぞれ対応する上記宛先アドレスに従って、上記送信モジュールに、上記第１の時間−周波数リソース上で上記少なくとも２つの第２の送信されるべきデータを送信するよう命令するよう構成される、項目３４または３５に記載のユーザ機器。
［項目４１］
上記リソース要求メッセージは、上記第１の指示情報を保持する、項目３４から４０のいずれか一項に記載のユーザ機器。
［項目４２］
上記受信モジュールはさらに、第２の指示情報を受信するよう構成され、
上記処理モジュールは具体的に、上記時間−周波数リソースと、上記第２の指示情報と、上記複数の第１の送信されるべきデータにそれぞれ対応する上記宛先アドレスとに従って、上記送信モジュールに、上記リソーススケジューリング期間において上記少なくとも２つの第２の送信されるべきデータを送信するよう命令するよう構成され、上記第２の指示情報は、上記ネットワークデバイスにより上記ＵＥに割り当てられた上記時間−周波数リソースと第１の宛先アドレスとの間のマッピング関係を上記ＵＥに示すために用いられる、項目３４に記載のユーザ機器。
［項目４３］
ネットワークデバイスであって、
ユーザ機器ＵＥにより送信されたリソース要求メッセージを受信するよう構成される受信モジュールであって、上記リソース要求メッセージは、上記ＵＥの第１の宛先アドレスと、上記第１の宛先アドレスに対応する送信されるべきデータのデータ量とを上記ネットワークデバイスに示すために用いられる、受信モジュールと、
予め設定された条件に従って、上記受信モジュールにより受信された上記第１の宛先アドレスに対応するスケジューリング時間および／または周波数リソースを判定し、かつ、送信モジュールに、上記第１の宛先アドレスに対応する判定された上記スケジューリング時間においておよび／または上記第１の宛先アドレスに対応する判定された上記周波数リソース上で、スケジューリング情報を上記ＵＥへ送信するよう命令するよう構成される処理モジュールであって、上記スケジューリング情報は、上記ＵＥの上記第１の宛先アドレスに対応する上記送信されるべきデータの時間−周波数リソースを上記ＵＥに示すために用いられる、処理モジュールと、
上記第１の宛先アドレスに対応し、かつ、上記処理モジュールにより判定された上記スケジューリング時間および／または上記周波数リソースに従って、上記第１の宛先アドレスに対応する判定された上記スケジューリング時間においておよび／または上記第１の宛先アドレスに対応する判定された上記周波数リソース上で、上記スケジューリング情報を上記ＵＥへ送信するよう構成される上記送信モジュールと
を備えるネットワークデバイス。
［項目４４］
上記予め設定された条件は、上記第１の宛先アドレスと、上記スケジューリング時間および／または上記周波数リソースとの間のマッピング関係を含む、項目４３に記載のネットワークデバイス。
［項目４５］
上記送信モジュールはさらに、上記第１の宛先アドレスに対応する判定された上記スケジューリング時間においておよび／または上記第１の宛先アドレスに対応する判定された上記周波数リソース上で、上記スケジューリング情報を送信する前に、第２の指示情報を上記ＵＥへ送信するよう構成され、上記第２の指示情報は、上記第１の宛先アドレスと、上記スケジューリング時間および／または上記周波数リソースとの間の上記マッピング関係を上記ＵＥに示すために用いられる、項目４３または４４に記載のネットワークデバイス。
［項目４６］
ユーザ機器であって、
リソース要求メッセージをネットワークデバイスへ送信するよう構成される送信モジュールであって、上記リソース要求メッセージは、上記ユーザ機器ＵＥの第１の宛先アドレスと、上記第１の宛先アドレスに対応する送信されるべきデータのデータ量とを上記ネットワークデバイスに示すために用いられる、送信モジュールと、
上記ネットワークデバイスにより送信されたスケジューリング情報を受信するよう構成される受信モジュールであって、上記スケジューリング情報は、上記ＵＥの上記第１の宛先アドレスに対応する上記送信されるべきデータの時間−周波数リソースを上記ＵＥに示すために用いられる、受信モジュールとを備え、
上記送信モジュールはさらに、上記受信モジュールにより受信された上記スケジューリング情報と予め設定された条件とに従って、リソーススケジューリング期間において上記第１の宛先アドレスに対応する上記送信されるべきデータを送信するよう構成される、
ユーザ機器。
［項目４７］
上記予め設定された条件は、上記第１の宛先アドレスと、上記スケジューリング時間および／または上記周波数リソースとの間のマッピング関係を含む、項目４６に記載のユーザ機器。
［項目４８］
上記受信モジュールはさらに、上記ネットワークデバイスにより送信された上記スケジューリング情報を受信する前に、上記ネットワークデバイスにより送信された第２の指示情報を受信するよう構成され、上記第２の指示情報は、上記第１の宛先アドレスと、上記スケジューリング時間および／または上記周波数リソースとの間の上記マッピング関係を上記ＵＥに示すために用いられる、項目４６または４７に記載のユーザ機器。
［項目４９］
ネットワークデバイスであって、
ユーザ機器ＵＥにより送信された第１の指示情報およびリソース要求メッセージを受信するよう構成される受信機であって、上記第１の指示情報は、上記ＵＥが複数の時間−周波数リソースを用いることによって１つのリソーススケジューリング期間においてデータを少なくとも１つの宛先アドレスへ送信できることを、上記ネットワークデバイスに通知するために用いられ、上記リソース要求メッセージは、上記ＵＥの複数の第１の送信されるべきデータにそれぞれ対応する宛先アドレスと、それぞれの第１の送信されるべきデータのデータ量とを上記ネットワークデバイスに示すために用いられ、上記第１の送信されるべきデータは、少なくとも１つの第２の送信されるべきデータを含む、受信機と、
上記受信機により受信された上記第１の指示情報および上記リソース要求メッセージに従って、上記ＵＥにより上記リソーススケジューリング期間において少なくとも２つの第２の送信されるべきデータを送信するために用いられる時間−周波数リソースを上記ＵＥに割り当てるよう構成されるプロセッサと
を備えるネットワークデバイス。
［項目５０］
上記第１の指示情報は、能力指示情報であり、上記能力指示情報は、上記ＵＥが複数の時間−周波数リソースを用いることによって１つのリソーススケジューリング期間においてデータを上記少なくとも１つの宛先アドレスへ送信する能力を有することを、上記ネットワークデバイスに通知するために、かつ、上記ネットワークデバイスに、上記能力指示情報に従って、上記ＵＥにより上記リソーススケジューリング期間において用いられ得る時間−周波数リソースの予め設定された第１の最大数量を取得するよう命令するために用いられる、項目４９に記載のネットワークデバイス。
［項目５１］
上記プロセッサは具体的に、上記能力指示情報に従って、上記ＵＥにより上記リソーススケジューリング期間において用いられ得る上記時間−周波数リソースの上記予め設定された第１の最大数量を取得し、かつ、上記第１の最大数量、および上記複数の第１の送信されるべきデータにそれぞれ対応する上記宛先アドレスの数量のうちの最小値と、それぞれの第１の送信されるべきデータの上記データ量とに従って、上記ＵＥにより上記リソーススケジューリング期間において上記少なくとも２つの第２の送信されるべきデータを送信するために用いられる上記時間−周波数リソースを上記ＵＥに割り当てるよう構成される、項目４９または５０に記載のネットワークデバイス。
［項目５２］
上記第１の指示情報は、リソース情報であり、上記リソース情報は、上記ＵＥにより上記リソーススケジューリング期間において実際に用いられ得る時間−周波数リソースの第２の最大数量を上記ネットワークデバイスに示すために用いられ、上記第２の最大数量は、１より大きい、項目４９に記載のネットワークデバイス。
［項目５３］
上記第１の指示情報は、能力指示情報およびリソース情報を含み、上記能力指示情報は、上記ＵＥが複数の時間−周波数リソースを用いることによって１つのリソーススケジューリング期間においてデータを上記少なくとも１つの宛先アドレスへ送信する能力を有することを、上記ネットワークデバイスに通知するために用いられ、上記リソース情報は、上記ＵＥにより上記リソーススケジューリング期間において実際に用いられ得る時間−周波数リソースの第２の最大数量を上記ネットワークデバイスに示すために用いられる、項目４９に記載のネットワークデバイス。
［項目５４］
上記リソース情報は、上記複数の時間−周波数リソースの数量についての情報、または上記ＵＥがＤ２Ｄデータ送信を実行するプロセスの数量についての情報である、項目４９から５３のいずれか一項に記載のネットワークデバイス。
［項目５５］
上記プロセッサは具体的に、上記第２の最大数量、および上記複数の第１の送信されるべきデータにそれぞれ対応する上記宛先アドレスの数量のうちの最小値と、それぞれの第１の送信されるべきデータの上記データ量とに従って、上記ＵＥにより上記リソーススケジューリング期間において上記少なくとも２つの第２の送信されるべきデータを送信するために用いられる上記時間−周波数リソースを上記ＵＥに割り当てるよう構成される、項目４９から５４のいずれか一項に記載のネットワークデバイス。
［項目５６］
上記リソース要求メッセージは、上記第１の指示情報を保持する、項目４９から５５のいずれか一項に記載のネットワークデバイス。
［項目５７］
上記ネットワークデバイスはさらに、トランスミッタを含み、
上記プロセッサは具体的に、上記第１の指示情報と上記リソース要求メッセージとに従って、上記トランスミッタに、第２の指示情報を上記ＵＥへ送信するよう命令し、かつ、上記ＵＥにより上記リソーススケジューリング期間において上記少なくとも２つの第２の送信されるべきデータを送信するために用いられる上記時間−周波数リソースを上記ＵＥに割り当てるよう構成され、上記第２の指示情報は、上記ネットワークデバイスにより上記ＵＥに割り当てられた上記時間−周波数リソースと第１の宛先アドレスとの間のマッピング関係を上記ＵＥに示すために用いられる、項目４９に記載のネットワークデバイス。
［項目５８］
ユーザ機器であって、
第１の指示情報およびリソース要求メッセージをネットワークデバイスへ送信するよう構成されるトランスミッタであって、上記第１の指示情報は、上記ユーザ機器ＵＥが複数の時間−周波数リソースを用いることによって１つのリソーススケジューリング期間においてデータを少なくとも１つの宛先アドレスへ送信できることを上記ネットワークデバイスに通知するために用いられ、上記リソース要求メッセージは、上記ＵＥの複数の第１の送信されるべきデータにそれぞれ対応する宛先アドレスと、それぞれの第１の送信されるべきデータのデータ量とを上記ネットワークデバイスに示すために、かつ、上記ネットワークデバイスに、上記第１の指示情報と上記リソース要求メッセージとに従って、上記ＵＥにより上記リソーススケジューリング期間において少なくとも２つの第２の送信されるべきデータを送信するために用いられる時間−周波数リソースを上記ＵＥに割り当てるよう命令するために用いられ、上記第１の送信されるべきデータは、少なくとも１つの第２の送信されるべきデータを含む、トランスミッタと、
上記ネットワークデバイスにより割り当てられた上記時間−周波数リソースを受信するよう構成される受信機と、
上記受信機により受信された上記時間−周波数リソースと、上記複数の第１の送信されるべきデータにそれぞれ対応する上記宛先アドレスとに従って、上記トランスミッタに、上記リソーススケジューリング期間において上記少なくとも２つの第２の送信されるべきデータを送信するよう命令するよう構成されるプロセッサと
を備えるユーザ機器。
［項目５９］
上記第１の指示情報は、能力指示情報であり、上記能力指示情報は、上記ＵＥが複数の時間−周波数リソースを用いることによって１つのリソーススケジューリング期間においてデータを上記少なくとも１つの宛先アドレスへ送信する能力を有することを、上記ネットワークデバイスに通知するために、かつ、上記ネットワークデバイスに、上記能力指示情報に従って、上記ＵＥにより上記リソーススケジューリング期間において用いられ得る時間−周波数リソースの予め設定された第１の最大数量を取得するよう命令するために用いられる、項目５８に記載のユーザ機器。
［項目６０］
上記第１の指示情報は、リソース情報であり、上記リソース情報は、上記ＵＥにより上記リソーススケジューリング期間において実際に用いられ得る時間−周波数リソースの第２の最大数量を上記ネットワークデバイスに示すために用いられ、上記第２の最大数量は、１より大きい、項目５８に記載のユーザ機器。
［項目６１］
上記第１の指示情報は、能力指示情報およびリソース情報を含み、上記能力指示情報は、上記ＵＥが複数の時間−周波数リソースを用いることによって１つのリソーススケジューリング期間においてデータを上記少なくとも１つの宛先アドレスへ送信する能力を有することを、上記ネットワークデバイスに通知するために用いられ、上記リソース情報は、上記ＵＥにより上記リソーススケジューリング期間において実際に用いられ得る時間−周波数リソースの第２の最大数量を上記ネットワークデバイスに示すために用いられる、項目５８に記載のユーザ機器。
［項目６２］
上記リソース情報は、上記複数の時間−周波数リソースの数量についての情報、または上記ＵＥがＤ２Ｄデータ送信を実行するプロセスの数量についての情報である、項目５８から６１のいずれか一項に記載のユーザ機器。
［項目６３］
それぞれの第２の送信されるべきデータは、異なる宛先アドレスに対応する、項目５８から６２のいずれか一項に記載のユーザ機器。
［項目６４］
上記時間−周波数リソースの数量が、上記ＵＥにより上記リソーススケジューリング期間において実際に用いられ得る時間−周波数リソースの第２の最大数量より大きい場合、上記プロセッサは具体的に、上記ネットワークデバイスが上記時間−周波数リソースを割り当てるシーケンスと、上記第２の最大数量とに従って、上記時間−周波数リソースから第１の時間−周波数リソースを選択し、かつ、上記複数の第１の送信されるべきデータにそれぞれ対応する上記宛先アドレスに従って、上記トランスミッタに、上記第１の時間−周波数リソース上で上記少なくとも２つの第２の送信されるべきデータを送信するよう命令するよう構成される、項目５８または５９に記載のユーザ機器。
［項目６５］
上記リソース要求メッセージは、上記第１の指示情報を保持する、項目５８から６４のいずれか一項に記載のユーザ機器。
［項目６６］
上記受信機はさらに、第２の指示情報を受信するよう構成され、
上記プロセッサは具体的に、上記時間−周波数リソースと、上記第２の指示情報と、上記複数の第１の送信されるべきデータにそれぞれ対応する上記宛先アドレスとに従って、上記トランスミッタに、上記リソーススケジューリング期間において上記少なくとも２つの第２の送信されるべきデータを送信するよう命令するよう構成され、上記第２の指示情報は、上記ネットワークデバイスにより上記ＵＥに割り当てられた上記時間−周波数リソースと、第１の宛先アドレスとの間のマッピング関係を上記ＵＥに示すために用いられる、項目５８に記載のユーザ機器。
［項目６７］
ネットワークデバイスであって、
ユーザ機器ＵＥにより送信されたリソース要求メッセージを受信するよう構成される受信機であって、上記リソース要求メッセージは、上記ＵＥの第１の宛先アドレスと、上記第１の宛先アドレスに対応する送信されるべきデータのデータ量とを上記ネットワークデバイスに示すために用いられる、受信機と、
予め設定された条件に従って、上記受信機により受信された上記第１の宛先アドレスに対応するスケジューリング時間および／または周波数リソースを判定し、かつ、トランスミッタに、上記第１の宛先アドレスに対応する判定された上記スケジューリング時間においておよび／または上記第１の宛先アドレスに対応する判定された上記周波数リソース上で、スケジューリング情報を上記ＵＥへ送信するよう命令するよう構成されるプロセッサであって、上記スケジューリング情報は、上記ＵＥの上記第１の宛先アドレスに対応する上記送信されるべきデータの時間−周波数リソースを上記ＵＥに示すために用いられる、プロセッサと、
上記第１の宛先アドレスに対応し、かつ、上記プロセッサにより判定された上記スケジューリング時間および／または上記周波数リソースに従って、上記第１の宛先アドレスに対応する判定された上記スケジューリング時間においておよび／または上記第１の宛先アドレスに対応する判定された上記周波数リソース上で、上記スケジューリング情報を上記ＵＥへ送信するよう構成される上記トランスミッタと
を備えるネットワークデバイス。
［項目６８］
上記予め設定された条件は、上記第１の宛先アドレスと、上記スケジューリング時間および／または上記周波数リソースとの間のマッピング関係を含む、項目６７に記載のネットワークデバイス。
［項目６９］
上記トランスミッタがさらに、上記第１の宛先アドレスに対応する判定された上記スケジューリング時間においておよび／または上記第１の宛先アドレスに対応する判定された上記周波数リソース上で、上記スケジューリング情報を送信する前に、第２の指示情報を上記ＵＥへ送信するよう構成され、上記第２の指示情報は、上記第１の宛先アドレスと、上記スケジューリング時間および／または上記周波数リソースとの間の上記マッピング関係を上記ＵＥに示すために用いられる、項目６７または６８に記載のネットワークデバイス。
［項目７０］
ユーザ機器であって、
リソース要求メッセージをネットワークデバイスへ送信するよう構成されるトランスミッタであって、上記リソース要求メッセージは、上記ユーザ機器ＵＥの第１の宛先アドレスと、上記第１の宛先アドレスに対応する送信されるべきデータのデータ量を上記ネットワークデバイスに示すために用いられる、トランスミッタと、
上記ネットワークデバイスにより送信されたスケジューリング情報を受信するよう構成される受信機であって、上記スケジューリング情報は、上記ＵＥの上記第１の宛先アドレスに対応する上記送信されるべきデータの時間−周波数リソースを上記ＵＥに示すために用いられる、受信機とを備え、
上記トランスミッタはさらに、上記受信機により受信された上記スケジューリング情報と、予め設定された条件とに従って、リソーススケジューリング期間において上記第１の宛先アドレスに対応する上記送信されるべきデータを送信するよう構成される、
ユーザ機器。
［項目７１］
上記予め設定された条件は、上記第１の宛先アドレスと、上記スケジューリング時間および／または上記周波数リソースとの間のマッピング関係を含む、項目７０に記載のユーザ機器。
［項目７２］
上記受信機はさらに、上記ネットワークデバイスにより送信された上記スケジューリング情報を受信する前に、上記ネットワークデバイスにより送信された第２の指示情報を受信するよう構成され、上記第２の指示情報は、上記第１の宛先アドレスと、上記スケジューリング時間および／または上記周波数リソースとの間の上記マッピング関係を上記ＵＥに示すために用いられる、項目７０または７１に記載のユーザ機器。
【図１】
0006560450.tif 000003
【図２】
0006560450.tif 000004
【図３】
0006560450.tif 000005
【図４】
0006560450.tif 000006
【図５】
0006560450.tif 000007
【図６】
0006560450.tif 000008
【図７】
0006560450.tif 000009
【図８】
0006560450.tif 000010
【図９】
0006560450.tif 000011
【図１０】
0006560450.tif 000012
【図１１】
0006560450.tif 000013
【図１２】
0006560450.tif 000014
【図１３】
0006560450.tif 000015
【図１４】
0006560450.tif 000016
【図１５】
0006560450.tif 000017
【図１６】
0006560450.tif 000018
【図１７】
0006560450.tif 000019